(57)【要約】      （修正有）【課題】無線通信システムにおいて、時間遅延を指示するための方法及び装置を提供する。【解決手段】共有スペクトルチャネルアクセスを用いて動作するＵＥは、帯域幅部分における上りリンク伝送に対する設定済グラントを設定するための設定を受信する。設定済グラントは、第１の設定済グラント及び第２の設定済グラントを含む。ＵＥは、設定に従って、第１の設定済グラントに対する第１の最小ＤＦＩ時間遅延を設定する。第１の最小ＤＦＩ時間遅延は、１つ以上の第１の上りリンク伝送に応答するＨＡＲＱ情報の検証のためのものである。ＵＥは、設定に従って、第２の設定済グラントに対する第２の最小ＤＦＩ時間遅延を設定する。第２の最小ＤＦＩ時間遅延は、１つ以上の第２の上りリンク伝送に応答するＨＡＲＱ情報の検証のためのものである。ＵＥは、第２の最小ＤＦＩ時間遅延が、第１の最小ＤＦＩ時間遅延とは異なる値を持つことを期待しない。【選択図】図２０
2022003770.tif 000002
【特許請求の範囲】
【請求項１】
キャリア又はセル上で少なくとも１つで共有スペクトルチャネルアクセスを用いて動作するＵＥ（Ｕｓｅｒ  Ｅｑｕｉｐｍｅｎｔ）の方法であって、
基地局から、前記キャリア又は前記セルのうちの少なくとも１つの帯域幅部分（ＢＷＰ）における上りリンク伝送に対する複数の設定済グラントを設定するための設定を受信することであって、前記複数の設定済グラントは、第１の設定済グラント及び第２の設定済グラントを含む、受信することと、
前記設定に従って、前記第１の設定済グラントに対する第１の最小ＤＦＩ（Ｄｏｗｎｌｉｎｋ  Ｆｅｅｄｂａｃｋ  Ｉｎｄｉｃａｔｉｏｎ）時間遅延を設定することであって、前記第１の最小ＤＦＩ時間遅延は、１つ以上の第１の上りリンク伝送に応答するＨＡＲＱ（Ｈｙｂｒｉｄ  Ａｕｔｏｍａｔｉｃ  Ｒｅｐｅａｔ  Ｒｅｑｕｅｓｔ）情報の検証のためのものである、設定することと、
前記設定に従って、前記第２の設定済グラントに対する第２の最小ＤＦＩ時間遅延を設定することと、を含み、
前記第２の最小ＤＦＩ時間遅延は、１つ以上の第２の上りリンク伝送に応答するＨＡＲＱ情報の検証のためのものであり、
前記ＵＥは、前記第２の最小ＤＦＩ時間遅延が、前記第１の最小ＤＦＩ時間遅延とは異なる値を持つことを期待しない、方法。
【請求項２】
前記設定に従って、前記第１の設定済グラントに対する１つ以上のＨＡＲＱプロセスの第１のセットを設定することと、
前記設定に従って、前記第２の設定済グラントに対する１つ以上のＨＡＲＱプロセスの第２のセットを設定することと、を含む請求項１に記載の方法。
【請求項３】
前記第１の最小ＤＦＩ時間遅延の第１の値は、前記１つ以上のＨＡＲＱプロセスの第１のセット及び前記１つ以上のＨＡＲＱプロセスの第２のセットのＨＡＲＱプロセスの各セットが同じＨＡＲＱプロセスを含むことに基づいて、前記第２の最小ＤＦＩ時間遅延の第２の値と同じであるか、又は
前記ＵＥは、前記１つ以上のＨＡＲＱプロセスの第１のセット及び前記１つ以上のＨＡＲＱプロセスの第２のセットのＨＡＲＱプロセスの各セットが同じＨＡＲＱプロセスを含むことに基づいて、前記第２の最小ＤＦＩ時間遅延が、前記第１の最小ＤＦＩ時間遅延とは異なる値を持つことを期待しない、ことのうちの少なくとも１つが成り立つ、請求項２に記載の方法。
【請求項４】
前記第１の最小ＤＦＩ時間遅延の第１の値は、前記１つ以上のＨＡＲＱプロセスの第１のセットと前記１つ以上のＨＡＲＱプロセスの第２のセットとの間で共有されているＨＡＲＱプロセスがないことに基づいて、第２の最小ＤＦＩ時間遅延の第２の値と同じであるか、又は
前記ＵＥは、前記１つ以上のＨＡＲＱプロセスの第１のセットと前記１つ以上のＨＡＲＱプロセスの第２のセットとの間で共有されているＨＡＲＱプロセスがないことに基づいて、前記第２の最小ＤＦＩ時間遅延が、前記第１の最小ＤＦＩ時間遅延とは異なる値を持つことを期待しない、ことのうちの少なくとも１つが成り立つ、請求項２に記載の方法。
【請求項５】
前記第１の最小ＤＦＩ時間遅延の第１の値は、前記１つ以上のＨＡＲＱプロセスの第１のセット及び前記１つ以上のＨＡＲＱプロセスの第２のセットのＨＡＲＱプロセスの各セットが同じＨＡＲＱプロセスを含むかどうかに関わらず、前記第２の最小ＤＦＩ時間遅延の第２の値と同じであるか、又は
前記ＵＥは、前記１つ以上のＨＡＲＱプロセスの第１のセット及び前記１つ以上のＨＡＲＱプロセスの第２のセットのＨＡＲＱプロセスの各セットが同じＨＡＲＱプロセスを含むかどうかに関わらず、前記第２の最小ＤＦＩ時間遅延が、前記第１の最小ＤＦＩ時間遅延とは異なる値を持つことを期待しない、ことのうちの少なくとも１つが成り立つ、請求項２に記載の方法。
【請求項６】
前記方法が、第１のリソース上で第３の上りリンク伝送を送信することを含むか、
前記方法が、第２のリソース上で第４の上りリンク伝送を送信することを含むか、
前記１つ以上の第１の上りリンク伝送が、前記第３の上りリンク伝送を含むか、
前記１つ以上の第２の上りリンク伝送が、前記第４の上りリンク伝送を含むか、
前記第３の上りリンク伝送又は前記第１のリソースのうちの少なくとも１つが、前記第１の設定済グラントに関連付けられること、又はそれに基づいて判定されることのうちの少なくとも１つであるか、
前記第４の上りリンク伝送又は前記第２のリソースのうちの少なくとも１つが、
前記第２の設定済グラントに関連付けられること、又はそれに基づいて判定されることのうちの少なくとも１つであるか、あるいは
動的グラントに関連付けられること、それに基づいて判定されること、又はそれによってスケジュールされることのうちの少なくとも１つであるか、
前記第３の上りリンク伝送と前記第４の上りリンク伝送の各上りリンク伝送が同じＴＢ（Ｔｒａｎｓｐｏｒｔ  Ｂｌｏｃｋ）を搬送するか、
前記第３の上りリンク伝送と前記第４の上りリンク伝送の各上りリンク伝送が同じＨＡＲＱプロセス番号であるか、
前記第３の上りリンク伝送が前記第４の上りリンク伝送より早いか、あるいは
前記第３の上りリンク伝送が前記ＴＢの初期送信であり、前記第４の上りリンク伝送が前記ＴＢの再送である、請求項２に記載の方法。
【請求項７】
前記方法が、第１のスロットにおいて第１のＰＤＣＣＨ（Ｐｈｙｓｉｃａｌ  Ｄｏｗｎｌｉｎｋ  Ｃｏｎｔｒｏｌ  Ｃｈａｎｎｅｌ）を受信することを含むか、
前記方法が、第２のスロットにおいて第２のＰＤＣＣＨを受信することを含むか、
前記第１のスロット又は前記第１のＰＤＣＣＨのうちの少なくとも１つが、前記第３の上りリンク伝送より遅いか、
前記第２のスロット又は前記第２のＰＤＣＣＨのうちの少なくとも１つが、前記第４の上りリンク伝送より遅いか、
前記第１のＰＤＣＣＨが、第１のＤＦＩを含むか、又は示すことのうちの少なくとも１つが成り立つか、あるいは
前記第２のＰＤＣＣＨが、第２のＤＦＩを含むか、又は示すことのうちの少なくとも１つが成り立つ、ことのうちの少なくとも１つが成り立つ、請求項６に記載の方法。
【請求項８】
前記第３の上りリンク伝送に応答する前記第１のＤＦＩによって提供された第１のＨＡＲＱ情報が、第１のＤＦＩと前記第１のリソースとの間の第１の間隔に基づいて、かつ前記第１の最小ＤＦＩ時間遅延又は前記第２の最小ＤＦＩ時間遅延に基づいて有効であるかどうかを判定するか、あるいは
前記第４の上りリンク伝送に応答する前記第２のＤＦＩによって提供された第２のＨＡＲＱ情報が、第２のＤＦＩと前記第２のリソースとの間の第２の間隔に基づいて、かつ前記第１の最小ＤＦＩ時間遅延又は前記第２の最小ＤＦＩ時間遅延に基づいて有効であるかどうかを判定する、ことのうちの少なくとも１つが成り立つ、請求項７に記載の方法。
【請求項９】
前記第３の上りリンク伝送に応答する前記第１のＤＦＩによって提供された前記第１のＨＡＲＱ情報が有効である判定することは、前記第３の上りリンク伝送に応答する前記第１のＤＦＩによって提供された前記第１のＨＡＲＱ情報が、前記第１の間隔が前記第１の最小ＤＦＩ時間遅延より大きいことに基づくか、又は前記第１の間隔が前記第２の最小ＤＦＩ時間遅延より大きいことに基づいて有効であるかどうかを判定することを含み、
前記第３の上りリンク伝送に応答する前記第１のＤＦＩによって提供された前記第１のＨＡＲＱ情報が有効である判定することは、前記第３の上りリンク伝送に応答する前記第１のＤＦＩによって提供された前記第１のＨＡＲＱ情報が、前記第１の間隔が前記第１の最小ＤＦＩ時間遅延より小さいことに基づくか、又は前記第１の間隔が前記第２の最小ＤＦＩ時間遅延より小さいことに基づいて有効であるかどうかを判定することを含み、
前記第４の上りリンク伝送に応答する前記第２のＤＦＩによって提供された前記第２のＨＡＲＱ情報が有効である判定することは、前記第４の上りリンク伝送に応答する前記第２のＤＦＩによって提供された前記第２のＨＡＲＱ情報が、前記第２の間隔が前記第１の最小ＤＦＩ時間遅延より大きいことに基づくか、又は前記第２の間隔が前記第２の最小ＤＦＩ時間遅延より大きいことに基づいて有効であるかどうかを判定することを含み、
前記第４の上りリンク伝送に応答する前記第２のＤＦＩによって提供された前記第２のＨＡＲＱ情報が有効である判定することは、前記第４の上りリンク伝送に応答する前記第２のＤＦＩによって提供された前記第２のＨＡＲＱ情報が、前記第２の間隔が前記第１の最小ＤＦＩ時間遅延より小さいことに基づくか、又は前記第２の間隔が前記第２の最小ＤＦＩ時間遅延より小さいことに基づいて有効であるかどうかを判定することを含む、ことのうちの少なくとも１つが成り立つ、請求項８に記載の方法。
【請求項１０】
キャリア又はセルのうちの少なくとも１つ上で共有スペクトルチャネルアクセスを用いて動作する基地局のための方法であって、
前記キャリア又は前記セルのうちの少なくとも１つの帯域幅部分（ＢＷＰ）における上りリンク伝送に対する複数の設定済グラントでＵＥ（Ｕｓｅｒ  Ｅｑｕｉｐｍｅｎｔ）を設定することであって、前記複数の設定済グラントは、第１の設定済グラント及び第２の設定済グラントを含む、設定することと、
前記第１の設定済グラントに対する第１の最小ＤＦＩ（Ｄｏｗｎｌｉｎｋ  Ｆｅｅｄｂａｃｋ  Ｉｎｄｉｃａｔｉｏｎ）時間遅延で前記ＵＥを設定することであって、前記第１の最小ＤＦＩ時間遅延は、１つ以上の第１の上りリンク伝送に応答するＨＡＲＱ（Ｈｙｂｒｉｄ  Ａｕｔｏｍａｔｉｃ  Ｒｅｐｅａｔ  Ｒｅｑｕｅｓｔ）情報の検証のためのものである、設定することと、
前記第２の設定済グラントに対する第２の最小ＤＦＩ時間遅延で前記ＵＥを設定することと、を含み、
前記第２の最小ＤＦＩ時間遅延は、１つ以上の第２の上りリンク伝送に応答するＨＡＲＱ情報の検証のためのものであり、
前記基地局は、前記第２の最小ＤＦＩ時間遅延が、前記第１の最小ＤＦＩ時間遅延とは異なる値を持つように設定することができない、方法。
【請求項１１】
前記第１の設定済グラントに対する１つ以上のＨＡＲＱプロセスの第１のセットで前記ＵＥを設定することと、
前記第２の設定済グラントに対する１つ以上のＨＡＲＱプロセスの第２のセットで前記ＵＥを設定することと、を含む請求項１０に記載の方法。
【請求項１２】
前記第１の最小ＤＦＩ時間遅延の第１の値は、前記１つ以上のＨＡＲＱプロセスの第１のセット及び前記１つ以上のＨＡＲＱプロセスの第２のセットのＨＡＲＱプロセスの各セットが同じＨＡＲＱプロセスを含むことに基づいて、前記第２の最小ＤＦＩ時間遅延の第２の値と同じであるか、又は
前記基地局は、前記１つ以上のＨＡＲＱプロセスの第１のセット及び前記１つ以上のＨＡＲＱプロセスの第２のセットのＨＡＲＱプロセスの各セットが同じＨＡＲＱプロセスを含むことに基づいて、前記第２の最小ＤＦＩ時間遅延が、前記第１の最小ＤＦＩ時間遅延とは異なる値を持つように設定することができない、ことのうちの少なくとも１つが成り立つ、請求項１１に記載の方法。
【請求項１３】
前記第１の最小ＤＦＩ時間遅延の第１の値は、前記１つ以上のＨＡＲＱプロセスの第１のセットと前記１つ以上のＨＡＲＱプロセスの第２のセットとの間で共有されているＨＡＲＱプロセスがないことに基づいて、第２の最小ＤＦＩ時間遅延の第２の値と同じであるか、又は
前記基地局は、前記１つ以上のＨＡＲＱプロセスの第１のセットと前記１つ以上のＨＡＲＱプロセスの第２のセットとの間で共有されているＨＡＲＱプロセスがないことに基づいて、前記第２の最小ＤＦＩ時間遅延が、前記第１の最小ＤＦＩ時間遅延とは異なる値を持つように設定することができない、ことのうちの少なくとも１つが成り立つ、請求項１１に記載の方法。
【請求項１４】
前記第１の最小ＤＦＩ時間遅延の第１の値は、前記１つ以上のＨＡＲＱプロセスの第１のセット及び前記１つ以上のＨＡＲＱプロセスの第２のセットのＨＡＲＱプロセスの各セットが同じＨＡＲＱプロセスを含むかどうかに関わらず、前記第２の最小ＤＦＩ時間遅延の第２の値と同じであるか、又は
前記基地局は、前記１つ以上のＨＡＲＱプロセスの第１のセット及び前記１つ以上のＨＡＲＱプロセスの第２のセットのＨＡＲＱプロセスの各セットが同じＨＡＲＱプロセスを含むかどうかに関わらず、前記第２の最小ＤＦＩ時間遅延が、前記第１の最小ＤＦＩ時間遅延とは異なる値を持つように設定することができない、ことのうちの少なくとも１つが成り立つ、請求項１１に記載の方法。
【請求項１５】
前記方法が、第１のリソース上で第３の上りリンク伝送を受信することを含むか、
前記方法が、第２のリソース上で第４の上りリンク伝送を受信することを含むか、
前記１つ以上の第１の上りリンク伝送が、前記第３の上りリンク伝送を含むか、
前記１つ以上の第２の上りリンク伝送が、前記第４の上りリンク伝送を含むか、
前記第３の上りリンク伝送又は前記第１のリソースのうちの少なくとも１つが、前記第１の設定済グラントに関連付けられること、又はそれに基づいて判定されることのうちの少なくとも１つであるか、
前記第４の上りリンク伝送又は前記第２のリソースのうちの少なくとも１つが、
前記第２の設定済グラントに関連付けられること、又はそれに基づいて判定されることのうちの少なくとも１つであるか、あるいは
動的グラントに関連付けられること、それに基づいて判定されること、又はそれによってスケジュールされることのうちの少なくとも１つであるか、
前記第３の上りリンク伝送と前記第４の上りリンク伝送の各上りリンク伝送が同じＴＢ（Ｔｒａｎｓｐｏｒｔ  Ｂｌｏｃｋ）を搬送するか、
前記第３の上りリンク伝送と前記第４の上りリンク伝送の各上りリンク伝送が同じＨＡＲＱプロセス番号であるか、
前記第３の上りリンク伝送が前記第４の上りリンク伝送より早いか、あるいは
前記第３の上りリンク伝送が前記ＴＢの初期送信であり、前記第４の上りリンク伝送が前記ＴＢの再送である、請求項１０に記載の方法。
【請求項１６】
前記方法が、第１のスロットにおいて第１のＰＤＣＣＨ（Ｐｈｙｓｉｃａｌ  Ｄｏｗｎｌｉｎｋ  Ｃｏｎｔｒｏｌ  Ｃｈａｎｎｅｌ）を送信することを含むか、
前記方法が、第２のスロットにおいて第２のＰＤＣＣＨを送信することを含むか、
前記第１のスロット又は前記第１のＰＤＣＣＨのうちの少なくとも１つが、前記第３の上りリンク伝送より遅いか、
前記第２のスロット又は前記第２のＰＤＣＣＨのうちの少なくとも１つが、前記第４の上りリンク伝送より遅いか、
前記第１のＰＤＣＣＨが、第１のＤＦＩを含むか、又は示すことのうちの少なくとも１つが成り立つか、あるいは
前記第２のＰＤＣＣＨが、第２のＤＦＩを含むか、又は示すことのうちの少なくとも１つが成り立つ、ことのうちの少なくとも１つが成り立つ、請求項１５に記載の方法。
【請求項１７】
前記第３の上りリンク伝送に応答する前記第１のＤＦＩによって提供された第１のＨＡＲＱ情報が、第１のＤＦＩと前記第１のリソースとの間の第１の間隔に基づいて、かつ前記第１の最小ＤＦＩ時間遅延又は前記第２の最小ＤＦＩ時間遅延に基づいて有効であるかどうかを判定するか、あるいは
前記第４の上りリンク伝送に応答する前記第２のＤＦＩによって提供された第２のＨＡＲＱ情報が、第２のＤＦＩと前記第２のリソースとの間の第２の間隔に基づいて、かつ前記第１の最小ＤＦＩ時間遅延又は前記第２の最小ＤＦＩ時間遅延に基づいて有効であるかどうかを判定する、ことのうちの少なくとも１つが成り立つ、請求項１６に記載の方法。
【請求項１８】
前記第３の上りリンク伝送に応答する前記第１のＤＦＩによって提供された前記第１のＨＡＲＱ情報が有効である判定することは、前記第３の上りリンク伝送に応答する前記第１のＤＦＩによって提供された前記第１のＨＡＲＱ情報が、前記第１の間隔が前記第１の最小ＤＦＩ時間遅延より大きいことに基づくか、又は前記第１の間隔が前記第２の最小ＤＦＩ時間遅延より大きいことに基づいて有効であるかどうかを判定することを含み、
前記第３の上りリンク伝送に応答する前記第１のＤＦＩによって提供された前記第１のＨＡＲＱ情報が有効である判定することは、前記第３の上りリンク伝送に応答する前記第１のＤＦＩによって提供された前記第１のＨＡＲＱ情報が、前記第１の間隔が前記第１の最小ＤＦＩ時間遅延より小さいことに基づくか、又は前記第１の間隔が前記第２の最小ＤＦＩ時間遅延より小さいことに基づいて有効であるかどうかを判定することを含み、
前記第４の上りリンク伝送に応答する前記第２のＤＦＩによって提供された前記第２のＨＡＲＱ情報が有効である判定することは、前記第４の上りリンク伝送に応答する前記第２のＤＦＩによって提供された前記第２のＨＡＲＱ情報が、前記第２の間隔が前記第１の最小ＤＦＩ時間遅延より大きいことに基づくか、又は前記第２の間隔が前記第２の最小ＤＦＩ時間遅延より大きいことに基づいて有効であるかどうかを判定することを含み、
前記第４の上りリンク伝送に応答する前記第２のＤＦＩによって提供された前記第２のＨＡＲＱ情報が有効である判定することは、前記第４の上りリンク伝送に応答する前記第２のＤＦＩによって提供された前記第２のＨＡＲＱ情報が、前記第２の間隔が前記第１の最小ＤＦＩ時間遅延より小さいことに基づくか、又は前記第２の間隔が前記第２の最小ＤＦＩ時間遅延より小さいことに基づいて有効であるかどうかを判定することを含む、ことのうちの少なくとも１つが成り立つ、請求項１７に記載の方法。
【請求項１９】
キャリア又はセルの少なくとも１つ上で共有スペクトルチャネルアクセスを用いて動作するＵＥ（Ｕｓｅｒ  Ｅｑｕｉｐｍｅｎｔ）であって、
制御回路と、
前記制御回路に設けられたプロセッサと、
前記制御回路内に設置され、前記プロセッサに動作可能に結合されたメモリと、を含み、前記プロセッサは、前記メモリに記憶されたプログラムコードを実行して動作を行うように構成されており、前記動作は、
基地局から、前記キャリア又は前記セルのうちの少なくとも１つの帯域幅部分（ＢＷＰ）における上りリンク伝送に対する複数の設定済グラントを設定するための設定を受信することであって、前記複数の設定済グラントは、第１の設定済グラント及び第２の設定済グラントを含む、受信することと、
前記設定に従って、前記第１の設定済グラントに対する第１の最小ＤＦＩ（Ｄｏｗｎｌｉｎｋ  Ｆｅｅｄｂａｃｋ  Ｉｎｄｉｃａｔｉｏｎ）時間遅延を設定することであって、前記第１の最小ＤＦＩ時間遅延は、１つ以上の第１の上りリンク伝送に応答するＨＡＲＱ（Ｈｙｂｒｉｄ  Ａｕｔｏｍａｔｉｃ  Ｒｅｐｅａｔ  Ｒｅｑｕｅｓｔ）情報の検証のためのものである、設定することと、
前記設定に従って、前記第２の設定済グラントに対する第２の最小ＤＦＩ時間遅延を設定することと、を含み、
前記第２の最小ＤＦＩ時間遅延は、１つ以上の第２の上りリンク伝送に応答するＨＡＲＱ情報の検証のためのものであり、
前記ＵＥは、前記第２の最小ＤＦＩ時間遅延が、前記第１の最小ＤＦＩ時間遅延とは異なる値を持つことを期待しない、ＵＥ。
【請求項２０】
キャリア又はセルのうちの少なくとも１つ上で共有スペクトルチャネルアクセスを用いて動作する基地局であって、
制御回路と、
前記制御回路に設けられたプロセッサと、
前記制御回路内に設置され、前記プロセッサに動作可能に結合されたメモリと、を含み、前記プロセッサは、前記メモリに記憶されたプログラムコードを実行して動作を行うように構成されており、前記動作は、
前記キャリア又は前記セルのうちの少なくとも１つの帯域幅部分（ＢＷＰ）における上りリンク伝送に対する複数の設定済グラントでＵＥ（Ｕｓｅｒ  Ｅｑｕｉｐｍｅｎｔ）を設定することであって、前記複数の設定済グラントは、第１の設定済グラント及び第２の設定済グラントを含む、設定することと、
前記第１の設定済グラントに対する第１の最小ＤＦＩ（Ｄｏｗｎｌｉｎｋ  Ｆｅｅｄｂａｃｋ  Ｉｎｄｉｃａｔｉｏｎ）時間遅延で前記ＵＥを設定することであって、前記第１の最小ＤＦＩ時間遅延は、１つ以上の第１の上りリンク伝送に応答するＨＡＲＱ（Ｈｙｂｒｉｄ  Ａｕｔｏｍａｔｉｃ  Ｒｅｐｅａｔ  Ｒｅｑｕｅｓｔ）情報の検証のためのものである、設定することと、
前記第２の設定済グラントに対する第２の最小ＤＦＩ時間遅延で前記ＵＥを設定することと、を含み、
前記第２の最小ＤＦＩ時間遅延は、１つ以上の第２の上りリンク伝送に応答するＨＡＲＱ情報の検証のためのものであり、
前記基地局は、前記第２の最小ＤＦＩ時間遅延が、前記第１の最小ＤＦＩ時間遅延とは異なる値を持つように設定することができない、基地局。
【発明の詳細な説明】
【技術分野】
【０００１】
本出願は、２０２０年６月２３日に出願された米国仮特許出願第６３／０４２，８１８号の利益を主張し、その全開示は、参照によりその全体が本明細書に組み込まれる。本出願はまた、２０２０年６月２９日に出願された米国仮特許出願第６３／０４５，６７１号の利益を主張し、その全開示は、参照によりその全体が本明細書に組み込まれる。本出願はまた、２０２０年７月２日に出願された米国仮特許出願第６３／０４７，６２１号の利益を主張し、その全開示は、参照によりその全体が本明細書に組み込まれる。
【０００２】
本開示は、一般に、無線通信ネットワークに関し、より具体的には、無線通信システムにおいて、時間遅延を指示するための方法及び装置に関する。
【背景技術】
【０００３】
移動体通信デバイスとの大量データの通信に対する要求が急速に高まる中、従来の移動体音声通信ネットワークは、インターネットプロトコル（ＩＰ）データパケットをやり取りするネットワークへと発展している。そのようなＩＰデータパケット通信は、移動体通信デバイスのユーザに、ボイスオーバＩＰ、マルチメディア、マルチキャスト、およびオンデマンド通信サービスを提供可能である。
【０００４】
例示的なネットワーク構造は、発展型ユニバーサル地上無線アクセスネットワーク（Ｅ−ＵＴＲＡＮ）である。Ｅ−ＵＴＲＡＮシステムは、上記のボイスオーバＩＰおよびマルチメディアサービスを実現するために、高いデータスループットを提供可能である。現在、次世代（例えば、５Ｇ）の新しい無線技術が３ＧＰＰ標準化機構によって論じられている。このため、現行の３ＧＰＰ標準内容に対する変更が現在提出され、３ＧＰＰ標準の発展および確定に向けて検討されている。
【発明の概要】
【０００５】
本開示によれば、１つ以上のデバイス及び／又は方法が提供される。キャリア又はセル上で少なくとも１つで共有スペクトルチャネルアクセスを用いて動作するＵＥ（Ｕｓｅｒ  Ｅｑｕｉｐｍｅｎｔ）の観点からの例では、ＵＥは、基地局から、キャリア又はセルのうちの少なくとも１つの帯域幅部分（ＢＷＰ）における上りリンク伝送に対する複数の設定済グラントを設定するための設定を受信する。複数の設定済グラントは、第１の設定済グラント及び第２の設定済グラントを含む。ＵＥは、設定に従って、第１の設定済グラントに対する第１の最小ＤＦＩ（Ｄｏｗｎｌｉｎｋ  Ｆｅｅｄｂａｃｋ  Ｉｎｄｉｃａｔｉｏｎ）時間遅延を設定し、第１の最小ＤＦＩ時間遅延は、１つ以上の第１の上りリンク伝送に応答するＨＡＲＱ（Ｈｙｂｒｉｄ  Ａｕｔｏｍａｔｉｃ  Ｒｅｐｅａｔ  Ｒｅｑｕｅｓｔ）情報の検証のためのものである。ＵＥは、設定に従って、第２の設定済グラントに対する第２の最小ＤＦＩ時間遅延を設定し、第２の最小ＤＦＩ時間遅延は、１つ以上の第２の上りリンク伝送に応答するＨＡＲＱ情報の検証のためのものであり、ＵＥは、第２の最小ＤＦＩ時間遅延が、第１の最小ＤＦＩ時間遅延とは異なる値を持つことを期待しない。
【０００６】
キャリア又はセルのうちの少なくとも１つ上で共有スペクトルチャネルアクセスを用いて動作する基地局の観点からの例では、基地局は、キャリア又はセルのうちの少なくとも１つの帯域幅部分（ＢＷＰ）における上りリンク伝送に対する複数の設定済グラントでＵＥ（Ｕｓｅｒ  Ｅｑｕｉｐｍｅｎｔ）を設定し、複数の設定済グラントは、第１の設定済グラント及び第２の設定済グラントを含む。基地局は、第１の設定済グラントに対する第１の最小ＤＦＩ（Ｄｏｗｎｌｉｎｋ  Ｆｅｅｄｂａｃｋ  Ｉｎｄｉｃａｔｉｏｎ）時間遅延でＵＥを設定し、第１の最小ＤＦＩ時間遅延は、１つ以上の第１の上りリンク伝送に応答するＨＡＲＱ（Ｈｙｂｒｉｄ  Ａｕｔｏｍａｔｉｃ  Ｒｅｐｅａｔ  Ｒｅｑｕｅｓｔ）情報の検証のためのものである。基地局は、第２の設定済グラントに対する第２の最小ＤＦＩ時間遅延でＵＥを設定し、第２の最小ＤＦＩ時間遅延は、１つ以上の第２の上りリンク伝送に応答するＨＡＲＱ情報の検証のためのものであり、基地局は、第２の最小ＤＦＩ時間遅延が、第１の最小ＤＦＩ時間遅延とは異なる値を持つように設定することができない。
【０００７】
キャリア及び／又はセル上で共有スペクトルチャネルアクセスを用いて動作する基地局の観点からの例では、基地局は、キャリア及び／又はセルのＢＷＰにおける上りリンク伝送に対する複数の設定済グラントでＵＥを設定し、複数の設定済グラントは、第１の設定済グラント及び第２の設定済グラントを含む。基地局は、第１の設定済グラントに対する第１の最小ＤＦＩ（Ｄｏｗｎｌｉｎｋ  Ｆｅｅｄｂａｃｋ  Ｉｎｄｉｃａｔｉｏｎ）時間遅延でＵＥに設定する。基地局は、第２の設定済グラントに対する第２の最小ＤＦＩ時間遅延でＵＥを設定し、基地局は、第２の最小ＤＦＩ時間遅延が第１の最小ＤＦＩ時間遅延とは異なる値を有するように設定することができない。基地局は、動的グラントをＵＥに送信し、動的グラントは、ＴＢ（Ｔｒａｎｓｐｏｒｔ  Ｂｌｏｃｋ）の再送のための第２のリソースをスケジュールする。基地局は、ＵＥから第２のリソース上で第２の上りリンク伝送を受信する。基地局は、第２のＰＤＣＣＨ（Ｐｈｙｓｉｃａｌ  Ｄｏｗｎｌｉｎｋ  Ｃｏｎｔｒｏｌ  Ｃｈａｎｎｅｌ）をＵＥに送信し、第２のＰＤＣＣＨは、第２のＤＦＩを含み及び／又は示し、第２のＤＦＩは、第２のＰＤＣＣＨと第２のリソースとの間の間隔が第１の最小ＤＦＩ時間遅延以上であるかに基づいて、又は間隔が第２の最小ＤＦＩ時間遅延以上であるかに基づいて、第２の上りリンク伝送に応答する有効なＨＡＲＱ（Ｈｙｂｒｉｄ  Ａｕｔｏｍａｔｉｃ  Ｒｅｐｅａｔ  Ｒｅｑｕｅｓｔ）情報を含む及び／又は提供する。
【図面の簡単な説明】
【０００８】
【図１】１つの例示的な実施形態による、無線通信システムの図を示す。
【図２】１つの例示的実施形態による、送信機システム（アクセスネットワークとしても知られる）および受信機システム（ユーザ機器またはＵＥとしても知られる）のブロック図である。
【図３】１つの例示的な実施形態の通信システムの機能ブロック図である。
【図４】１つの例示的な実施形態による図３のプログラムコードの機能ブロック図である。
【図５】１つの例示的な実施形態による、時間領域における設定済グラントリソース設定及び／又は割り当てに関連付けられた例示的なシナリオを示す図である。
【図６】１つの例示的な実施形態による、時間領域における設定済グラントリソース設定及び／又は割り当てに関連付けられた例示的なシナリオを示す図である。
【図７】１つの例示的な実施形態による、時間領域における設定済グラントリソース設定及び／又は割り当てに関連付けられた例示的なシナリオを示す図である。
【図８】１つの例示的な実施形態による、時間領域における設定済グラントリソース設定及び／又は割り当てに関連付けられた例示的なシナリオを示す図である。
【図９】１つの例示的な実施形態による、設定済グラント及び／又は設定済グラントに関連付けられたＨＡＲＱ（Ｈｙｂｒｉｄ  Ａｕｔｏｍａｔｉｃ  Ｒｅｐｅａｔ  Ｒｅｑｕｅｓｔ）プロセスの例示的な設定を示す図である。
【図１０】１つの例示的な実施形態による、設定済グラント及び／又は設定済グラントに関連付けられたＨＡＲＱプロセスの例示的な設定を示す図である。
【図１１】１つの例示的な実施形態による、ＨＡＲＱ情報及び／又は最小ＤＦＩ（Ｄｏｗｎｌｉｎｋ  Ｆｅｅｄｂａｃｋ  Ｉｎｄｉｃａｔｉｏｎ）時間遅延に関連付けられた例示的なシナリオに関連付けられた表である。
【図１２】１つの例示的な実施形態による、設定済グラント及び／又は設定済グラントに関連付けられたＨＡＲＱプロセスの例示的な設定を示す図である。
【図１３Ａ】１つの例示的な実施形態による、設定済グラント及び／又は設定済グラントに関連付けられたＨＡＲＱプロセスの例示的な設定を示す図である。
【図１３Ｂ】１つの例示的な実施形態による、設定済グラント及び／又は設定済グラントに関連付けられたＨＡＲＱプロセスの例示的な設定を示す図である。
【図１４】１つの例示的な実施形態による、設定済グラント及び／又は設定済グラントに関連付けられたＨＡＲＱプロセスの例示的な設定を示す図である。
【図１５】１つの例示的な実施形態による、ＨＡＲＱ情報及び／又は最小ＤＦＩ時間遅延に関連付けられた例示的なシナリオに関連付けられた表である。
【図１６】１つの例示的な実施形態による、ＨＡＲＱ情報及び／又は最小ＤＦＩ時間遅延に関連付けられた例示的なシナリオに関連付けられた表である。
【図１７】１つの例示的な実施形態による、ＨＡＲＱプロセスグループに関連付けられた複数のエントリに関連付けられた表である。
【図１８】１つの例示的な実施形態による、周波数リソース及び／又はＰＲＢ（Ｐｈｙｓｉｃａｌ  Ｒｅｓｏｕｒｃｅ  Ｂｌｏｃｋ）の図である。
【図１９】１つの例示的な実施形態による、共有スペクトルチャネルアクセスを用いて動作する、キャリア及び／又はセルにおける上りリンク帯域幅部分（ＢＷＰ）及び／又はＬＢＴ（Ｌｉｓｔｅｎ  Ｂｅｆｏｒｅ  Ｔａｌｋ）帯域幅の図である。
【図２０】１つの例示的な実施形態による、フローチャートである。
【図２１】１つの例示的な実施形態による、フローチャートである。
【図２２】１つの例示的な実施形態による、フローチャートである。
【発明を実施するための形態】
【０００９】
以下に説明する例示的な無線通信システムおよびデバイスは、無線通信システムを採用し、ブロードキャストサービスをサポートする。無線通信システムは、音声、データ等の様々なタイプの通信を提供するように広く展開されている。これらのシステムは、符号分割多元接続（ＣＤＭＡ）、時間分割多元接続（ＴＤＭＡ）、直交周波数分割多元接続（ＯＦＤＭＡ）、第３世代パートナーシップ・プロジェクト（３ＧＰＰ）ＬＴＥ（Long  Term  Evolution）無線アクセス、３ＧＰＰ  ＬＴＥ−ＡもしくはＬＴＥ−Ａｄｖａｎｃｅｄ（Long  Term  Evolution  Advanced）、３ＧＰＰ２  ＵＭＢ（Ultra  Mobile  Broadband）、ＷｉＭａｘ、５Ｇのための３ＧＰＰ  ＮＲ（New  Radio）無線アクセス、または他の何らかの変調技術に基づくことができる。
【００１０】
特に、以下に説明する例示的な無線通信システムおよびデバイスは、本明細書において３ＧＰＰと呼ばれる「第３世代パートナーシップ・プロジェクト」という名称のコンソーシアムにより提示される標準などの１つ以上の標準をサポートするように設計されてよく、その標準は：Ｆｉｎａｌ  Ｒｅｐｏｒｔ  ｏｆ  ３ＧＰＰ  ＴＳＧ  ＲＡＮ  ＷＧ１  ＃９０ｂｉｓ  ｖ１．０．０  （Ｐｒａｇｕｅ，  Ｃｚｅｃｈ  Ｒｅｐ，  ９ｔｈ  -  １３ｔｈ  Ｏｃｔｏｂｅｒ  ２０１７）；  ＲＰ−１９３１９６；  ３ＧＰＰ  ＴＳ  ３８．２１２  Ｖ１６．１．０  （２０２０−０３），  “３ＧＰＰ  ＴＳＧ  ＲＡＮ；  ＮＲ  Ｐｈｙｓｉｃａｌ  ｃｈａｎｎｅｌｓ  ａｎｄ  ｍｏｄｕｌａｔｉｏｎ  （Ｒｅｌｅａｓｅ  １６）”；  ３ＧＰＰ  ＴＳ  ３８．２１４  Ｖ１６．１．０  （２０２０−０３），  “３ＧＰＰ  ＴＳＧ  ＲＡＮ；  ＮＲ  Ｐｈｙｓｉｃａｌ  ｃｈａｎｎｅｌｓ  ａｎｄ  ｍｏｄｕｌａｔｉｏｎ  （Ｒｅｌｅａｓｅ  １６）”；  Ｄｒａｆｔ  ３ＧＰＰ  ＴＳ  ３８．３２１  Ｖ１６．０．０  （２０２０−０３），  “３ＧＰＰ  ＴＳＧ  ＲＡＮ；  ＮＲ  Ｍｅｄｉｕｍ  Ａｃｃｅｓｓ  Ｃｏｎｔｒｏｌ  （ＭＡＣ）  ｐｒｏｔｏｃｏｌ  ｓｐｅｃｉｆｉｃａｔｉｏｎ  （Ｒｅｌｅａｓｅ  １６）”；  Ｒ１−１９０９９４２，  Ｆｉｎａｌ  Ｒｅｐｏｒｔ  ｏｆ  ３ＧＰＰ  ＴＳＧ  ＲＡＮ  ＷＧ１  ＃９８  ｖ１．０．０  （Ｐｒａｇｕｅ，  Ｃｚｅｃｈ  Ｒｅｐ，  ２６ｔｈ  -  ３０ｔｈ  Ａｕｇｕｓｔ  ２０１９）；  Ｒ１−１９０８４６８，  Ｓａｍｓｕｎｇ；  Ｒ１−２００５１４４，  Ｓａｍｓｕｎｇ；  ３ＧＰＰ  ＴＳ  ３８．３３１  Ｖ１６．０．０  （２０２０−０３），  “３ＧＰＰ  ＴＳＧ  ＲＡＮ；  ＮＲ  Ｒａｄｉｏ  Ｒｅｓｏｕｒｃｅ  Ｃｏｎｔｒｏｌ  （ＲＲＣ）  ｐｒｏｔｏｃｏｌ  ｓｐｅｃｉｆｉｃａｔｉｏｎ  （Ｒｅｌｅａｓｅ  １６）”を含む。上記に挙げた標準および文書は、その全体が参照により本明細書に明示的に援用される。
【００１１】
図１は、本開示の１つ以上の実施形態による多重アクセス無線通信システムを表す。アクセスネットワーク１００（ＡＮ）は、複数のアンテナグループを含み、あるグループは１０４および１０６、別のグループは１０８および１１０、また別のグループは１１２および１１４を含む。図１においては、各アンテナグループに対して、アンテナが２つしか示されていないが、より多くのあるいはより少ないアンテナが各アンテナグループに利用されてよい。アクセス端末１１６（ＡＴ）は、アンテナ１１２および１１４と通信しており、アンテナ１１２および１１４は、順方向リンク１２０を介して情報をアクセス端末１１６に送信すると共に、逆方向リンク１１８を介して情報をアクセス端末１１６から受信している。アクセス端末（ＡＴ）１２２は、アンテナ１０６および１０８と通信しており、アンテナ１０６および１０８は、順方向リンク１２６を介して情報をアクセス端末（ＡＴ）１２２に送信すると共に、逆方向リンク１２４を介して情報をアクセス端末（ＡＴ）１２２から受信している。周波数分割複信（ＦＤＤ）システムにおいては、通信リンク１１８、１２０、１２４、および１２６は通信に異なる周波数を使用してもよい。例えば、順方向リンク１２０では、逆方向リンク１１８によって使用される周波数とは異なる周波数を使用してもよい。
【００１２】
アンテナの各グループおよび／またはアンテナが通信するように設計されたエリアは、アクセスネットワークのセクターと称することが多い。本実施形態において、アンテナグループは各々、アクセスネットワーク１００によってカバーされるエリアのセクターにおいて、アクセス端末と通信するように設計されてもよい。
【００１３】
順方向リンク１２０および１２６を介した通信において、アクセスネットワーク１００の送信アンテナは、異なるアクセス端末１１６および１２２に対する順方向リンクの信号対雑音比を改善するために、ビームフォーミングを利用してよい。また、そのカバレッジにランダムに分散したアクセス端末に送信するためにビームフォーミングを使用するアクセスネットワークは、単一のアンテナを通じてすべてのそのアクセス端末への送信を行うアクセスネットワークよりも、隣接セルのアクセス端末への干渉を少なくする。
【００１４】
アクセスネットワーク（ＡＮ）は、端末と通信するのに使用される固定局または基地局でよく、アクセスポイント、Ｎｏｄｅ  Ｂ、基地局、拡張型基地局、ｅＮＢ(ｅＮｏｄｅＢ）、ｇＮＢ（Next  Generation  NodeB）または別の何らかの専門用語で呼ばれることもある。アクセス端末（ＡＴ）は、ユーザ機器（ＵＥ）、無線通信デバイス、端末、アクセス端末、または別の何らかの専門用語で呼ばれることもある。
【００１５】
図２は、多入力多出力（ＭＩＭＯ）システム２００における送信機システム２１０（アクセスネットワークとしても知られている）および受信機システム２５０（アクセス端末（ＡＴ）またはユーザ機器（ＵＥ）としても知られている）の実施形態を表す。送信機システム２１０では、ある数のデータストリームに対するトラフィックデータがデータ源２１２から送信（ＴＸ）データプロセッサ２１４に提供されてもよい。
【００１６】
一実施形態において、各データストリームは、それぞれの送信アンテナを介して送信される。ＴＸデータプロセッサ２１４は、データストリームに対して選択された特定の符号化方式に基づいて、各データストリームについてのトラフィックデータをフォーマット、符号化、およびインターリーブして、符号化データを提供する。
【００１７】
各データストリームについての符号化データが、直交周波数分割多重（ＯＦＤＭ）技術を使用してパイロットデータと多重化されてもよい。パイロットデータは、代表的には、既知の方式で処理される既知のデータパターンとしてもよく、受信機システムでチャネル応答を推定するのに使用されてもよい。そして、各データストリームについての多重化パイロットおよび符号化データが、データストリームについて選択される特定の変調スキーム（例えば、二位相偏移変調（ＢＰＳＫ）、四位相偏移変調（ＱＰＳＫ）、Ｍ値位相偏移変調（Ｍ−ＰＳＫ）、またはＭ値直交振幅変調（Ｍ−ＱＡＭ））に基づいて変調（すなわち、シンボルマッピング）されて、変調シンボルを提供する。各データストリームについてのデータレート、符号化、および変調は、プロセッサ２３０により実行される命令によって決定されてもよい。
【００１８】
そして、すべてのデータストリームについての変調シンボルはＴＸ  ＭＩＭＯプロセッサ２２０に提供され、これが（例えば、ＯＦＤＭについての）変調シンボルをさらに処理してよい。そして、ＴＸ  ＭＩＭＯプロセッサ２２０は、ＮＴ個の変調シンボルストリームをＮＴ個の送信機（ＴＭＴＲ）２２２ａ〜２２２ｔに提供する。特定の実施形態において、ＴＸ  ＭＩＭＯプロセッサ２２０は、ビームフォーミング加重をデータストリームのシンボルおよびシンボルが送信されているアンテナに適用する。
【００１９】
各送信機２２２は、各シンボルストリームを受信および処理して１つ以上のアナログ信号を提供し、さらに、アナログ信号を調節（例えば、増幅、フィルタリング、および／またはアップコンバート）して、ＭＩＭＯチャネルを介した送信に適した変調信号を提供する。そして、送信機２２２ａ〜２２２ｔからのＮＴ個の変調信号がそれぞれ、ＮＴ個のアンテナ２２４ａ〜２２４ｔから送信されてもよい。
【００２０】
受信機システム２５０においては、送信された変調信号はＮＲ個のアンテナ２５２ａ〜２５２ｒによって受信され、各アンテナ２５２からの受信信号が、それぞれの受信機（ＲＣＶＲ）２５４ａ〜２５４ｒに提供されてもよい。各受信機２５４は、それぞれの受信信号を調節（例えば、フィルタリング、増幅、およびダウンコンバート）して、調節された信号をデジタル化してサンプルを提供し、および／またはさらに、サンプルを処理して対応する「受信」シンボルストリームを提供してもよい。
【００２１】
そして、ＲＸデータプロセッサ２６０は、特定の受信機処理技術に基づいて、ＮＲ個の受信機２５４からのＮＲ個の受信シンボルストリームを受信および処理して、ＮＴ個の「検出」シンボルストリームを提供する。そして、ＲＸデータプロセッサ２６０は、各検出シンボルストリームを復調、デインターリーブ、および／または復号して、データストリームについてのトラフィックデータを復元する。ＲＸデータプロセッサ２６０による処理は、送信機システム２１０でのＴＸ  ＭＩＭＯプロセッサ２２０およびＴＸデータプロセッサ２１４により実行される処理と相補的である。
【００２２】
プロセッサ２７０は、どのプリコーディングマトリクス（後述）を使用するかを定期的に決定してもよい。プロセッサ２７０は、マトリクス・インデックス部分およびランク値部分を含む逆方向リンクメッセージを構築する。
【００２３】
逆方向リンクメッセージが、通信リンクおよび／または受信データストリームに関する様々なタイプの情報を含んでもよい。そして、逆方向リンクメッセージが、データ源２３６からのある数のデータストリームについてのトラフィックデータも受信し得るＴＸデータプロセッサ２３８により処理され、変調器２８０により変調され、送信機２５４ａ〜２５４ｒにより調節され、および／または送信機システム２１０に送り戻される。
【００２４】
送信機システム２１０では、受信機システム２５０からの変調信号がアンテナ２２４により受信され、受信機２２２により調節され、復調器２４０により復調され、ＲＸデータプロセッサ２４２により処理されて、受信機システム２５０により送信された逆方向リンクメッセージを抽出する。そして、プロセッサ２３０が、ビームフォーミング加重を決定するためにどのプリコーディングマトリクスを使用するかを決定してもよく、そして、抽出されたメッセージを処理してもよい。
【００２５】
図３を参照すると、この図は、本開示の主題による通信デバイスの代替的な簡易機能ブロック図を表す。図３に示されるように、無線通信システムにおける通信デバイスは、図１のＵＥ（もしくはＡＴ）１１６および１２２または図１の基地局（もしくはＡＮ）１００を実現するのに利用可能であり、無線通信システムがＬＴＥシステムまたはＮＲシステムであってもよい。通信デバイスは、入力デバイス３０２、出力デバイス３０４、制御回路３０６、中央演算処理装置（ＣＰＵ）３０８、メモリ３１０、プログラムコード３１２、およびトランシーバ３１４を含んでよい。制御回路３０６は、ＣＰＵ３０８を介してメモリ３１０内のプログラムコード３１２を実行することにより、通信デバイスの動作を制御する。通信デバイス３００は、キーボード、キーパッド等の入力デバイス３０２を介してユーザにより入力された信号を受信することができ、モニタ、スピーカ等の出力デバイス３０４を介して画像および音声を出力することができる。トランシーバ３１４は、無線信号を受信および送信するのに使用され、受信信号を制御回路３０６に伝達すると共に、制御回路３０６により生成された信号を無線で出力する。無線通信システムにおける通信デバイス３００は、図１のＡＮ１００を実現するのにも利用可能である。
【００２６】
図４は、本開示の主題による図３に示すプログラムコード３１２の簡易ブロック図である。この実施形態において、プログラムコード３１２は、アプリケーションレイヤ４００と、レイヤ３部分４０２と、レイヤ２部分４０４とを含み、レイヤ１部分４０６に結合されている。レイヤ３部分４０２が無線リソース制御を実行してもよい。レイヤ２部分４０４がリンク制御を実行してもよい。レイヤ１部分４０６が物理的接続を実行および／または実装する。
【００２７】
ＬＴＥにおけるＦｅＬＡＡ  （Ｆｕｒｔｈｅｒ  ｅｎｈａｎｃｅｄ  Ｌｉｃｅｎｓｅｄ  Ａｓｓｉｓｔｅｄ  Ａｃｃｅｓｓ  ＬＡＡ）におけるＡＵＬ−ＤＦＩ  （Ａｕｔｏｎｏｍｏｕｓ−Ｄｏｗｎｌｉｎｋ  Ｆｅｅｄｂａｃｋ  Ｉｎｄｉｃａｔｉｏｎ  （ＤＦＩ））の詳細は、３ＧＰＰ  ＴＳＧ  ＲＡＮ  ＷＧ１  ＃９０ｂｉｓ  ｖ１．０．０のＦｉｎａｌ  Ｒｅｐｏｒｔにおいて提供されており、その一部を以下に引用する：
［外１］
2022003770.tif 000003
2022003770.tif 000004
【００２８】
ＮＲ−Ｕ（ＮＲ−Ｕｎｌｉｃｅｎｓｅｄ）ステータスレポートでは、ＲＰ−１９３１９６は複数のワーキンググループからのＮＲ−Ｕの３ＧＰＰ進捗を指定している。
ＲＰ−１９３１９６の一部を以下に引用する：
［外２］
2022003770.tif 000005
2022003770.tif 000006
【００２９】
ＤＣＩ（Ｄｏｗｎｌｉｎｋ  Ｃｏｎｔｒｏｌ  Ｉｎｆｏｒｍａｔｉｏｎ）におけるＤＦＩ（例えば、設定済グラント（ＣＧ）−ＤＦＩ）関連フィールドの詳細は、３ＧＰＰ  ＴＳ  ３８．２１２  Ｖ１６．１．０  （２０２０−０３）において提供されており、その一部を以下に引用する：
［外３］
2022003770.tif 000007
2022003770.tif 000008
2022003770.tif 000009
2022003770.tif 000010
【００３０】
免許不要のセルにおけるＰＵＳＣＨ（Ｐｈｙｓｉｃａｌ  Ｕｐｌｉｎｋ  Ｓｈａｒｅｄ  Ｃｈａｎｎｅｌ）伝送の詳細は、３ＧＰＰ  ＴＳ  ３８．２１４  Ｖ１６．１．０（２０２０−０３）において提供されており、その一部を以下に引用する：
［外４］
2022003770.tif 000011
2022003770.tif 000012
2022003770.tif 000013
【００３１】
ＮＲにおけるＭＡＣ（Ｍｅｄｉｕｍ  Ａｃｃｅｓｓ  Ｃｏｎｔｒｏｌ）プロトコル仕様の詳細は、Ｄｒａｆｔ  ３ＧＰＰ  ＴＳ  ３８．３２１  ｖ１６．０．０において提供されており、
その一部を以下に引用する：
［外５］
2022003770.tif 000014
【００３２】
３ＧＰＰ  ＲＡＮ１  ＃９８会議において、ＮＲ−ＵにおけるＣＧとＤＦＩについての合意がなされ、その合意はＲ１−１９０９９４２から引用される：
［外６］
2022003770.tif 000015
【００３３】
Ｒ１−１９０８４６８の一部を以下に引用する：
［外７］
2022003770.tif 000016
【００３４】
Ｒ１−２００５１４４の一部を以下に引用する：
［外８］
2022003770.tif 000017
【００３５】
３ＧＰＰ  ＴＳ  ３８．３３１  Ｖ１６．０．０（２０２０−０３）の一部を以下に引用する：
［外９］
2022003770.tif 000018
2022003770.tif 000019
2022003770.tif 000020
2022003770.tif 000021
2022003770.tif 000022
2022003770.tif 000023
2022003770.tif 000024
2022003770.tif 000025
【００３６】
ＬＴＥ  （例えば、ＬＡＡ（ＬＴＥ  Ｌｉｃｅｎｓｅ−Ａｓｓｉｓｔｅｄ  Ａｃｃｅｓｓ）、ｅＬＡＡ（ＬＴＥ  ｅｎｈａｎｃｅｄ  Ｌｉｃｅｎｓｅ−Ａｓｓｉｓｔｅｄ  Ａｃｃｅｓｓ）及び／又はＦｅＬＡＡ（ＬＴＥ  ｆｕｒｔｈｅｒ  ｅｎｈａｎｃｅｄ  Ｌｉｃｅｎｓｅ−Ａｓｓｉｓｔｅｄ  Ａｃｃｅｓｓ））において、ＤＦＩ（Ｄｏｗｎｌｉｎｋ  Ｆｅｅｄｂａｃｋ  Ｉｎｄｉｃａｔｉｏｎ）（例えば、ＡＵＬ−ＤＦＩ（ａｕｔｏｎｏｍｏｕｓ  ＤＦＩ））などのＨＡＲＱ−ＡＣＫ  （ＨＡＲＱ（Ｈｙｂｒｉｄ  Ａｕｔｏｍａｔｉｃ  Ｒｅｐｅａｔ  Ｒｅｑｕｅｓｔ）−ＡＣＫ（Ａｃｋｎｏｗｌｅｄｇｅｍｅｎｔ））フィードバック（例えば、明示的ＨＡＲＱ−ＡＣＫフィードバック）が、自律上りリンク伝送（例えば、自律上りリンク再送）のために導入されている。ＨＡＲＱ−ＡＣＫフィードバック（例えば、ＡＵＬ−ＤＦＩ）は、ＰＤＣＣＨ（Ｐｈｙｓｉｃａｌ  Ｄｏｗｎｌｉｎｋ  Ｃｏｎｔｒｏｌ  Ｃｈａｎｎｅｌ）によって搬送される１６ビットを含むビットマップであってもよい。いくつかの例において、ビットマップの各ビットは、免許不要のセルのためのＨＡＲＱプロセス（ＨＰ）に関連付けられる。いくつかの例において、ＵＥが、免許不要のセルに対する１つ以上の設定済グラント（ＣＧ）に関連付けられた１つ以上のＨＡＲＱプロセスに対して、ＮＡＣＫ（ｅｇａｔｉｖｅ  Ａｃｋｎｏｗｌｅｄｇｅｍｅｎｔ）を示すＡＵＬ−ＤＦＩを受信したことに応答して、ＵＥは、１つ以上のＨＡＲＱプロセスに関連付けられた自律的な再送を行うことができる。
【００３７】
ＤＦＩはまた、ＮＲ−Ｕ（ＮＲ−Ｕｎｌｉｃｅｎｓｅｄ）にも導入されている。ＬＴＥ  （例えば、ＬＴＥ  ＬＡＡ、ＬＴＥ  ｅＬＡＡ及び／又はＬＴＥ  ＦｅＬＡＡ）とは異なり、ＮＲ−Ｕでは、ＰＵＳＣＨ（Ｐｈｙｓｉｃａｌ  Ｕｐｌｉｎｋ  Ｓｈａｒｅｄ  Ｃｈａｎｎｅｌ）を処理し、対応するＤＦＩを生成するためのネットワークに対する検証時間、処理時間、ラウンドトリップ時間及び／又は最小ＤＦＩ時間遅延（例えば、ｃｇ−ｍｉｎＤＦＩＤｅｌａｙ−ｒ１６）が、ＰＵＳＣＨの終了シンボルからＤＦＩを搬送するＰＤＣＣＨの開始シンボルまで定義されてもよい。例えば、ＤＦＩを搬送するＰＤＣＣＨの開始シンボルとＨＡＲＱプロセスｉ（例えば、ｉに対応するＨＡＲＱプロセス番号／ＩＤを備えたＨＡＲＱプロセス）に関連付けられたＰＵＳＣＨの終了シンボルと間の間隔がｃｇ−ｍｉｎＤＦＩＤｅｌａｙ−ｒ１６より小さい場合、ＨＡＲＱプロセスｉに関連付けられたＤＦＩは有効ではない（及び／又は、ＵＥ及び／又はネットワークは、間隔がｃｇ−ｍｉｎＤＦＩＤｅｌａｙ−ｒ１６より小さいことに基づいて、ＤＦＩがＨＡＲＱプロセスｉに関連付けられた有効なＨＡＲＱ情報を含まないと判定することがある）。用語「ＨＡＲＱプロセス番号／ＩＤ」は、ＨＡＲＱプロセスのＨＡＲＱプロセス番号及び／又はＨＡＲＱプロセスアイデンティティ（ＩＤ）に対応し得る。いくつかの例において、間隔がｃｇ−ｍｉｎＤＦＩＤｅｌａｙ−ｒ１６よりも小さい場合、ＵＥはＨＡＲＱプロセスｉに関連付けられた再送を実行しないことがある（及び／又は、ＵＥは、ＨＡＲＱプロセスｉに関連付けられた再送を実行するかどうかを判定するためにＤＦＩを使用しないことがある）、及び／又は、ＵＥは、ＨＡＲＱプロセスｉに関連付けられた伝送（例えば、ＰＵＳＣＨ伝送）がネットワークによって正常に受信されたと考えないことがある（及び／又は、ＵＥは、ＨＡＲＱプロセスｉに関連付けられた伝送がネットワークによって正常に受信されたかどうかを判定するためにＤＦＩを使用しないことがある）。検証時間（例：ｃｇ−ｍｉｎＤＦＩＤｅｌａｙ−ｒ１６）は、設定済グラント設定（例えば、各設定済グラント設定）に関連付けられてもよく、設定済グラント設定に基づいて判定されてもよい。
【００３８】
代替的及び／又は追加的に、（例えば、上りリンクＢＷＰにおいて）ＵＥのための複数の設定済グラント設定が導入される。例えば、ＲＡＮ２の進展に従って、いくつかの例において、ＨＡＲＱプロセス（例えば、ある数のＨＡＲＱプロセスに相当する）は、複数の設定済グラント設定によって共有されてもよい。ＨＡＲＱプロセス番号／ＩＤ｛１，２，３｝がＣＧ１とＣＧ２で共有されている例では、ＴＢ（Ｔｒａｎｓｐｏｒｔ  Ｂｌｏｃｋ）の第１の伝送（例えば、初期伝送）がＣＧ１  ＰＵＳＣＨリソースを介して行われ、ＴＢの第２の伝送（例えば、再送）がＣＧ２を介して実行される場合、レイテンシが低減され得る（例えば、ＵＥが第２の伝送を行うために次のＣＧ１  ＰＵＳＣＨリソースを待つ必要がないため、レイテンシが低減され得る）。時間領域におけるそのような設定済グラント（ＣＧ）リソース設定及び／又は割り当ては、図５に示されてもよい。例えば、図５において、ＣＧ２に関連付けられたＰＵＳＣＨリソースは、ＣＧ１に関連付けられた２つの（連続する及び／又は周期的な）ＰＵＳＣＨリソースの間にある（ＣＧ１に関連付けられた２つのＰＵＳＣＨリソースの間の期間は、図５に示すように、ＣＧ１に対する周期性に対応し得る）。図６に示されるようないくつかの例において、設定済グラントに関連付けられた周期的な機会に対して、２つのＰＵＳＣＨ機会（例えば、２つの連続するＰＵＳＣＨ機会）があり得る。図６は、時間領域における設定済グラント（ＣＧ）リソース設定及び／又は割り当てを示しており、ＣＧ１に関連付けられた各周期的機会に対して、２つの連続するＰＵＳＣＨ機会が存在する。いくつかの例において、２つの連続したＰＵＳＣＨの機会は、連続していてもよい（例えば、２つの連続したＰＵＳＣＨの後の方のＰＵＳＣＨの開始シンボルは、２つの連続したＰＵＳＣＨの前の方のＰＵＳＣＨの機会の終了シンボルの後の次のシンボルであってもよい）。代替的及び／又は追加的に、２つの連続するＰＵＳＣＨ機会は、異なるスロット（例えば、異なる連続スロット）において同じ開始シンボル及び／又は同じ長さを有することができる。一例において、２つの連続するＰＵＳＣＨ機会の前の方のＰＵＳＣＨ機会の開始シンボルは、第１のスロットの第５のシンボルであってもよく、２つの連続するＰＵＳＣＨ機会の後の方のＰＵＳＣＨ機会の開始シンボルは、第２のスロットの第５のシンボルであってもよく、第２のスロットは、第１のスロットの後であり得る（例えば、第２のスロットは、第１のスロットの後の次のスロットであり得る）。代替的及び／又は追加的に、前の方のＰＵＳＣＨ機会の長さは、後の方のＰＵＳＣＨ機会の長さと同じであってもよい。
【００３９】
しかし、異なる設定済グラントは、異なる検証時間設定値を有することがある（例えば、各設定済グラントに関連付けられた検証時間（例えば、ｃｇ−ｍｉｎＤＦＩＤｅｌａｙ−ｒ１６）などによる）。図７に示す例では、ＴＢに対して、ＵＥは、ＣＧ１に関連付けられた第１のＰＵＳＣＨ７０６及びＣＧ２に関連付けられた第２のＰＵＳＣＨ７１０を送信することができる。第１のＰＵＳＣＨ７０６及び第２のＰＵＳＣＨ７１０は、ＨＡＲＱプロセス３（ＨＰ３）を介して送信され得る。一例において、ＣＧ１の第１の検証時間がＸとして設定され、ＣＧ２の第２の検証時間がＹとして設定される場合（ＹはＸと異なる）、第１のＤＦＩ７０８（例えば、図７に示すようなＮＡＣＫ）に対して、第１のＰＵＳＣＨ７０６と第１のＤＦＩ７０８を搬送するＰＤＣＣＨとの間の間隔は、検証時間（例えば、第２の検証時間Ｙのような最大検証時間）よりも長いことがある。しかしながら、第２のＤＦＩ７１２（例えば、図７に示すＡＣＫ）に対して、第２のＰＵＳＣＨ７１０と第２のＤＦＩ７１２を搬送するＰＤＣＣＨとの間の間隔は、第１の検証時間Ｘと第２の検証時間Ｙとの間である。第２のＤＦＩ７１０のようにＨＰ３に関連付けられた受信したＤＦＩが有効であるかどうかをＵＥがどのように判定し得るのかが不明確である。図８に示されるように、同様の問題（例えば、受信したＤＦＩが有効であるかどうかをＵＥが判定できないことがある）は、ＨＰ３に関連付けられた動的グラントスケジューリング再送（例えば、ＨＰ３がＣＧ１及びＣＧ２によって共有されていること、及び／又はＨＰ３がＣＧ１及びＣＧ２の両方に設定されていることによる）に対して発生することがある。図８に示す例では、動的グラント（ＤＧ）によってスケジュールされたＨＰ３に関連付けられたＰＵＳＣＨ再送と、第２のＤＦＩを搬送するＰＤＣＣＨとの間の間隔は、第１の検証時間Ｘよりも大きく、第２の検証時間Ｙよりも小さく、したがって、第２のＤＦＩが有効であるかどうかは、ＵＥにとっては不明確であり得る。
【００４０】
上記の問題（例えば、ＵＥが受信したＤＦＩが有効であるかどうかを判定することができないことがある場合）を解決及び／又は対処するために、本明細書において１つ以上のデバイス、システム及び／又は技術が提供される。
【００４１】
第１の概念
【００４２】
第１の概念では、免許不要のスペクトルにおける設定済グラントのため及び／又は共有スペクトルチャネルアクセスを用いるセルにおける動作のための（例えば、ネットワーク（ＮＷ）による）設定に対する制限及び／又は制限があり得る。
【００４３】
いくつかの例において、設定済グラントに設定（及び／又は共有）された１つ以上のＨＡＲＱプロセス番号／ＩＤに対して、各設定済グラント設定の検証時間が同じにすることができる。いくつかの例において、ネットワークは、設定済グラントのセット（例えば、１つ以上の設定済グラントのセット）のうちの設定済グラントに対して異なる検証時間を設定することができない（及び／又は、そうするように設定されない）（及び／又は、設定することが防止される、及び／又は設定することが禁止される）。例えば、ネットワークは、設定済グラントのセットの各設定済グラントに対して同じ検証時間を設定することができる。設定済グラントのセットに属さない設定済グラントに対して、ネットワークは設定済グラントのセットに設定された検証時間とは異なる検証時間を設定することができる。設定済グラントのセットが、第１の設定済グラント設定と第２の設定済グラント設定を含む例では、ＵＥは、第２の設定済グラント設定の検証時間値とは異なる検証時間値を持つ第１の設定済グラント設定を受信することを期待しなくてもよい。いくつかの例において、設定済グラント設定は、ＨＡＲＱプロセス番号／ＩＤのセット（例えば、１つ以上のＨＡＲＱプロセス番号／ＩＤのセット）に関連付けられ得る。例えば、（例えば、ネットワークによって提供される）各設定済グラント設定は、それぞれＨＡＲＱプロセス番号の１セットに関連付けられてもよい。いくつかの例において、ＵＥが設定済グラント設定を介して上りリンク伝送を行うときに、ＵＥは、設定済グラント設定に関連付けられたＨＡＲＱプロセス番号／ＩＤのセットの中から、（例えば、その上りリンク伝送に対する）ＨＡＲＱプロセス番号／ＩＤを選択してもよい。いくつかの例において、設定済グラントのセットは、（例えば、第１の設定済グラント設定に関連付けられた）第１の設定済グラントと（例えば、第２の設定済グラント設定に関連付けられた）第２の設定済グラントを含み、第１の設定済グラント設定のＨＡＲＱプロセス番号／ＩＤのセットと、第２の設定済グラント設定のＨＡＲＱプロセス番号／ＩＤのセットは、少なくとも１つの同じＨＡＲＱプロセス番号／ＩＤを含む。
【００４４】
一例として、ＣＧ１はＨＡＲＱプロセス番号／ＩＤ｛１〜３｝（ＨＡＲＱプロセス番号／ＩＤ１〜３）で設定され、ＣＧ２はＨＡＲＱプロセス番号／ＩＤ｛３〜５｝で設定され、ＣＧ３はＨＡＲＱプロセス番号／ＩＤ｛６〜７｝で設定される。設定済グラントのセットは、ＣＧ１とＣＧ２を含み得る（ＣＧ３を含まなくてもよい）。この例では、ＣＧ１とＣＧ２に対して、ネットワークは、異なる値でＣＧ１とＣＧ２に対する検証時間を設定することができない（及び／又は、そうするように設定されない）（例えば、ネットワークは、ＣＧ１とＣＧ２が同じ検証時間を有するように設定することができる）。ＣＧ３に対して、ネットワークは、ＣＧ１又はＣＧ２に対する検証時間とは異なる値で、ＣＧ３に対する検証時間を設定することができる。
【００４５】
別の例では、ＣＧ１はＨＡＲＱプロセス番号／ＩＤ｛１〜３｝で設定されてもよく、ＣＧ２はＨＡＲＱプロセス番号／ＩＤ｛２〜４｝で設定されてもよく、ＣＧ３はＨＡＲＱプロセス番号／ＩＤ｛３〜５｝で設定されてもよい。この例では、ネットワークがＣＧ１、ＣＧ２、及びＣＧ３に対して異なる検証時間を設定することができなくてもよい（及び／又は、そうするように設定されなくてもよい）（例えば、ネットワークは、同じ検証時間を持つようにＣＧ１、ＣＧ２、及びＣＧ３を設定することができる）。
【００４６】
別の例では、ＣＧ１とＣＧ２はＨＡＲＱプロセス番号／ＩＤ｛１〜３｝で設定され、ＣＧ３とＣＧ４はＨＡＲＱプロセス番号／ＩＤ｛４〜６｝で設定される。この例では、ネットワークは、異なる検証時間でＣＧ１とＣＧ２を設定することができなくてもよく（及び／又は、そうするように設定されなくてもよく）（例えば、ネットワークは、同じ検証時間を持つようにＣＧ１とＣＧ２を設定することができ）、異なる検証時間でＣＧ３とＣＧ４を設定することができなくてもよい（及び／又は、そうするように設定されなくてもよい）（例えば、ネットワークは、同じ検証時間を持つようにＣＧ３とＣＧ４を設定することができる）。代替的及び／又は追加的に、ネットワークは、ＣＧ１及びＣＧ２に対して第１の検証時間を設定することができ、ＣＧ３及びＣＧ４に対して第２の検証時間を設定することができ、第１の検証時間は、第２の検証時間と同じか、又は異なる。
【００４７】
代替的及び／又は追加的に、検証時間（例えば、単一の検証時間）が、免許不要のキャリア及び／又はセル上の１つ以上の上りリンク伝送（例えば、免許不要のキャリア及び／又はセル上のすべての上りリンク伝送）のために設定されてもよい。１つ以上の上りリンク伝送は、１つ以上の動的グラント及び／又は１つ以上の設定済グラントによってスケジュールされ得る。代替的及び／又は追加的に、１つ以上の上りリンク伝送は、１つ以上の設定済グラントに関連付けられてもよい。例えば、パラメータ（例えば、検証時間を含む及び／又は設定する検証時間パラメータ）は、免許不要のキャリア及び／又はセル毎であってもよく、及び／又は設定済グラント毎でなくてもよい。いくつかの例において、免許不要のセル／キャリア上の同じＢＷＰ、又は免許不要のセル／キャリア上の異なるＢＷＰにおける設定済グラント（例えば、異なる設定済グラント）は、免許不要のセル／キャリアに対する検証時間（例えば、単一の検証時間）に関連付けられてもよい。
【００４８】
代替的及び／又は追加的に、検証時間（例えば、単一の検証時間）は、免許不要のキャリア及び／又はセル上のＢＷＰ上の１つ以上の上りリンク伝送（例えば、免許不要のキャリア及び／又はセル上のＢＷＰ上のすべての上りリンク伝送）のために設定され得る。
【００４９】
代替的及び／又は追加的に、検証時間（例えば、１つの検証時間のみ）又は検証時間を設定するためのパラメータ（例えば、検証時間を設定するための１つのパラメータのみ）は、免許不要のキャリア及び／又はセル上のＢＷＰ毎又はＬＢＴ帯域幅毎に設定され得る。例えば、パラメータ（例えば、検証時間を含む及び／又は設定する検証時間パラメータ）は、設定済グラント毎でなくてもよい。ＢＷＰにおける設定済グラント（例えば、異なる設定済グラント）は、ＢＷＰに対する検証時間に関連付けられ得る。
【００５０】
代替的及び／又は追加的に、検証時間（例えば、単一の検証時間）は、免許不要のキャリア及び／又はセルに対する１つ以上の設定済グラントに関連付けられたＨＡＲＱプロセス番号／ＩＤに設定され得る（例えば、ＨＡＲＱプロセス番号／ＩＤは、免許不要のキャリア及び／又はセルに対する１つ以上の設定済グラントに関連付けられたすべてのＨＡＲＱプロセス番号／ＩＤを含んでもよく、及び／又はある数のＨＡＲＱプロセス番号／ＩＤに相当するＨＡＲＱプロセス番号／ＩＤを含んでもよい）。
【００５１】
図９に示す例では、ＵＥは、免許不要のキャリア及び／又はセル上のＢＷＰ上で複数の設定済グラントで設定される。複数の設定済グラントは、ＣＧ１〜ＣＧ３（設定済グラント１〜３）、及び／又は、ＣＧ１、ＣＧ２、及びＣＧ３に加えて、１つ以上の設定済グラントを含む。ＣＧ１はＨＡＲＱプロセス｛２〜５｝、ＣＧ２はＨＡＲＱプロセス｛５〜８｝、ＣＧ３はＨＡＲＱプロセス｛７〜９｝を伴う。
【００５２】
いくつかの例において、最小ＤＦＩ時間遅延は、各キャリアに対して、各セルに対して、又は免許不要のセル上の各ＢＷＰに対して、ＵＥに設定され得る。代替的及び／又は追加的に、最小ＤＦＩ時間遅延は、免許不要のセル上の各ＬＢＴ帯域幅に対してＵＥに設定されてもよい。
【００５３】
いくつかの例において、各設定済グラントは、それぞれ最小ＤＦＩ時間遅延で設定されてもよい（例えば、ＣＧ１は、最小ＤＦＩ時間遅延１で設定されてもよく、ＣＧ２は、最小ＤＦＩ時間遅延２で設定されてもよく、及び／又はＣＧ３は、最小ＤＦＩ時間遅延３で設定されてもよい）。いくつかの例において、ネットワークは、異なる値を持つＣＧ１、ＣＧ２及びＣＧ３に対して、最小ＤＦＩ時間遅延を設定することができない（及び／又は、そうするように設定されない）（例えば、ＣＧ１、ＣＧ２及びＣＧ３に対する最小ＤＦＩ時間遅延は同じであってもよい）。例えば、最小ＤＦＩ時間遅延１＝最小ＤＦＩ時間遅延２＝最小ＤＦＩ時間遅延３である。
【００５４】
いくつかの例において、ＣＧ１、ＣＧ２、及びＣＧ３のうちの少なくとも１つの設定済グラントは、最小ＤＦＩ時間遅延で設定される。一例では、ＣＧ１は、最小ＤＦＩ時間遅延（例えば、最小ＤＦＩ時間遅延１）で設定される。ＣＧ２及びＣＧ３は、最小ＤＦＩ時間遅延で設定されなくてもよい（例えば、ＣＧ２及びＣＧ３に対して最小ＤＦＩ時間遅延を設定及び／又はセッティングするためのパラメータが存在しなくてもよい）。ＣＧ２及びＣＧ３に対する最小ＤＦＩ時間遅延は、（ＣＧ１に対する）最小ＤＦＩ時間遅延１に基づいて判定され得る。
【００５５】
いくつかの例において、ＣＧ１、ＣＧ２、及びＣＧ３のうちの少なくとも１つの設定済グラントが、最小ＤＦＩ時間遅延で設定される。例では、ＣＧ１とＣＧ３の各設定済グラントは、それぞれ最小ＤＦＩ時間遅延を設定される（例えば、ＣＧ１は最小ＤＦＩ時間遅延１で設定され、及び／又はＣＧ３は最小ＤＦＩ時間遅延３で設定される）。ネットワークは、ＣＧ１とＣＧ３に対して、異なる値である最小ＤＦＩ時間遅延を設定することができなくてもよい（及び／又は、そうするように設定されなくてもよい）。例えば、ネットワークは、最小ＤＦＩ時間遅延１が最小ＤＦＩ時間遅延３と等しくなるように、ＣＧ１に対して最小ＤＦＩ時間遅延１を、ＣＧ３に対して最小ＤＦＩ時間遅延３を設定することができる。ネットワーク及び／又はＵＥは、ＣＧ１に対する最小ＤＦＩ時間遅延１に基づいて、又はＣＧ３に対する最小ＤＦＩ時間遅延３に基づいて、ＣＧ２に対する最小ＤＦＩ時間遅延を判定することができる（例えば、ＣＧ２に対する最小ＤＦＩ時間遅延は、ＣＧ１に対する最小ＤＦＩ時間遅延１及びＣＧ３に対する最小ＤＦＩ時間遅延３と同じであり得る）。代替的には、ネットワーク及び／又はＵＥは、最小ＤＦＩ時間遅延１及び最小ＤＦＩ時間遅延３のうちの最小時間遅延値又は最大時間遅延値に基づいて、ＣＧ２に対する最小ＤＦＩ時間遅延を判定することができる（例えば、ＣＧ２に対する最小ＤＦＩ時間遅延は、ＣＧ１に対する最小ＤＦＩ時間遅延１及びＣＧ３に対する最小ＤＦＩ時間遅延のうちの最小時間遅延値又は最大時間遅延値と同じであり得る）。
【００５６】
いくつかの例において、各設定済グラントは、それぞれ最小ＤＦＩ時間遅延で設定されてもよい（例えば、ＣＧ１は最小ＤＦＩ時間遅延１で設定されてもよく、ＣＧ２は最小ＤＦＩ時間遅延２で設定されてもよく、及び／又はＣＧ３は最小ＤＦＩ時間遅延３で設定されてもよい）。ＨＡＲＱプロセス番号／ＩＤ｛５｝（ＣＧ１及びＣＧ２に設定されている）に対して、ＵＥ及び／又はネットワークは、最小ＤＦＩ時間遅延１及び最小ＤＦＩ時間遅延２のうちの最小時間遅延値又は最大時間遅延値に基づいて、最小ＤＦＩ時間遅延を判定することができる。ＨＡＲＱプロセス番号／ＩＤ｛７，８｝（ＣＧ２及びＣＧ３に設定されている）に対して、ＵＥ及び／又はネットワークは、最小ＤＦＩ時間遅延２及び最小ＤＦＩ時間遅延３のうちの最小時間遅延値又は最大時間遅延値に基づいて、最小ＤＦＩ時間遅延を判定することができる。ＨＡＲＱプロセス番号／ＩＤ｛２，３，４｝（ＣＧ１に設定されている）については、ＵＥ及び／又はネットワークは、ＣＧ１に基づいて最小ＤＦＩ時間遅延を判定することができる（例えば、最小ＤＦＩ時間遅延は最小ＤＦＩ時間遅延１であると判定され得る）。ＨＡＲＱプロセス番号／ＩＤ｛６｝（ＣＧ２に設定されている）については、ＵＥ及び／又はネットワークは、ＣＧ２に基づいて最小ＤＦＩ時間遅延を判定することができる（例えば、最小ＤＦＩ時間遅延は最小ＤＦＩ時間遅延２であると判定され得る）。ＨＡＲＱプロセス番号／ＩＤ｛９｝（ＣＧ３に設定されている）については、ＵＥ及び／又はネットワークは、ＣＧ３に基づいて最小ＤＦＩ時間遅延を判定することができる（例えば、最小ＤＦＩ時間遅延は最小ＤＦＩ時間遅延３であると判定され得る）。
【００５７】
いくつかの例において、第１の設定済グラントと第２の設定済グラントに対する共有ＨＡＲＱプロセス番号／ＩＤに対して、ネットワークは、第１の設定済グラントと第２の設定済グラントのうちの設定済グラント（例えば、１つの設定済グラント）を、最小ＤＦＩ時間遅延で設定しなくてもよい。いくつかの例において、ネットワーク及び／又はＵＥは、明示的に設定された設定済グラントに基づいて明示的に設定されていない設定済グラントに対する最小ＤＦＩ時間遅延を判定することができる。図１０に示す例では、ＣＧ１及びＣＧ２は、ＨＡＲＱプロセス番号／ＩＤ｛４，５｝を共有している。ネットワークは、ＣＧ１に対する最小ＤＦＩ時間遅延（例えば、最小ＤＦＩ時間遅延１）を持つＣＧ１でＵＥを設定する。ネットワークは、ＣＧ２に対する最小ＤＦＩ時間遅延を設定及び／又はセッティングせずに（例えば、明示的に設定及び／又はセッティングせずに）、ＣＧ２でＵＥを設定する。ネットワーク及び／又はＵＥは、最小ＤＦＩ時間遅延１に基づいて、ＣＧ２に対する最小ＤＦＩ時間遅延を判定する。
【００５８】
いくつかの例において、ネットワークは、キャリア及び／又はセル上で共有スペクトルチャネルアクセスを用いて動作する。代替的及び／又は追加的に、ネットワークは、免許不要のキャリア及び／又はセルにおいて通信を行ってもよい（例えば、ネットワークが共有スペクトルチャネルアクセスを用いて動作するキャリア及び／又はセルは、免許不要のキャリア及び／又はセルであってもよい）。免許不要のキャリア及び／又はセルにおいて通信を行うネットワークは、ネットワークが、免許ありのキャリア及び／又はセルのように免許不要のキャリア及び／又はセルを常に制御できるわけではない（及び／又は、制御が可能であるわけではない）ことを意味及び／又は示唆する。ネットワークは、キャリア及び／又はセル上の１つ以上の上りリンク伝送に対する複数の設定済グラントでＵＥを設定する。複数の設定済グラントは、第１の設定済グラントと第２の設定済グラント（及び／又は、第１の設定済グラントと第２の設定済グラントに加えて、１つ以上の他の設定済グラント）を含む。ネットワークは、複数の設定済グラントの各設定済グラントに対して最小ＤＦＩ時間遅延を設定及び／又はセッティングするためのパラメータ（例えば、１つのパラメータ）でＵＥを設定することができる（例えば、複数の設定済グラントの各設定済グラントに対して、ネットワークは、設定済グラントに対して最小ＤＦＩ時間遅延を設定及び／又はセッティングするために、１つのパラメータなどのパラメータでＵＥを設定することができる）。代替的及び／又は追加的に、ネットワークは、複数の設定済グラントの各設定済グラントに対して、ＨＡＲＱプロセス番号／ＩＤのセット（例えば、ＨＡＲＱプロセス番号／ＩＤの１セット）でＵＥを設定することができ、ＨＡＲＱプロセス番号／ＩＤのセットは、１つ以上のＨＡＲＱプロセス番号／ＩＤを含む（例えば、複数の設定済グラントの各設定済グラントに対して、ネットワークは、ＨＡＲＱプロセス番号／ＩＤの１セットのなどの、ＨＡＲＱプロセス番号／ＩＤのセットでＵＥを設定することができる）。ネットワークは、第１の設定済グラント及び第２の設定済グラントに対する（最小ＤＦＩ時間遅延を設定及び／又はセッティングするための）パラメータでＵＥに設定する（例えば、パラメータは、第１の設定済グラントに対する最小ＤＦＩ時間遅延を設定及び／又はセッティングするための第１のパラメータ、及び／又は第２の設定済グラントに対する最小ＤＦＩ時間遅延を設定及び／又はセッティングするための第２のパラメータを含み得る）。ＨＡＲＱプロセス番号／ＩＤ（例えば、任意のＨＡＲＱプロセス番号／ＩＤ）が、第１の設定済グラントと第２の設定済グラントによって共有される場合、ネットワークは、第１の設定済グラントと第２の設定済グラントに対して同じ値を持つようにパラメータを設定する。いくつかの例において、ＨＡＲＱプロセス番号／ＩＤ（例えば、任意のＨＡＲＱプロセス番号／ＩＤ）が第１の設定済グラントと第２の設定済グラントによって共有される場合、ネットワークは、第１の設定済グラントと第２の設定済グラントに対して異なる値を持つようにパラメータを設定することができない（及び／又は、そうするように設定されない）（及び／又は、設定することが防止される、及び／又は設定することが禁止される）。
【００５９】
いくつかの例において、ネットワークは、キャリア及び／又はセル上で共有スペクトルチャネルアクセスを用いて動作する。代替的及び／又は追加的に、ネットワークは、免許不要のキャリア及び／又はセルにおいて通信を行ってもよい（例えば、ネットワークが共有スペクトルチャネルアクセスを用いて動作するキャリア及び／又はセルは、免許不要のキャリア及び／又はセルであってもよい）。免許不要のキャリア及び／又はセルにおいて通信を行うネットワークは、ネットワークが、免許ありのキャリア及び／又はセルのように免許不要のキャリア及び／又はセルを常に制御できるわけではない（及び／又は、制御が可能であるわけではない）ことを意味及び／又は示唆する。ネットワークは、キャリア及び／又はセル上の第１のＢＷＰ上の１つ以上の上りリンク伝送に対して、第１の複数の設定済グラントでＵＥを設定する。ネットワークは、免許不要のキャリア及び／又はセル上の第２のＢＷＰ上の１つ以上の上りリンク伝送に対して、第２の複数の設定済グラントでＵＥを設定する。ネットワークは、第１のＢＷＰ及び第２のＢＷＰを含む複数のＢＷＰの各ＢＷＰに対して最小ＤＦＩ時間遅延を設定及び／又はセッティングするためのパラメータ（例えば、１つのパラメータ）でＵＥを設定することができ（例えば、複数のＢＷＰの各ＢＷＰに対して、ネットワークは、ＢＷＰ上の設定済グラントに対して最低ＤＦＩ時間遅延をセッティングするなど、ＢＷＰに対して最小ＤＦＩ時間遅延を設定及び／又はセッティングするための１つのパラメータなどのパラメータでＵＥを設定してもよい）。代替的及び／又は追加的に、複数のＢＷＰの各ＢＷＰ上の設定済グラントに対して、ＨＡＲＱプロセス番号／ＩＤのセット（例えば、ＨＡＲＱプロセス番号／ＩＤの１セット）でＵＥを設定することができ（例えば、複数の設定済グラントの各設定済グラントは、第１の複数の設定済グラント及び／又は第２の複数の設定済グラントを含む）、ＨＡＲＱプロセス番号／ＩＤのセットが１つ以上のＨＡＲＱプロセス番号／ＩＤを含む（例えば、複数の設定済グラントの各設定済グラントに対して、ネットワークは、ＨＡＲＱプロセス番号／ＩＤの１セットなどのＨＡＲＱプロセス番号／ＩＤのセットでＵＥを設定することができる）。１つ以上のＨＡＲＱプロセス番号／ＩＤが、ＢＷＰ上の異なる設定済グラント間で共有される。
【００６０】
いくつかの例において、ネットワークは、キャリア及び／又はセル上で共有スペクトルチャネルアクセスを用いて動作する。代替的及び／又は追加的に、ネットワークは、免許不要のキャリア及び／又はセルにおいて通信を行ってもよい（例えば、ネットワークが共有スペクトルチャネルアクセスを用いて動作するキャリア及び／又はセルは、免許不要のキャリア及び／又はセルであってもよい）。免許不要のキャリア及び／又はセルにおいて通信を行うネットワークは、ネットワークが、免許ありのキャリア及び／又はセルのように免許不要のキャリア及び／又はセルを常に制御できるわけではない（及び／又は、制御が可能であるわけではない）ことを意味及び／又は示唆する。ネットワークは、キャリア及び／又はセル上の１つ以上の上りリンク伝送に対する複数の設定済グラントでＵＥを設定する。複数の設定済グラントは、第１の設定済グラントと第２の設定済グラント（及び／又は、第１の設定済グラントと第２の設定済グラントに加えて、１つ以上の他の設定済グラント）を含む。ネットワークは、複数の設定済グラントの各設定済グラントに対して、ＨＡＲＱプロセス番号／ＩＤのセット（例えば、ＨＡＲＱプロセス番号／ＩＤの１セット）でＵＥを設定することができ、ＨＡＲＱプロセス番号／ＩＤのセットは、１つ以上のＨＡＲＱプロセス番号／ＩＤを含む（例えば、複数の設定済グラントの各設定済グラントに対して、ネットワークは、ＨＡＲＱプロセス番号／ＩＤの１セットのなどの、ＨＡＲＱプロセス番号／ＩＤのセットでＵＥを設定することができる）。代替的及び／又は追加的に、ＨＡＲＱプロセス番号／ＩＤ（例えば、任意のＨＡＲＱプロセス番号／ＩＤ）が、第１の設定済グラント及び第１の設定済グラントによって共有される場合、ネットワークは、第１の設定済グラント及び第２の設定済グラントに適用可能なパラメータ（例えば、１つのパラメータ）を設定することができる。このパラメータは、第１の設定済グラントと第２の設定済グラントに対して第１の最小ＤＦＩ時間遅延を設定及び／又はセッティングするために使用される。一例として、複数の設定済グラントは、第３の設定済グラントを含み、第３の設定済グラントは、第１の設定済グラントとの共有ＨＡＲＱプロセス番号／ＩＤを持たず、第２の設定済グラントとの共有ＨＡＲＱプロセス番号／ＩＤを持たない。ネットワークは、第３の設定済グラントに対して、第２の最小ＤＦＩ時間遅延を設定及び／又はセッティングするためのパラメータ（例えば、１つのパラメータ）でＵＥを設定することができる。第３の設定済グラントに対する第２の最小ＤＦＩ時間遅延は、第１の設定済グラント及び第２の設定済グラントに対する第１の最小ＤＦＩ時間遅延とは異なり得る（たとえば、第３の設定済グラントは、第１の設定済グラントとの共有のＨＡＲＱプロセス番号／ＩＤを持たず、第２の設定済グラントと共有のＨＡＲＱプロセス番号／ＩＤを持たない）。
【００６１】
いくつかの例において、ＵＥは、キャリア及び／又はセル上で共有スペクトルチャネルアクセスを用いて動作する。ＵＥは、キャリア及び／又はセル上の１つ以上の上りリンク伝送に対する複数の設定済グラントでＵＥを設定するための設定（例えば、ネットワークによって生成及び／又は送信される設定）を受信する（例えば、設定は、複数の設定済グラントでＵＥを設定することができる）。複数の設定済グラントは、第１の設定済グラントと第２の設定済グラント（及び／又は、第１の設定済グラントと第２の設定済グラントに加えて、１つ以上の他の設定済グラント）を含む。いくつかの例において、設定は、複数の設定済グラントの各設定済グラントに対して、最小ＤＦＩ時間遅延を設定及び／又はセッティングするためのパラメータ（例えば、１つのパラメータ）でＵＥを設定する（例えば、複数の設定済グラントの各設定済グラントに対して、設定は、設定済グラントに対して、最小ＤＦＩ時間遅延を設定及び／又はセッティングするために、１つのパラメータなどのパラメータでＵＥに設定することができる）。代替的及び／又は追加的に、設定は、複数の設定済グラントの各設定済グラントに対して、ＨＡＲＱプロセス番号／ＩＤのセット（例えば、ＨＡＲＱプロセス番号／ＩＤの１セット）でＵＥを設定し、ＨＡＲＱプロセス番号／ＩＤのセットは、１つ以上のＨＡＲＱプロセス番号／ＩＤを含む（例えば、複数の設定済グラントの各設定済グラントに対して、設定は、ＨＡＲＱプロセス番号／ＩＤの１セットなどのＨＡＲＱプロセス番号／ＩＤのセットでＵＥを設定してもよい）。いくつかの例において、ＨＡＲＱプロセス番号／ＩＤが第１の設定済グラントと第２の設定済グラントで共有される場合、ＵＥは、最小時間遅延値、最大時間遅延値、又は（設定の）第１の設定済グラントと第２の設定済グラントのパラメータで示される最小ＤＦＩ時間遅延値の平均時間遅延値に基づいて、（第１の設定済グラントと第２の設定済グラントによって共有される共有ＨＡＲＱプロセス番号／ＩＤに対して）最小ＤＦＩ時間遅延を判定する。設定済グラントの動的グラントスケジューリング再送（例えば、ＣＳ−ＲＮＴＩ  （Ｃｏｎｆｉｇｕｒｅｄ  Ｓｃｈｅｄｕｌｉｎｇ  Ｒａｄｉｏ  Ｎｅｔｗｏｒｋ  Ｔｅｍｐｏｒａｒｙ  Ｉｄｅｎｔｉｆｉｅｒ  （ＲＮＴＩ）によってスクランブルされたＤＣＩ、トグルされていないＮＤＩ、同じＨＡＲＱプロセス、及び／又は同じＴＢ）に対して、ＵＥは、時間領域における最新の設定済グラント及び／又はＴＢに対する時間領域における最新の使用及び／又は送信の設定済グラントに基づいて、動的グラントに対する最小ＤＦＩ時間遅延を判定する。第２の設定済グラントが、ＴＢのための最新の使用、及び／又は送信の設定済グラントである場合、ＵＥがＤＦＩのＨＡＲＱ情報を検証するために、第２の設定済グラントに関連付けられた最小ＤＦＩ時間遅延が判定される。
【００６２】
いくつかの例において、ネットワークは、キャリア及び／又はセル上で共有スペクトルチャネルアクセスを用いて動作する。代替的及び／又は追加的に、ネットワークは、免許不要のキャリア及び／又はセルにおいて通信を行ってもよい（例えば、ネットワークが共有スペクトルチャネルアクセスを用いて動作するキャリア及び／又はセルは、免許不要のキャリア及び／又はセルであってもよい）。免許不要のキャリア及び／又はセルにおいて通信を行うネットワークは、ネットワークが、免許ありのキャリア及び／又はセルのように免許不要のキャリア及び／又はセルを常に制御できるわけではない（及び／又は、制御が可能であるわけではない）ことを意味及び／又は示唆する。ネットワークは、キャリア及び／又はセル上の１つ以上の上りリンク伝送に対する複数の設定済グラントでＵＥを設定する。複数の設定済グラントの各設定済グラントは、最小ＤＦＩ時間遅延を設定するためのパラメータ（例えば、１つのパラメータ）を含む。ネットワークは、設定済グラントのセットのうちの設定済グラント（例えば、複数の設定済グラントのうちの設定済グラントセットであって、ＨＡＲＱプロセス番号／ＩＤは設定済グラントのセットのうちの設定済グラントによって共有される）に対して、異なる値（例えば、異なる最小ＤＦＩ時間遅延）でパラメータ（例えば、最小ＤＦＩ時間遅延を設定するためのパラメータ）を設定することができなくてもよい（及び／又は、そうするように設定されなくてもよい）。
【００６３】
いくつかの例において、ＵＥは、キャリア及び／又はセル上で共有スペクトルチャネルアクセスを用いて動作する。ＵＥは、ネットワークによって、キャリア及び／又はセル上の１つ以上の上りリンク伝送に対する複数の設定済グラントで設定される。複数の設定済グラントの構成された各グラントは、最小ＤＦＩ時間遅延を設定するためのパラメータ（例えば、１つのパラメータ）を含む。ＵＥは、設定済グラントのセットのうちの設定済グラント（例えば、複数の設定済グラントのうちの設定済グラントセットであって、ＨＡＲＱプロセス番号／ＩＤは設定済グラントのセットのうちの設定済グラントによって共有される）に対して、異なる値（例えば、異なる最小ＤＦＩ時間遅延）を持つパラメータ  （例えば、最小ＤＦＩ時間遅延を設定するためのパラメータ）で設定されることを期待しない。
【００６４】
いくつかの例において、ネットワークは、キャリア及び／又はセル上で共有スペクトルチャネルアクセスを用いて動作する。代替的及び／又は追加的に、ネットワークは、免許不要のキャリア及び／又はセルにおいて通信を行ってもよい（例えば、ネットワークが共有スペクトルチャネルアクセスを用いて動作するキャリア及び／又はセルは、免許不要のキャリア及び／又はセルであってもよい）。免許不要のキャリア及び／又はセルにおいて通信を行うネットワークは、ネットワークが、免許ありのキャリア及び／又はセルのように免許不要のキャリア及び／又はセルを常に制御できるわけではない（及び／又は、制御が可能であるわけではない）ことを意味及び／又は示唆する。ネットワークは、キャリア及び／又はセル上の１つ以上の上りリンク伝送に対する複数の設定済グラントでＵＥを設定する。複数の設定済グラントは、第１の設定済グラントと、少なくとも１つの共有ＨＡＲＱプロセス番号／ＩＤ（例えば、第１の設定済グラントと第２の設定済グラントによって共有されるＨＡＲＱプロセス番号／ＩＤ）を持つ第２の設定済グラントとを含む。第１の設定済グラントは、第１の設定済グラント（及び／又は第２の設定済グラント）に対する最小ＤＦＩ時間遅延をセッティングするためのパラメータを使用して設定されている、及び／又はこれに関連付けられている。第２の設定済グラントは、第２の設定済グラントに対する最小ＤＦＩ時間遅延を設定するためのパラメータを使用して設定されていない、及び／又はこれに関連付けられていない。例えば、第２の設定済グラントに対する最小ＤＦＩ時間遅延は、第１の設定済グラントに関連付けられたパラメータ（例えば、第１の設定済グラントに対する最小ＤＦＩ時間遅延をセッティングするためのパラメータ）に基づいて判定されてもよい。
【００６５】
いくつかの例において、ＵＥは、キャリア及び／又はセル上で共有スペクトルチャネルアクセスを用いて動作する。ＵＥは、ネットワークによって、キャリア又はセル上の１つ以上の上りリンク伝送に対する複数の設定済グラントで設定される。複数の設定済グラントは、第１の設定済グラントと、少なくとも１つの共有ＨＡＲＱプロセス番号／ＩＤ（例えば、第１の設定済グラントと第２の設定済グラントによって共有されるＨＡＲＱプロセス番号／ＩＤ）を持つ第２の設定済グラントとを含む。第１の設定済グラントは、第１の設定済グラント（及び／又は第２の設定済グラント）に対する最小ＤＦＩ時間遅延をセッティングするためのパラメータを使用して設定されている、及び／又はこれに関連付けられている。第２の設定済グラントは、第２の設定済グラントに対する最小ＤＦＩ時間遅延を設定するためのパラメータを使用して設定されていない、及び／又はこれに関連付けられていない。例えば、第２の設定済グラントに対する最小ＤＦＩ時間遅延は、第１の設定済グラントに関連付けられたパラメータ（例えば、第１の設定済グラントに対する最小ＤＦＩ時間遅延をセッティングするためのパラメータ）に基づいて判定されてもよい。
【００６６】
いくつかの例において、ネットワークは、第２の設定済グラントに関連付けられたパラメータ（例えば、１つのパラメータ）をセッティングせずに、第１の設定済グラントと第２の設定済グラントに対して、同じ最小ＤＦＩ時間遅延でＵＥを設定する。いくつかの例において、第２の設定済グラントの最小ＤＦＩ時間遅延を設定するためのパラメータはありません。いくつかの例において、ＵＥは、第１の設定済グラントに関連付けられたパラメータに基づいて、第２の設定済グラントに対する最小ＤＦＩ時間遅延を判定する。いくつかの例において、第２の設定済グラントに対する最小ＤＦＩ時間遅延は、第１の設定済グラントに対する最小ＤＦＩ時間遅延と同じである。
【００６７】
いくつかの例において、ネットワークは、複数の設定済グラントに対して１つ以上のＨＡＲＱプロセス番号／ＩＤでＵＥを設定する。代替的及び／又は追加的に、ＵＥは、ネットワークによって、複数の設定済グラントに対して、１つ以上のＨＡＲＱプロセス番号／ＩＤで設定される。いくつかの例において、１つ以上のＨＡＲＱプロセス番号／ＩＤは、複数の設定済グラントに対して共通である。複数の設定済グラントの各設定済グラントに対して、ネットワークは、ＨＡＲＱプロセス番号／ＩＤのセット（例えば、ＨＡＲＱプロセス番号／ＩＤの１セット）でＵＥを設定し、及び／又はＵＥは、ネットワークによって、複数の設定済グラントの各設定済グラントに対して、ＨＡＲＱプロセス番号／ＩＤのセット（例えば、ＨＡＲＱプロセス番号／ＩＤの１セット）で設定される。設定済グラントのセットは、複数の設定済グラントのうちの任意の２つの設定済グラント（及び／又は３つ以上の設定済グラント）を含み得る。設定済グラントのセットのうちの設定済グラントは、少なくとも１つの同じＨＡＲＱプロセス番号／ＩＤに関連付けられる（例えば、設定済グラントのセットのうちの設定済グラントに関連付けられたＨＡＲＱプロセス番号／ＩＤの各セットは、少なくとも１つの同じＨＡＲＱプロセス番号／ＩＤを含み得る）。複数の設定済グラントは、第１の設定済グラントと第２の設定済グラントを含む。第１の設定済グラントは、ＨＡＲＱプロセス番号の第１のセットに関連付けられる、及び／又は第２の設定済グラントは、ＨＡＲＱプロセス番号／ＩＤの第２のセットに関連付けられる。一例では、ＨＡＲＱプロセス番号／ＩＤの第１のセットとＨＡＲＱプロセス番号／ＩＤの第２のセットの両方が少なくとも１つの同じＨＡＲＱプロセス番号／ＩＤを含む場合、設定済グラントのセットは、第１の設定済グラントと第２の設定済グラントを含む。設定済グラントのセットは、複数の設定済グラントのうちのものか、及び／又はこれに含まれる。（例えば、複数の設定済グラントのうちであって、）設定済グラントのセットに含まれない第３の設定済グラントに対して、ネットワークは、パラメータ（例えば、第３の設定済グラントの最小ＤＦＩ時間遅延をセッティングするためのパラメータ）が、第１の設定済グラントと第２の設定済グラントの最小ＤＦＩ時間遅延とは異なる値を持つように設定し得る（及び／又は設定することができる）。第３の設定済グラントに関連付けられたＨＡＲＱプロセス番号／ＩＤの第３のセットは、ＨＡＲＱプロセス番号／ＩＤの第１のセットのＨＡＲＱプロセス番号／ＩＤ（例えば、任意のＨＡＲＱプロセス番号／ＩＤ）を含まなくてもよく、ＨＡＲＱプロセス番号／ＩＤの第２のセットのＨＡＲＱプロセス番号／ＩＤ（例えば、任意のＨＡＲＱプロセス番号／ＩＤ）を含まなくてもよい（例えば、ＨＡＲＱプロセス番号／ＩＤの第３のセットのＨＡＲＱプロセス番号／ＩＤは、設定済グラントのセットに関連付けられた任意のＨＡＲＱプロセス番号／ＩＤと重複しない）。設定済グラントの異なるセット（例えば、設定済グラントの異なるセットは、複数の設定済グラントのうち、設定済グラントのセット以外の設定済グラントを含み得る）に対して、ネットワークは、設定済グラントのセットのうちの設定済グラントに対するパラメータが同じであるようにＵＥを設定し（例えば、設定済グラントのセットのうちの設定済グラントに対するパラメータは、同じ最小ＤＦＩ時間遅延を示す）、設定済グラントの異なるセットの任意の２つ（又は３つ以上）の設定済グラントに対するパラメータは、同じであるか、又は異なる（例えば、設定済グラントの異なるセットのうちの設定済グラントに対するパラメータは、同じ最小ＤＦＩ時間遅延又は異なる最小ＤＦＩ時間遅延を示す）。
【００６８】
ネットワークは、複数の設定済グラントを設定するための１つ以上の信号を送信し、及び／又はＵＥは、複数の設定済グラントを設定するための１つ以上の信号を受信する。ネットワークは、第１のリソース上で第１の上りリンク伝送を受信し、及び／又はネットワークは、第２のリソース上で第２の上りリンク伝送を受信する。代替的及び／又は追加的に、ＵＥは、第１のリソース上で第１の上りリンク伝送を送信し、及び／又はＵＥは、第２のリソース上で第２の上りリンク伝送を送信する。第１の上りリンク伝送及び／又は第２の上りリンク伝送は、同じＵＥによって送信される（及び／又は、そこから受信される）。いくつかの例において、第１の上りリンク伝送及び／又は第２の上りリンク伝送は、同じＴＢを送達及び／又は搬送する。第１の上りリンク伝送と第２の上りリンク伝送は、同一のＨＡＲＱプロセス番号／ＩＤを持つ。いくつかの例において、第１の上りリンク伝送は、時間領域において第２の上りリンク伝送より早い。代替的及び／又は追加的に、第１の上りリンク伝送は、ＴＢの初期送信であってもよく、第２の上りリンク伝送は、ＴＢの再送であってもよい。ネットワークは、第１のスロットにおいて第１のＰＤＣＣＨ及び／又は第２のスロットにおいて第２のＰＤＣＣＨを送信することができる。代替的及び／又は追加的に、ＵＥは、第１のスロットにおいて第１のＰＤＣＣＨ及び／又は第２のスロットにおいて第２のＰＤＣＣＨを受信することができる。第１のスロット及び／又は第１のＰＤＣＣＨは、時間領域において第１の上りリンク伝送の後及び／又はそれより遅く、第２のスロット及び／又は第２のＰＤＣＣＨは、時間領域において第２の上りリンク伝送の後及び／又はそれより遅い。第１のＰＤＣＣＨは、第１のＤＦＩを含む及び／又は示し、第２のＰＤＣＣＨは、第２のＤＦＩを含む及び／又は示す。第１の上りリンク伝送及び／又は第１のリソースは、第１の設定済グラントに関連付けられる、及び／又はそれに基づいて判定される。第２の上りリンク伝送及び／又は第２のリソースは、第２の設定済グラントに関連付けられる、及び／又はそれに基づいて判定される。代替的及び／又は追加的に、第２の上りリンク伝送及び／又は第２のリソースは、第２の動的グラント（例えば、動的スケジューリンググラント）に関連付けられてもよい、及び／又は、それに基づいて判定されてもよい（及び／又は、スケジュールされてもよい）。第１のＤＦＩ及び／又は第２のＤＦＩは、ＨＡＲＱ情報がないことを示すか、又は１つ以上のＨＡＲＱ情報を示す１つ以上のビットを含む及び／又は提供することができる。１つ以上のビットの数は１６ビットであり得る。代替的及び／又は追加的に、１つ以上のビットのビットの数は、キャリア及び／又はセルに対するＨＡＲＱプロセス番号／ＩＤの量（及び／又は数）に等しくてもよい。代替的及び／又は追加的に、１つ以上のビットのビットの数は、キャリア及び／又はセル上の設定済グラントに関連付けられた上りリンク伝送に使用され得るＨＡＲＱプロセス番号／ＩＤの量（例えば、その数）に等しくてもよい。
【００６９】
いくつかの例において、ネットワークは、第１のＤＦＩが、第１の間隔（例えば、第１のＤＦＩと第１のリソースとの間の時間長及び／又は距離などの間隔）に基づいて、かつ第１の最小ＤＦＩ時間遅延に基づいて、第１の上りリンク伝送に応答するＨＡＲＱ情報を含む及び／又は提供するかどうかを判定し、第１の最小ＤＦＩ時間遅延は、（例えば、第１の最小ＤＦＩ時間遅延を設定するため）パラメータに関連付けられ、及び／又は、第１の設定済グラント及び／又は第２の設定済グラントに関連付けられる。いくつかの例において、ネットワークは、第２のＤＦＩが、第２の間隔（例えば、第２のＤＦＩと第２のリソースとの間の時間長及び／又は距離などの間隔）に基づいて、かつ第２の最小ＤＦＩ時間遅延に基づいて、第２の上りリンク伝送に応答するＨＡＲＱ情報を含む及び／又は提供するかどうかを判定し、第２の最小ＤＦＩ時間遅延は、（例えば、第２の最小ＤＦＩ時間遅延を設定するため）パラメータに関連付けられ、及び／又は、第１の設定済グラント及び／又は第２の設定済グラントに関連付けられる。一例では、第１の設定済グラントと第２の設定済グラントが設定済グラントのセットに含まれている場合、及び／又は第１の設定済グラントと第２の設定済グラントが同じＨＡＲＱプロセス番号／ＩＤを共有する場合、第２の最小ＤＦＩ時間遅延は第１の最小ＤＦＩ時間遅延と同じである。
【００７０】
いくつかの例において、ＵＥは、第１のＤＦＩが、第１の間隔及び第１の最小ＤＦＩ時間遅延に基づいて、第１の上りリンク伝送に応答するＨＡＲＱ情報を含む及び／又は提供するかどうかを判定する。いくつかの例において、ＵＥは、第２のＤＦＩが、第２の間隔及び第２の最小ＤＦＩ時間遅延に基づいて、第２の上りリンク伝送に応答するＨＡＲＱ情報を含む及び／又は提供するかどうかを判定する。
【００７１】
いくつかの例において、ＵＥは、第１のＤＦＩが、第１の間隔及び第１の最小ＤＦＩ時間遅延に基づいて、第１の上りリンク伝送に応答する有効なＨＡＲＱ情報を含む及び／又は提供するかどうかを判定する。いくつかの例において、ＵＥは、第２のＤＦＩが、第２の間隔及び第２の最小ＤＦＩ時間遅延に基づいて、第２の上りリンク伝送に応答する有効なＨＡＲＱ情報を含む及び／又は提供するかどうかを判定する。
【００７２】
いくつかの例において、第１の間隔は、第１のＰＤＣＣＨの初期シンボル（例えば、第１のＰＤＣＣＨの初期シンボルの開始シンボル境界）と第１のリソースの最後のシンボル（例えば、終了シンボル）  （例えば、第１のリソースの最終シンボルの終了シンボル境界）との間である。
【００７３】
いくつかの例において、第２の間隔は、第２のＰＤＣＣＨの初期シンボル（例えば、第２のＰＤＣＣＨの初期シンボルの開始シンボル境界）と第２のリソースの最後のシンボル（例えば、終了シンボル）  （例えば、第２のリソースの最終シンボルの終了シンボル境界）との間である。
【００７４】
いくつかの例において、第１の間隔が第１の最小ＤＦＩ時間遅延より小さい場合、第１のＤＦＩは、第１の上りリンク伝送及び／又は第１のリソースに応答するＨＡＲＱ情報を示さない。
【００７５】
いくつかの例において、第２の間隔が第２の最小ＤＦＩ時間遅延よりも小さい場合、第２のＤＦＩは、第２の上りリンク伝送及び／又は第２のリソースに応答するＨＡＲＱ情報を示さない。
【００７６】
いくつかの例において、第１の間隔が第１の最小ＤＦＩ時間遅延以上である場合、第１のＤＦＩは、第１の上りリンク伝送及び／又は第１のリソースに応答するＨＡＲＱ情報を示す（及び／又は、第１のＤＦＩは、ＨＡＲＱ情報に加えて、他の情報を示す）。
【００７７】
いくつかの例において、第２の間隔が第２の最小ＤＦＩ時間遅延以上である場合、第２のＤＦＩは、第２の上りリンク伝送及び／又は第２のリソースに応答するＨＡＲＱ情報を示す（及び／又は、第２のＤＦＩは、ＨＡＲＱ情報に加えて、他の情報を示す）。
【００７８】
いくつかの例において、ネットワークは、設定済グラントのセットの各設定済グラントに対して、同じ値（例えば、同じ最小ＤＦＩ時間遅延などの同じ時間遅延値）を持つように１つ以上のパラメータを設定する（例えば、ネットワークは、異なる設定済グラントに対して、異なる値間の時間間隔の値のＤＦＩを検証するための曖昧さを避けるために、同じ値を持つように１つ以上のパラメータを設定することができる）。
【００７９】
いくつかの例において、ネットワークは、ネットワークがキャリア上のＬＢＴ帯域幅上で正常にチャネルアクセスに行ったら、及び／又は行った後、占有時間にわたってキャリアの一部又はキャリア全体で伝送及び／又はアクセスを行うことができる（例えば、ネットワークは、許可されるのみである）（例えば、ネットワークは、占有時間中にキャリアの一部又はキャリア全体にわたって伝送及び／又はアクセスを行うことができ、占有時間は、ネットワークがキャリア上のＬＢＴ帯域幅上で正常にチャネルアクセスに行ったら、及び／又は行った後、開始する）。
【００８０】
いくつかの例において、ＵＥは、ＵＥがキャリア上のＬＢＴ帯域幅上で正常にチャネルアクセスを行ったら、及び／又は行った後、及び／又はＵＥにネットワークによって共有占有時間が指示されたら、及び／又はされた後（例えば、ＵＥは、ネットワークから共有占有時間の指示を受信する）、占有時間にわたってキャリアの一部又はキャリア全体で伝送及び／又はアクセスを行うことができる（例えば、ＵＥは、許可されるのみ）。
【００８１】
いくつかの例において、ネットワークは、キャリア及び／又はセル上で共有スペクトルチャネルアクセスを用いて動作する。代替的及び／又は追加的に、ネットワークは、免許不要のキャリア及び／又はセルにおいて通信を行ってもよい（例えば、ネットワークが共有スペクトルチャネルアクセスを用いて動作するキャリア及び／又はセルは、免許不要のキャリア及び／又はセルであってもよい）。免許不要のキャリア及び／又はセルにおいて通信を行うネットワークは、ネットワークが、免許ありのキャリア及び／又はセルのように免許不要のキャリア及び／又はセルを常に制御できるわけではない（及び／又は、制御が可能であるわけではない）ことを意味及び／又は示唆する。ネットワークは、キャリア及び／又はセル上の１つ以上の上りリンク伝送に対する複数の設定済グラントでＵＥを設定する。ネットワークは、キャリア及び／又はセル上のあるタイプの上りリンク伝送（例えば、特定のタイプ及び／又は特定の種類の上りリンク伝送）に適用可能なパラメータ（例えば、１つのパラメータ）でＵＥを設定する。例えば、パラメータは、キャリア及び／又はセル上の、あるタイプの上りリンク伝送に対応する１つ以上の上りリンク伝送に適用可能であり得る。このパラメータは、最小ＤＦＩ時間遅延を設定するために使用されてもよい。
【００８２】
いくつかの例において、ＵＥは、キャリア及び／又はセル上で共有スペクトルチャネルアクセスを用いて動作する。ＵＥは、ネットワークによって、キャリア及び／又はセル上の１つ以上の上りリンク伝送に対する複数の設定済グラントで設定される。ＵＥは、ネットワークによって、キャリア上のあるタイプの上りリンク伝送に適用可能なパラメータ（例えば、１つのパラメータ）で設定される。例えば、パラメータは、キャリア上の、上りリンク伝送のタイプに対応する１つ以上の上りリンク伝送に適用可能である。このパラメータは、最小ＤＦＩ時間遅延を設定するために使用され得る。
【００８３】
いくつかの例において、ネットワークは、複数の設定済グラントに対して１つ以上のＨＡＲＱプロセス番号／ＩＤでＵＥを設定する。代替的及び／又は追加的に、ＵＥは、ネットワークによって、複数の設定済グラントに対して、１つ以上のＨＡＲＱプロセス番号／ＩＤで設定される。いくつかの例において、あるタイプの上りリンク伝送に対応する１つ以上の上りリンク伝送は、１つ以上の上りリンクグラント（例えば、任意のタイプの上りリンクグラント、動的グラント、及び／又は設定済グラント）によってスケジュールされた１つ以上の上りリンク伝送であってもよく、及び／又はこれを含んでもよい。代替的及び／又は追加的に、あるタイプの上りリンク伝送に対応する１つ以上の上りリンク伝送は、複数の設定済グラントのうちの１つ以上の設定済グラントによってスケジュールされた１つ以上の上りリンク伝送であってもよく、及び／又はこれを含んでもよい。代替的及び／又は追加的に、あるタイプの上りリンク伝送に対応する１つ以上の上りリンク伝送は、ＨＡＲＱプロセス番号を有する１つ以上の上りリンク伝送であってもよく、及び／又はこれを含んでもよく、ＨＡＲＱプロセス番号／ＩＤは、複数の設定済グラントに対する１つ以上のＨＡＲＱプロセス番号／ＩＤに含まれる。いくつかの例において、動的グラント又は設定済グラントによってスケジュールされたキャリア上の１つ以上の上りリンク伝送にかかわらず、パラメータは、あるタイプの上りリンク伝送に適用可能である（例えば、パラメータは、キャリア上の、あるタイプの上りリンク伝送に対応する１つ以上の上りリンク伝送に適用可能であり得る）。いくつかの例において、パラメータは、複数の設定済グラントのうちの１つ、いくつか及び／又はすべての設定済グラントに関連付けられた、あるタイプの上りリンク伝送に対応する１つ以上の上りリンク伝送に適用可能である（例えば、適用可能であるのみである）。いくつかの例において、１つ以上のＨＡＲＱプロセス番号／ＩＤは、複数の設定済グラントに対して共通である。
【００８４】
ネットワークは、複数の設定済グラントを設定するための１つ以上の信号を送信し、及び／又はＵＥは、複数の設定済グラントを設定するための１つ以上の信号を受信する。ネットワークは、第１のリソース上で第１の上りリンク伝送を受信し、及び／又はネットワークは、第２のリソース上で第２の上りリンク伝送を受信する。代替的及び／又は追加的に、ＵＥは、第１のリソース上で第１の上りリンク伝送を送信し、及び／又はＵＥは、第２のリソース上で第２の上りリンク伝送を送信する。第１の上りリンク伝送及び／又は第２の上りリンク伝送は、同じＵＥによって送信される（及び／又は、そこから受信される）。いくつかの例において、第１の上りリンク伝送及び／又は第２の上りリンク伝送は、同じＴＢを送達及び／又は搬送する。第１の上りリンク伝送と第２の上りリンク伝送は、同一のＨＡＲＱプロセス番号／ＩＤである。いくつかの例において、第１の上りリンク伝送は、時間領域において第２の上りリンク伝送より早い。代替的及び／又は追加的に、第１の上りリンク伝送は、ＴＢの初期送信であってもよく、第２の上りリンク伝送は、ＴＢの再送であってもよい。ネットワークは、第１のスロットにおいて第１のＰＤＣＣＨ及び／又は第２のスロットにおいて第２のＰＤＣＣＨを送信することができる。代替的及び／又は追加的に、ＵＥは、第１のスロットにおいて第１のＰＤＣＣＨ及び／又は第２のスロットにおいて第２のＰＤＣＣＨを受信することができる。第１のスロット及び／又は第１のＰＤＣＣＨは、時間領域において第１の上りリンク伝送の後及び／又はそれより遅く、第２のスロット及び／又は第２のＰＤＣＣＨは、時間領域において第２の上りリンク伝送の後及び／又はそれより遅い。第１のＰＤＣＣＨは、第１のＤＦＩを含む及び／又は示し、第２のＰＤＣＣＨは、第２のＤＦＩを含む及び／又は示す。第１の上りリンク伝送及び／又は第１のリソースは、第１の設定済グラントに関連付けられる、及び／又はそれに基づいて判定される。第２の上りリンク伝送及び／又は第２のリソースは、第２の設定済グラントに関連付けられる、及び／又はそれに基づいて判定される。代替的及び／又は追加的に、第２の上りリンク伝送及び／又は第２のリソースは、第２の動的グラント（例えば、動的スケジューリンググラント）に関連付けられてもよい、及び／又は、それに基づいて判定されてもよい（及び／又は、スケジュールされてもよい）。第１の上りリンク伝送及び／又は第２の上りリンク伝送は、上りリンク伝送のタイプに対応し得る（例えば、上りリンク伝送のタイプに対応する１つ以上の上りリンク伝送は、第１の上りリンク伝送及び／又は第２の上りリンク伝送を含み得る）。例えば、パラメータは、第１の上りリンク伝送及び／又は第２の上りリンク伝送に適用可能であってもよい。第１のＤＦＩ及び／又は第２のＤＦＩは、ＨＡＲＱ情報がないことを示すか、又は１つ以上のＨＡＲＱ情報を示す１つ以上のビットを含む及び／又は提供することができる。１つ以上のビットの数は１６ビットであり得る。代替的及び／又は追加的に、１つ以上のビットのビットの数は、キャリア及び／又はセルに対するＨＡＲＱプロセス番号／ＩＤの量（及び／又は数）に等しくてもよい。代替的及び／又は追加的に、１つ以上のビットのビットの数は、キャリア及び／又はセル上の設定済グラントに関連付けられた上りリンク伝送に使用され得るＨＡＲＱプロセス番号／ＩＤの量（及び／又は、その数）に等しくてもよい。
【００８５】
いくつかの例において、ネットワークは、第１のＤＦＩが、第１の間隔（例えば、第１のＤＦＩと第１のリソースとの間の時間長及び／又は距離などの間隔）に基づいて、かつ（あるタイプの上りリンク伝送に対応する１つ以上の上りリンク伝送に適用可能な）パラメータに関連付けられた最小ＤＦＩ時間遅延に基づいて、第１の上りリンク伝送に応答するＨＡＲＱ情報を含む及び／又は提供するかどうかを判定する。いくつかの例において、ネットワークは、第２のＤＦＩが、第２の間隔（例えば、第２のＤＦＩと第２のリソースとの間の時間長及び／又は距離などの間隔）に基づいて、かつパラメータに関連付けられた最小ＤＦＩ時間遅延に基づいて、第２の上りリンク伝送に応答するＨＡＲＱ情報を含む及び／又は提供するかどうかを判定する。
【００８６】
いくつかの例において、ＵＥは、第１のＤＦＩが、第１の間隔及びパラメータに関連付けられた最小ＤＦＩ時間遅延に基づいて、第１の上りリンク伝送に応答するＨＡＲＱ情報を含む及び／又は提供するかどうかを判定する。いくつかの例において、ＵＥは、第２のＤＦＩが、第２の間隔及びパラメータに関連付けられた最小ＤＦＩ時間遅延に基づいて、第２の上りリンク伝送に応答するＨＡＲＱ情報を含む及び／又は提供するかどうかを判定する。
【００８７】
いくつかの例において、ＵＥは、第１のＤＦＩが、第１の間隔及びパラメータに関連付けられた最小ＤＦＩ時間遅延に基づいて、第１の上りリンク伝送に応答する有効なＨＡＲＱ情報を含むかどうか、及び／又は提供するかどうかを判定する。いくつかの例において、ＵＥは、第２のＤＦＩが、第２の間隔及びパラメータに関連付けられた最小ＤＦＩ時間遅延に基づいて、第２の上りリンク伝送に応答する有効なＨＡＲＱ情報を含むかどうか、及び／又は提供するかどうかを判定する。
【００８８】
いくつかの例において、第１の間隔は、第１のＰＤＣＣＨの初期シンボル（例えば、第１のＰＤＣＣＨの初期シンボルの開始シンボル境界）と第１のリソースの最終シンボル（例えば、終了シンボル）（例えば、第１のリソースの最終シンボルの終了シンボル境界）との間である。
【００８９】
いくつかの例において、第２の間隔は、第２のＰＤＣＣＨの初期シンボル（例えば、第２のＰＤＣＣＨの初期シンボルの開始シンボル境界）と第２のリソースの最終シンボル（例えば、終了シンボル）（例えば、第２のリソースの最終シンボルの終了シンボル境界）との間である。
【００９０】
いくつかの例において、第１の間隔が、パラメータに関連付けられた最小ＤＦＩ時間遅延よりも小さい場合、第１のＤＦＩは、第１の上りリンク伝送及び／又は第１のリソースに応答するＨＡＲＱ情報を示さない。
【００９１】
いくつかの例において、第２の間隔が、パラメータに関連付けられた最小ＤＦＩ時間遅延よりも小さい場合、第２のＤＦＩは、第２の上りリンク伝送及び／又は第２のリソースに応答するＨＡＲＱ情報を示さない。
【００９２】
いくつかの例において、第１の間隔が、パラメータに関連付けられた最小ＤＦＩ時間遅延以上である場合、第１のＤＦＩは、第１の上りリンク伝送及び／又は第１のリソースに応答するＨＡＲＱ情報を示す（及び／又は、第１のＤＦＩは、ＨＡＲＱ情報に加えて、他の情報を示す）。
【００９３】
いくつかの例において、第２の間隔が、パラメータに関連付けられた最小ＤＦＩ時間遅延以上である場合、第２のＤＦＩは、第２の上りリンク伝送及び／又は第２のリソースに応答するＨＡＲＱ情報を示す（及び／又は、第２のＤＦＩは、ＨＡＲＱ情報に加えて、他の情報を示す）。
【００９４】
いくつかの例において、ネットワークは、複数の設定済グラントに対して、及び／又は複数の設定済グラントのうちの各設定済グラントに対して、複数のパラメータを設定することができなくてもよい（及び／又は、そうするように設定されなくてもよい）（例えば、異なる設定済グラントに対して異なる値を持つＤＦＩを検証するための曖昧さを回避するため）。
【００９５】
いくつかの例において、ＵＥは、複数の設定済グラントに対して、及び／又は複数の設定済グラントのうちの各設定済グラントに対して、複数のパラメータで設定されることを期待しなくてもよい（例えば、異なる設定済グラントに対して異なる値を持つＤＦＩを検証するための曖昧さを回避するため）。
【００９６】
いくつかの例において、ネットワークは、ネットワークがキャリア上のＬＢＴ帯域幅上で正常にチャネルアクセスに行ったら、及び／又は行った後、占有時間にわたってキャリアの一部又はキャリア全体で伝送及び／又はアクセスを行うことができる（例えば、ネットワークは、許可されるのみである）（例えば、ネットワークは、占有時間中にキャリアの一部又はキャリア全体にわたって伝送及び／又はアクセスを行うことができ、占有時間は、ネットワークがキャリア上のＬＢＴ帯域幅上で正常にチャネルアクセスに行ったら、及び／又は行った後、開始する）。
【００９７】
いくつかの例において、ＵＥは、ＵＥがキャリア上のＬＢＴ帯域幅上で正常にチャネルアクセスを行ったら、及び／又は行った後、及び／又はＵＥにネットワークによって共有占有時間が指示されたら、及び／又はされた後（例えば、ＵＥは、ネットワークから共有占有時間の指示を受信する）、占有時間にわたってキャリアの一部又はキャリア全体で伝送及び／又はアクセスを行うことができる（例えば、ＵＥは、許可されるのみ）。
【００９８】
いくつかの例において、ネットワークは、キャリア及び／又はセル上で共有スペクトルチャネルアクセスを用いて動作する。代替的及び／又は追加的に、ネットワークは、免許不要のキャリア及び／又はセルにおいて通信を行ってもよい（例えば、ネットワークが共有スペクトルチャネルアクセスを用いて動作するキャリア及び／又はセルは、免許不要のキャリア及び／又はセルであってもよい）。免許不要のキャリア及び／又はセルにおいて通信を行うネットワークは、ネットワークが、免許ありのキャリア及び／又はセルのように免許不要のキャリア及び／又はセルを常に制御できるわけではない（及び／又は、制御が可能であるわけではない）ことを意味及び／又は示唆する。ネットワークは、キャリア及び／又はセル上の１つ以上の上りリンク伝送に対する複数の設定済グラントでＵＥを設定する。いくつかの例において、複数の設定済グラントの各設定済グラントは、設定済グラントに対して最小ＤＦＩ時間遅延をセッティングするためのパラメータに設定及び／又は関連付けられる。ネットワークは、キャリア上の１つ以上の上りリンク伝送に対して、第２の設定済グラントでＵＥを設定する。第２の設定済グラントに対する少なくとも１つのＨＡＲＱプロセス番号／ＩＤは、複数の設定済グラントにおける１つ以上の第１の設定済グラントと共有される（例えば、少なくとも１つのＨＡＲＱプロセス番号／ＩＤは、１つ以上の第１の設定済グラントの各設定済グラントに対する少なくとも１つのＨＡＲＱプロセス番号／ＩＤと同じであってもよい）。第２の設定済グラントは、第２の設定済グラントに対して最小ＤＦＩ時間遅延をセッティングするためのパラメータで設定されていない、及び／又これに関連付けられない  （及び／又はこれを伴わない）。いくつかの例において、第２の設定済グラントに対する最小ＤＦＩ時間遅延は、１つ以上の第１の設定済グラントに対する１つ以上の最小ＤＦＩ時間遅延の最小値、又は１つ以上の最小ＤＦＩ時間遅延の最大値であると判定される（及び／又は、第２の設定済グラントに対する最小ＤＦＩ時間遅延が、１つ以上の最小ＤＦＩ時間遅延と同じ値であると判定される）。代替的及び／又は追加的に、第２の設定済グラントに対する最小ＤＦＩ時間遅延は、複数の設定済グラントに対する１つ以上の最小ＤＦＩ時間遅延の最小値、又は１つ以上の最小ＤＦＩ時間遅延の最大値であると判定される（及び／又は、第２の設定済グラントに対する最小ＤＦＩ時間遅延が、１つ以上の最小ＤＦＩ時間遅延と同じ値であると判定される）。
【００９９】
いくつかの例において、ＵＥは、キャリア及び／又はセル上で共有スペクトルチャネルアクセスを用いて動作する。ＵＥは、ネットワークによって、キャリア上の１つ以上の上りリンク伝送に対する複数の設定済グラントで設定される。いくつかの例において、複数の設定済グラントの各設定済グラントは、設定済グラントに対して最小ＤＦＩ時間遅延をセッティングするためのパラメータに設定及び／又は関連付けられる。ＵＥは、ネットワークによって、キャリア上の１つ以上の上りリンク伝送に対する第２の設定済グラントで設定される。第２の設定済グラントに対する少なくとも１つのＨＡＲＱプロセス番号／ＩＤは、複数の設定済グラントにおける１つ以上の第１の設定済グラントと共有される（例えば、少なくとも１つのＨＡＲＱプロセス番号／ＩＤは、１つ以上の第１の設定済グラントの各設定済グラントに対する少なくとも１つのＨＡＲＱプロセス番号／ＩＤと同じであってもよい）。第２の設定済グラントは、第２の設定済グラントに対する最小ＤＦＩ時間遅延をセッティングするためのパラメータで設定されていない、及び／又これに関連付けられない  （及び／又はこれを伴わない）。いくつかの例において、ＵＥは、１つ以上の第１の設定済グラントに対する１つ以上の最小ＤＦＩ時間遅延の最小値、又は１つ以上の最小ＤＦＩ時間遅延の最大値に基づいて、第２の設定済グラントに対する最小ＤＦＩ時間遅延を判定する（及び／又は、ＵＥは、１つ以上の第１の設定済グラントに対する最小ＤＦＩ時間遅延に基づいて、第２の設定済グラントに対する最小ＤＦＩ時間遅延を判定することができる）。代替的及び／又は追加的に、ＵＥは、複数の設定済グラントに対する１つ以上の最小ＤＦＩ時間遅延の最小値、又は１つ以上の最小ＤＦＩ時間遅延の最大値に基づいて、第２の設定済グラントに対する最小ＤＦＩ時間遅延を判定することができる（及び／又は、ＵＥは、複数の設定済グラントに対する最小ＤＦＩ時間遅延に基づいて、第２の設定済グラントに対する最小ＤＦＩ時間遅延を判定することができる）。
【０１００】
一実施形態では、ＵＥは、免許不要のキャリア上のＢＷＰにおいてＣＧ１〜ＣＧ４で設定され、ＣＧ１、ＣＧ２及びＣＧ３は、１つ以上のパラメータで設定され、１つ以上のパラメータは、ＣＧ１に関連付けられた最小ＤＦＩ時間遅延１、ＣＧ２に関連付けられた最小ＤＦＩ時間遅延２、ＣＧ３に関連付けられた最小ＤＦＩ時間遅延３を示す。例えば、ＣＧ１は最小ＤＦＩ時間遅延１を示す第１のパラメータで設定され、ＣＧ２は最小ＤＦＩ時間遅延２を示す第２のパラメータで設定され、ＣＧ３は最小ＤＦＩ時間遅延３を示す第３のパラメータで設定される。いくつかの例において、ＣＧ４に対する最小ＤＦＩ時間遅延を設定及び／又はセッティングするための（ＣＧ４に関連付けられた）パラメータがない。いくつかの例において、ＣＧ４に対する最小ＤＦＩ時間遅延は、最小ＤＦＩ時間遅延１、最小ＤＦＩ時間遅延２、及び最小ＤＦＩ時間遅延３の最小値又は最大値に基づいて判定される。いくつかの例において、ＣＧ１〜ＣＧ４は、ＢＷＰにおいてＵＥに対するすべてのＣＧを含む。代替的及び／又は追加的に、ＣＧ１及びＣＧ２の各設定済グラントがＣＧ４と少なくとも１つの共有ＨＡＲＱプロセス番号／ＩＤを有するシナリオにおいて、ＣＧ４に対する最小ＤＦＩ時間遅延は、最小ＤＦＩ時間遅延１及び最小ＤＦＩ時間遅延２の最小値又は最大値に基づいて判定される。例えば、ＣＧ１はＨＡＲＱプロセス番号／ＩＤ｛１，２，３｝で設定され、ＣＧ２はＨＡＲＱプロセス番号／ＩＤ｛４，５，６｝で設定され、ＣＧ３はＨＡＲＱプロセス番号／ＩＤ｛７，８，９｝で設定され、ＣＧ４はＨＡＲＱプロセス番号／ＩＤ｛２，３，４｝で設定される。いくつかの例において、最小ＤＩＦ時間遅延１の値と最小ＤＦＩ時間遅延２の値は同じであってもよい（ＣＧ１とＣＧ４は共有ＨＡＲＱプロセス番号／ＩＤ  ｛２，３｝を持ち、ＣＧ２とＣＧ４は共有ＨＡＲＱプロセス番号／ＩＤ  ｛４｝を持つため）。
【０１０１】
いくつかの例において、ネットワークは、１つ以上の第１の設定済グラントに対して、同じ最小ＤＦＩ時間遅延でＵＥに設定する。いくつかの例において、ネットワークは、複数の設定済グラント及び／又は第２の設定済グラントに対して、１つ以上のＨＡＲＱプロセス番号／ＩＤでＵＥを設定する。代替的及び／又は追加的に、ＵＥは、ネットワークによって、複数の設定済グラント及び／又は第２の設定済グラントに対して、１つ以上のＨＡＲＱプロセス番号／ＩＤで設定される。いくつかの例において、１つ以上のＨＡＲＱプロセス番号／ＩＤは、複数の設定済グラント及び／又は第２の設定済グラントに対して共通である。複数の設定済グラントの各設定済グラントに対して、ネットワークは、ＨＡＲＱプロセス番号／ＩＤのセット（例えば、ＨＡＲＱプロセス番号／ＩＤの１セット）でＵＥを設定し、及び／又はＵＥは、ネットワークによって、複数の設定済グラントの各設定済グラントに対して、ＨＡＲＱプロセス番号／ＩＤのセット（例えば、ＨＡＲＱプロセス番号／ＩＤの１セット）で設定される。１つ以上の第１の設定済グラントは、ＨＡＲＱプロセス番号の１つ以上の第１のセットに関連付けられる、及び／又は第２の設定済グラントは、ＨＡＲＱプロセス番号／ＩＤの第２のセットに関連付けられる。
【０１０２】
ネットワークは、複数の設定済グラント及び／又は第２の設定済グラントを設定するための１つ以上の信号を送信する。代替的及び／又は追加的に、ＵＥは、複数の設定済グラント及び／又は第２の設定済グラントを設定するための１つ以上の信号を受信する。ネットワークは、第１のリソース上で第１の上りリンク伝送を受信し、及び／又はネットワークは、第２のリソース上で第２の上りリンク伝送を受信する。代替的及び／及び追加的に、ＵＥは、第１のリソース上の第１の上りリンク伝送を送信し、及び／又はＵＥは、第２のリソース上の第２の上りリンク伝送を送信する。第１の上りリンク伝送及び／又は第２の上りリンク伝送は、同じＵＥによって送信される（及び／又は、そこから受信される）。いくつかの例において、第１の上りリンク伝送及び／又は第２の上りリンク伝送は、同じＴＢを送達及び／又は搬送する。第１の上りリンク伝送と第２の上りリンク伝送は、同一のＨＡＲＱプロセス番号／ＩＤを持つ。いくつかの例において、第１の上りリンク伝送は、時間領域において第２の上りリンク伝送より早い。代替的及び／又は追加的に、第１の上りリンク伝送は、ＴＢの初期送信であってもよく、第２の上りリンク伝送は、ＴＢの再送であってもよい。ネットワークは、第１のスロットにおいて第１のＰＤＣＣＨ及び／又は第２のスロットにおいて第２のＰＤＣＣＨを送信することができる。代替的及び／又は追加的に、ＵＥは、第１のスロットにおいて第１のＰＤＣＣＨ及び／又は第２のスロットにおいて第２のＰＤＣＣＨを受信することができる。第１のスロット及び／又は第１のＰＤＣＣＨは、時間領域において第１の上りリンク伝送の後及び／又はそれより遅く、第２のスロット及び／又は第２のＰＤＣＣＨは、時間領域において第２の上りリンク伝送の後及び／又はそれより遅い。第１のＰＤＣＣＨは、第１のＤＦＩを含む及び／又は示し、第２のＰＤＣＣＨは、第２のＤＦＩを含む及び／又は示す。第１の上りリンク伝送及び／又は第１のリソースは、（例えば、１つ以上の第１の設定済グラントのうちの）第１の設定済グラントに関連付けられる、及び／又はそれに基づいて判定される。第２の上りリンク伝送及び／又は第２のリソースは、第２の設定済グラントに関連付けられる、及び／又はそれに基づいて判定される。代替的及び／又は追加的に、第２の上りリンク伝送及び／又は第２のリソースは、第２の動的グラント（例えば、動的スケジューリンググラント）に関連付けられてもよい、及び／又は、それに基づいて判定されてもよい（及び／又は、スケジュールされてもよい）。第１のＤＦＩ及び／又は第２のＤＦＩは、ＨＡＲＱ情報がないことを示すか、又は１つ以上のＨＡＲＱ情報を示す１つ以上のビットを含む及び／又は提供することができる。１つ以上のビットの数は１６ビットであり得る。代替的及び／又は追加的に、１つ以上のビットのビットの数は、キャリア又はセルに対するＨＡＲＱプロセス番号／ＩＤの量（及び／又は数）に等しくてもよい。代替的及び／又は追加的に、１つ以上のビットのビット数は、キャリア又はセル上の設定済グラントに関連付けられた上りリンク伝送に使用され得るＨＡＲＱプロセス番号／ＩＤの量（及び／又は数）に等しくてもよい。
【０１０３】
いくつかの例において、ネットワークは、第１のＤＦＩが、第１の間隔（例えば、第１のＤＦＩと第１のリソースとの間の時間長及び／又は距離などの間隔）に基づいて、かつ第１の設定済グラントに関連付けられた最小ＤＦＩ時間遅延に基づいて、第１の上りリンク伝送に応答するＨＡＲＱ情報を含む及び／又は提供するかどうかを判定する。いくつかの例において、ネットワークは、第２のＤＦＩが、第２の間隔（例えば、第２のＤＦＩと第２のリソースとの間の時間長及び／又は距離などの間隔）に基づいて、かつ第１の設定済グラント及び／又は第２の設定済グラントに関連付けられた最小ＤＦＩ時間遅延に基づいて、第２の上りリンク伝送に応答するＨＡＲＱ情報を含む及び／又は提供するかどうかを判定する。
【０１０４】
いくつかの例において、ＵＥは、第１のＤＦＩが、第１の間隔及び第１の設定済グラントに関連付けられた最小ＤＦＩ時間遅延に基づいて、第１の上りリンク伝送に応答するＨＡＲＱ情報を含む及び／又は提供するかどうかを判定する。いくつかの例において、ＵＥは、第２のＤＦＩが、第２の間隔及び第１の設定済グラント及び／又は第２の設定済グラントに関連付けられた最小ＤＦＩ時間遅延に基づいて、第２の上りリンク伝送に応答するＨＡＲＱ情報を含む及び／又は提供するかどうかを判定する。
【０１０５】
いくつかの例において、ＵＥは、第１のＤＦＩが、第１の間隔及び第１の設定済グラントに関連付けられた最小のＤＦＩ時間遅延に基づいて、第１の上りリンク伝送に応答する有効なＨＡＲＱ情報を含む及び／又は提供するかどうかを判定する。いくつかの例において、ＵＥは、第２のＤＦＩが、第２の間隔及び第１の設定済グラント及び／又は第２の設定済グラントに関連付けられた最小のＤＦＩ時間遅延に基づいて、第２の上りリンク伝送に応答する有効なＨＡＲＱ情報を含む及び／又は提供するかどうかを判定する。
【０１０６】
いくつかの例において、第１の間隔は、第１のＰＤＣＣＨの初期シンボル（例えば、第１のＰＤＣＣＨの初期シンボルの開始シンボル境界）と第１のリソースの最後のシンボル（例えば、終了シンボル）  （例えば、第１のリソースの最終シンボルの終了シンボル境界）との間である。
【０１０７】
いくつかの例において、第２の間隔は、第２のＰＤＣＣＨの初期シンボル（例えば、第２のＰＤＣＣＨの初期シンボルの開始シンボル境界）と第２のリソースの最後のシンボル（例えば、終了シンボル）  （例えば、第２のリソースの最終シンボルの終了シンボル境界）との間である。
【０１０８】
いくつかの例において、第１の間隔が第１の設定済グラントに関連付けられた最小ＤＦＩ時間遅延より小さい場合、第１のＤＦＩは、第１の上りリンク伝送及び／又は第１のリソースに応答するＨＡＲＱ情報を示さない。いくつかの例において、第１の間隔が第１の設定済グラントに関連付けられた最小ＤＦＩ時間遅延以上である場合、第１のＤＦＩは、第１の上りリンク伝送及び／又は第１のリソースに応答するＨＡＲＱ情報を示す（及び／又は、第１のＤＦＩは、ＨＡＲＱ情報に加えて、他の情報を示す）。
【０１０９】
いくつかの例において、第２の間隔が第１の設定済グラント及び／又は第２の設定済グラントに関連付けられた最小ＤＦＩ時間遅延よりも小さい場合、第２のＤＦＩは、第２の上りリンク伝送及び／又は第２のリソースに応答するＨＡＲＱ情報を示さない。いくつかの例において、第２の間隔が第１の設定済グラント及び／又は第２の設定済グラントに関連付けられた最小ＤＦＩ時間遅延以上である場合、第２のＤＦＩは、第２の上りリンク伝送及び／又は第２のリソースに応答するＨＡＲＱ情報を示す（及び／又は、第２のＤＦＩは、ＨＡＲＱ情報に加えて、他の情報を示す）。
【０１１０】
いくつかの例において、ネットワークは、１つ以上のＵＥが占有時間の一部の間に上りリンク伝送を行うように、１つ以上のＵＥへの占有時間の一部を示す。いくつかの例において、複数の設定済グラント及び第２の設定済グラントは、キャリア上の同じＢＷＰ及び／又は同じＬＢＴ帯域幅において設定される。いくつかの例において、複数の設定済グラントは、キャリア上の同じＢＷＰ又は同じＬＢＴ帯域幅における設定済グラント（例えば、ＵＥのためのすべての設定済グラント）を含む。
【０１１１】
第２の概念
【０１１２】
第２の概念では、ＵＥは、ＵＥのためのすべての設定済グラント設定のうちから、及び／又はある数の設定済グラント設定に相当する複数の設定済グラントのうちから、設定済グラント設定を選択することができる。例えば、ＵＥは、検証時間を判定するために設定済グラント設定を選択することができる（例えば、ｃｇ−ｍｉｎＤＦＩＤｅｌａｙ−ｒ１６）。いくつかの例において、ＵＥ（又は第２のＵＥ）は、すべての設定済グラント及び／又はすべての設定済グラント設定（例えば、ＵＥ又は第２のＵＥのためのすべての設定済グラント及び／又はすべての設定済グラント設定）又はある数の設定済グラント設定に相当する複数の設定済グラント設定に関連付けられた１つ以上の検証時間からある検証時間（例えば、ｃｇ−ｍｉｎＤＦＩＤｅｌａｙ−ｒ１６）を選択する。検証時間は、１つ以上のＨＡＲＱプロセス番号／ＩＤに関連付けられた１つ以上の上りリンク伝送のＨＡＲＱ−ＡＣＫが有効であるかどうかを判定するために使用され得る。
【０１１３】
いくつかの例において、ＵＥは複数の設定済グラント設定から設定済グラント設定を選択する。一例として、複数の設定済グラント設定は、ＵＥのためのすべてのグラント構成を含み得る。代替的及び／又は追加的に、複数の設定済グラント設定は、第１の数の設定済グラント設定に相当する設定済グラント設定（例えば、ＵＥのための設定済グラント設定の一部及び／又はすべて）を含んでもよい。
【０１１４】
いくつかの例において、ＵＥは、複数の設定済グラント設定に関連付けられた設定済グラントアイデンティティ（ＩＤ）に基づいて、複数の設定済グラント設定から設定済グラント設定を選択する。一例として、ＵＥは、複数の設定済グラント設定のうち、設定済グラント設定が最も低い設定済グラントアイデンティティ（ＩＤ）又は最も高い設定済グラントＩＤを持つとの判定に基づいて、設定済グラント設定を選択することができる。
【０１１５】
代替的及び／又は追加的に、ＵＥは、複数の設定済グラント設定に関連付けられた検証時間（例えば、ｃｇ−ｍｉｎＤＦＩＤｅｌａｙ−ｒ１６）に基づいて、複数の設定済グラント設定から設定済グラント設定を選択することができる。一例として、ＵＥは、複数の設定済グラント設定のうち、設定済グラント設定が、最大（例えば、最高）検証時間（例えば、ｃｇ−ｍｉｎＤＦＩＤｅｌａｙ−ｒ１６）又は最小（例えば、最小）検証時間（例えば、ｃｇ−ｍｉｎＤＦＩＤｅｌａｙ−ｒ１６）を有するという判定に基づいて、設定済グラント設定を選択することができる。
【０１１６】
代替的及び／又は追加的に、ＵＥは、複数の設定済グラント設定のうちの１つ以上の設定済グラント設定によって提供される１つ以上のリソースに基づいて、複数の設定済グラント設定から設定済グラント設定を選択することができる。例では、ＵＥは、設定済グラント設定が、ＴＢの伝送に直近で使用されたリソース、又はＨＡＲＱプロセス番号／ＩＤに直近で使用されたリソースを提供するという判定に基づいて、設定済グラント設定を選択することができる。代替的及び／又は追加的に、ＵＥは、複数の設定済グラント設定に関連付けられた（例えば、提供された）１つ以上のリソースのうち、設定済グラント設定に関連付けられたリソースが、ＴＢの伝送に直近で（例えば、最新及び／又は最後に）使用されたリソース、及び／又はＨＡＲＱプロセス番号／ＩＤに直近で（例えば、最新及び／又は最後に）使用されたリソースであるという判定に基づいて、設定済グラント設定を選択することができる。代替的及び／又は追加的に、ＵＥは、設定済グラント設定によって提供されたリソースが、直近で（例えば、最新及び／又は最後に）使用された設定済グラントに関連付けられているという判定に基づいて、設定済グラント設定を選択することができる。
【０１１７】
代替的及び／又は追加的に、ＵＥは、複数の設定済グラント設定のうち、設定済グラント設定が、直近の上りリンクチャネル占有時間（ＣＯＴ）及び／又は直近の上りリンクバーストに含まれるという判定に基づいて、設定済グラント設定を選択することができる。
【０１１８】
図１１に示される例では、表１１００の行１は、スロット、サブフレーム、シンボル、時間などのうちの少なくとも１つの単位のタイミングに対応する。いくつかの例において、表１１００の行６に示されるように、ＵＥは、ＨＡＲＱプロセス｛１，２，３｝を有するＣＧ１と、ＨＡＲＱプロセス｛２，３，４｝を有するＣＧ２とで設定される。いくつかの例において、表１１００の行６に示されているように、ＣＧ１に対する最小ＤＦＩ時間遅延１は「３」として設定され（例えば、３つの単位、例えば、３つのスロット、３つのサブフレーム、３つのシンボルうちの少なくとも１つ）、ＣＧ２に対する最小ＤＦＩ時間遅延２は「６」として設定される（例えば、６つの単位、例えば、６つのスロット、６つのサブフレーム、６つのシンボルのうちの少なくとも１つ）。一例では、表１１００の行２に示されているように、ＵＥは、タイミング１で上りリンク伝送を行い、上りリンク伝送はＨＡＲＱプロセス｛１｝を持ち、上りリンク伝送はＣＧ１に関連付けられたリソース上にある（上りリンク伝送は、表１１００の列２で「ＣＧ１でＵＬ  ＨａｒｑＩＤ＝１」として示されている）。表１１００のタイミング、例えば、タイミング１、タイミング２、タイミング３などは、各々、スロット、サブフレーム、シンボル、ポイントインタイム、時間ユニットなどのうちの少なくとも１つに対応することができる。いくつかの例において、ＵＥは、タイミング３（表１１００の行２に「ＤＬ  ＤＦＩ」として示されている）で第１のＤＦＩ（例えば、下りリンクＤＦＩ）を含むＰＤＣＣＨを受信する。ＵＥは、ＣＧ１に基づいて、第１のＤＦＩにおけるＨＡＲＱプロセス｛１｝に対する最小ＤＦＩ時間遅延を判定する（例えば、最小ＤＦＩ時間遅延１「３」）。ＣＧ１などの直近で使用されたＣＧ（例えば、最後及び／又は最新の使用されたＣＧ）によれば、ＵＥは、ＣＧ１に基づいて、第１のＤＦＩにおけるＨＡＲＱプロセス｛１｝に対する最小ＤＦＩ時間遅延を判定することができる（例えば、最小ＤＦＩ時間遅延１「３」）。いくつかの例において、タイミング１での上りリンク伝送とタイミング３での第１のＤＦＩとの間の間隔が２（例えば、２つのスロット、２つのサブフレーム、２つのシンボルなど）であるため、２の間隔が３に等しい最小ＤＦＩ時間遅延１（例えば、３つのスロット、３つのサブフレーム、３つのシンボルなど）より小さい場合、ＨＡＲＱプロセス｛１｝に対する第１のＤＦＩは無効である（例えば、第１のＤＦＩは、ＨＡＲＱプロセス｛１｝に関連付けられたＨＡＲＱ情報を示すことに関して無効である）。例えば、ＨＡＲＱプロセス｛１｝に対する第１のＤＦＩは、間隔が２スロット（２つのサブフレーム、又は２つのシンボル）に対応し、３つのスロット（３つのサブフレーム、又は３つのシンボル）に対応する最小ＤＦＩ時間遅延１より小さいため、（例えば、ＨＡＲＱプロセス｛１｝に関連付けられたＨＡＲＱ情報を示すことに関して）無効である。ＵＥは、タイミング５で第２のＤＦＩを含むＰＤＣＣＨを受信する。ＵＥは、第２のＤＦＩが有効であることを判定する（例えば、タイミング１での上りリンク伝送とタイミング５での第２のＤＦＩとの間の間隔が、３に等しい最小ＤＦＩ時��遅延１以上である４に等しいことに基づく）。
【０１１９】
一例として、表１１００の行３に示されるように、ＵＥは、タイミング１で上りリンク伝送を行い、上りリンク伝送は、ＨＡＲＱプロセス｛２｝を持ち、上りリンク伝送は、ＣＧ１に関連付けられたリソース上にある（上りリンク伝送は、表１１００の行３で「ＣＧ１でＵＬ  ＨａｒｑＩＤ＝２」として示される）。いくつかの例において、ＵＥは、タイミング３で第１のＤＦＩ（例えば、下りリンクＤＦＩ）を含むＰＤＣＣＨを受信する（表１１００の行３で「ＤＬ  ＤＦＩ」として示される）。ＣＧ１などの直近で使用されたＣＧ（例えば、最後及び／又は最新の使用されたＣＧ）によれば、ＵＥは、ＣＧ１に基づいて、第１のＤＦＩにおけるＨＡＲＱプロセス｛２｝に対する最小ＤＦＩ時間遅延を判定することができる（例えば、最小ＤＦＩ時間遅延１「３」）。いくつかの例において、タイミング１での上りリンク伝送とタイミング３での第１のＤＦＩとの間の間隔が２（例えば、２スロット、２サブフレーム、２シンボルなど）であるため、２の間隔が３に等しい最小ＤＦＩ時間遅延１（例えば、３スロット、３サブフレーム、３シンボルなど）より小さい場合、ＨＡＲＱプロセス｛２｝に対する第１のＤＦＩは無効である。ＵＥは、タイミング５で第２のＤＦＩを含むＰＤＣＣＨを受信する。ＵＥは、第２のＤＦＩが有効であることを判定する（例えば、タイミング１での上りリンク伝送とタイミング５での第２のＤＦＩとの間の間隔が、３に等しい最小ＤＦＩ時間遅延１以上である４に等しいことに基づく）。
【０１２０】
一例として、表１１００の行４に示されるように、ＵＥは、タイミング１で上りリンク伝送を行い、上りリンク伝送は、ＨＡＲＱプロセス｛２｝を持ち、上りリンク伝送は、ＣＧ２に関連付けられたリソース上にある（上りリンク伝送は、表１１００の行４で「ＣＧ２でＵＬ  ＨａｒｑＩＤ＝２」として示される）。いくつかの例において、ＵＥは、タイミング３で第１のＤＦＩ（例えば、下りリンクＤＦＩ）を含むＰＤＣＣＨを受信する（表１１００の行４で「ＤＬ  ＤＦＩ」として示される）。ＣＧ２などの直近で使用されたＣＧ（例えば、最後及び／又は最新の使用されたＣＧ）によれば、ＵＥは、ＣＧ２に基づいて、第１のＤＦＩにおけるＨＡＲＱプロセス｛２｝に対する最小ＤＦＩ時間遅延を判定することができる（例えば、最小ＤＦＩ時間遅延２「６」）。いくつかの例において、タイミング１での上りリンク伝送とタイミング３での第１のＤＦＩとの間の間隔が２（例えば、２つのスロット、２つのサブフレーム、２つのシンボルなど）であるため、２の間隔が６に等しい最小ＤＦＩ時間遅延２（例えば、６つのスロット、６つのサブフレーム、６つのシンボルなど）より小さい場合、ＨＡＲＱプロセス｛２｝に対する第１のＤＦＩは無効である。ＵＥは、タイミング５で第２のＤＦＩを含むＰＤＣＣＨを受信する。ＵＥは、第２のＤＦＩが有効であることを判定する（例えば、タイミング１での上りリンク伝送とタイミング５での第２のＤＦＩとの間の間隔が、６に等しい最小ＤＦＩ時間遅延２以上である４に等しいことに基づく）。
【０１２１】
いくつかの例において、本明細書における実施形態の１つ以上（第２の概念に関して議論された実施形態の１つ以上など）に関して、複数の設定済グラント設定（例えば、ある数の設定済グラント設定に相当する）は、アクティブなタイプ２設定済グラント及び／又はタイプ１設定済グラントに関連付けられる（例えば、含む及び／又は設定する）。代替的及び／又は追加的に、複数の設定済グラント設定は、１つ以上の同じＨＡＲＱプロセス番号／ＩＤに関連付けられてもよい（例えば、複数の設定済グラント設定の各設定済グラント設定は、１つ以上の同じＨＡＲＱプロセス番号／ＩＤのうちのＨＡＲＱプロセス番号／ＩＤに関連付けられてもよい）。代替的及び／又は追加的に、複数の設定済グラント設定は、ＵＥがＴＢについて送信したリソースに関連付けられてもよい。図７に示される例において、ＵＥがＣＧ１〜ＣＧ６で設定される場合、複数の設定済グラントは、ＣＧ１及びＣＧ２（例えば、ＣＧ１及びＣＧ２のみ）を含んでもよい。いくつかの例において、ＣＧ１及びＣＧ２に従ってＰＵＳＣＨリソースがＨＡＲＱプロセス３（ＨＰ３）に関連付けられたＴＢについて送信するために使用されること、及び／又はＣＧ１及びＣＧ２の両方がＨＰ３に関連付けられること、及び／又はＣＧ１及びＣＧ２（例えば、ＣＧ１〜ＣＧ６のＣＧ１及びＣＧ２のみ）がアクティブな設定である及び／又はアクティベーションコマンドなしであることから、複数の設定済グラントはＣＧ１及びＣＧ２を含んでもよい。
【０１２２】
いくつかの例において、ＵＥは、キャリア及び／又はセル上で共有スペクトルチャネルアクセスを用いて動作する。ＵＥは、キャリア又はセル上の１つ以上の上りリンク伝送に対する複数の設定済グラントで設定され得る。複数の設定済グラントの構成された各グラントは、最小ＤＦＩ時間遅延を設定するためのパラメータ（例えば、１つのパラメータ）を含む（複数の設定済グラントのうちの設定済グラントの最小ＤＦＩ時間遅延を設定するためのパラメータは、異なる最小ＤＦＩ時間遅延を示す異なる値を有し得る）。例では、ＵＥは、ＨＡＲＱプロセス番号ｘで第２のリソース上で第２の上りリンク伝送を送信する。ＵＥは、第２のスロットにおいて第２のＤＦＩを含む第２のＰＤＣＣＨを受信する。ＵＥは、複数の設定済グラントに関連付けられた最小ＤＦＩ時間遅延のうちから（及び／又は複数の設定済グラントのうちから）、（例えば、第２のＤＦＩに対する及び／又はＨＡＲＱプロセス番号ｘに対する）最小ＤＦＩ時間遅延を判定する。ＵＥは、ルールに基づいて、（例えば、第２のＤＦＩに対する及び／又はＨＡＲＱプロセス番号ｘに対する）最小ＤＦＩ時間遅延を判定します。ＵＥは、第２のＤＦＩが、間隔（例えば、第２のＤＦＩと第２のリソースとの間の時間長及び／又は距離などの間隔）に基づいて、かつ（（例えば、第２のＤＦＩに対する及び／又はＨＡＲＱプロセス番号ｘに対する）最小ＤＦＩ時間遅延に基づいて、第２の上りリンク伝送に応答するＨＡＲＱ情報を含む及び／又は提供するかどうかを判定する。いくつかの例において、最小ＤＦＩ時間遅延を判定するためのルールの適用は、複数の設定済グラントのうちの設定済グラントＩＤのうち、最も低い設定済グラントアイデンティティ（ＩＤ）又は最も高い設定済グラントアイデンティティ（ＩＤ）に基づく（例えば、最小ＤＦＩ時間遅延は、最小ＤＦＩ時間値元が最も低い設定済グラントＩＤ又は最も高いグラントＩＤを持つ複数の設定済グラントのうちの設定済グラントに関連付けられるとの判定に基づいて判定及び／又は選択され得る）。いくつかの例において、このルールの適用は、複数の設定済グラントに関連付けられた最小ＤＦＩ時間遅延（例えば、ｃｇ−ｍｉｎＤＦＩＤｅｌａｙ−ｒ１６）のうち、最大（例えば、最高）最小ＤＦＩ時間遅延、又は最小（例えば、最低）ＤＦＩ時間遅延で設定済グラントを選択することを含む（例えば、最小ＤＦＩ時間遅延は、選択されたグラントが最小ＤＦＩ時間遅延に関連付けられるという判定に基づいて判定及び／又は選択され得る）。代替的及び／又は追加的に、ルールの適用は、最小ＤＦＩ時間遅延が、複数の設定済グラントに関連付けられた最小ＤＦＩ時間遅延（例えば、ｃｇ−ｍｉｎＤＦＩＤｅｌａｙ−ｒ１６）のうち、最大（例えば、最高）最小ＤＦＩ時間遅延又は最小（例えば、最低）ＤＦＩ時間遅延であるという判定に基づいて、最小ＤＦＩ時間遅延を判定及び／又は選択することを含む。いくつかの例において、このルールの適用は、リソースを提供する（例えば、複数の設定済グラントのうちの）設定済グラントを選択することを含み、（設定済グラントによって提供される）リソースは、ＴＢの伝送に直近で使用されたか、又はＨＡＲＱプロセス番号ｘに直近で使用されている（例えば、選択された設定済グラントが最小のＤＦＩ時間遅延に関連付けられるという判定に基づいて、最小のＤＦＩ時間遅延が判定及び／又は選択され得る）。いくつかの例において、このルールの適用は、複数の設定済グラント設定に関連付けられる（例えば、これによって提供される）１つ以上のリソースのうち、設定済グラントに関連付けられる（例えば、これによって提供される）リソースが、ＴＢの伝送のために直近で（例えば、最新及び／又は最後に）使用されたリソース、及び／又は、ＨＡＲＱプロセス番号ｘに対して直近（例えば、最新及び／又は最後に）使用されたリソースであるという判定に基づいて、設定済グラントを選択することを含む。
【０１２３】
いくつかの例において、ＵＥは、ネットワークによって、複数の設定済グラントに対する１つ以上のＨＡＲＱプロセス番号／ＩＤで設定される。いくつかの例において、１つ以上のＨＡＲＱプロセス番号／ＩＤは、複数の設定済グラントに対して共通である。いくつかの例において、ＨＡＲＱプロセス番号ｘは、１つ以上のＨＡＲＱプロセス番号／ＩＤに含まれる。ＵＥは、第１のリソース上で第１の上りリンク伝送を送信し、及び／又は第２のリソース上で第２の上りリンク伝送を送信する。いくつかの例において、第１の上りリンク伝送及び／又は第２の上りリンク伝送は、同じＵＥによって送信される。いくつかの例において、第１の上りリンク伝送及び／又は第２の上りリンク伝送は、同じＴＢを送達及び／又は搬送する。いくつかの例において、第１の上りリンク伝送と第２の上りリンク伝送は、同じＨＡＲＱプロセス番号／ＩＤを持つ。いくつかの例において、第１の上りリンク伝送は、時間領域における第２の上りリンク伝送より早い。代替的及び／又は追加的に、第１の上りリンク伝送はＴＢの初期送信であり、第２の上りリンク伝送はＴＢの再送である。ＵＥは、第１のスロットにおいて第１のＰＤＣＣＨを受信することができる。第１のスロット及び／又は第１のＰＤＣＣＨは、時間領域における第１の上りリンク伝送の後及び／又はそれより遅い。ＵＥは、第２のスロットにおいて第２のＰＤＣＣＨを受信することができる。第２のスロット及び／又は第２のＰＤＣＣＨは、時間領域における第２の上りリンク伝送の後及び／又はそれより遅い。いくつかの例において、第１のＰＤＣＣＨは、第１のＤＦＩを含む及び／又は示す。いくつかの例において、第１の上りリンク伝送及び／又は第１のリソースは、第１の設定済グラントに関連付けられる（及び／又はそれに基づいて判定される）。いくつかの例において、第２の上りリンク伝送及び／又は第２のリソースは、第２の設定済グラントに関連付けられる（及び／又はそれに基づいて判定される）。代替的及び／又は追加的に、第２の上りリンク伝送及び／又は第２のリソースは、第２の動的グラント（例えば、動的スケジューリンググラント）に関連付けられてもよい（及び／又は、それに基づいて判定されてもよい、及び／又は、それによってスケジュールされてもよい）。第１のＤＦＩ及び／又は第２のＤＦＩは、ＨＡＲＱ情報がないことを示す、又は１つ以上のＨＡＲＱ情報を示す１つ以上のビットを含み得る。ＵＥは、複数の設定済グラントに関連付けられた最小ＤＦＩ時間遅延のうちから（及び／又は複数の設定済グラントのうちから）（例えば、第１のＤＦＩ対する及び／又はＨＡＲＱプロセス番号ｘに対する）最小ＤＦＩ時間遅延を判定する。ＵＥは、ルールに基づいて、（例えば、第１のＤＦＩ対する及び／又はＨＡＲＱプロセス番号ｘに対する）最小ＤＦＩ時間遅延を判定する。いくつかの例において、ＵＥは、第１のＤＦＩが、第１の間隔（例えば、第１のＤＦＩと第１のリソースとの間の時間長及び／又は距離などの間隔）に基づいて、かつ（例えば、第１のＤＦＩに対する及び／又はＨＡＲＱプロセス番号ｘに対する）最小ＤＦＩ時間遅延に基づいて、第１の上りリンク伝送に応答するＨＡＲＱ情報を含む及び／又は提供するかどうかを判定する。代替的及び／又は追加的に、ＵＥは、第１のＤＦＩが、第１の間隔及び（例えば、第１のＤＦＩに対する及び／又はＨＡＲＱプロセス番号ｘに対する）最小のＤＦＩ時間遅延に基づいて、第１の上りリンク伝送に応答する有効なＨＡＲＱ情報を含む及び／又は提供するかどうかを判定することができる。代替的及び／又は追加的に、ＵＥは、第２のＤＦＩが、第２の間隔（例えば、第２のＤＦＩと第２のリソースとの間の時間長及び／又は距離のなどの間隔）に基づいて、かつ、第１のＤＦＩに対する及び／又はＨＡＲＱプロセス番号ｘに対する最小ＤＦＩ時間遅延などの（例えば、第２のＤＦＩに対する及び／又はＨＡＲＱプロセス番号ｘに対する）判定された最小ＤＦＩ時間遅延に基づいて、第２の上りリンク伝送に応答する有効なＨＡＲＱ情報を含む及び／又は提供するかどうかを判定することができる。
【０１２４】
いくつかの例において、第１の間隔が（第１のＤＦＩ及び／又はＨＡＲＱプロセス番号ｘに対する）最小ＤＦＩ時間遅延より小さい場合、第１のＤＦＩは、第１の上りリンク伝送及び／又は第１のリソースに応答するＨＡＲＱ情報を示さなくてもよい。いくつかの例において、第２の間隔が（第２のＤＦＩ及び／又はＨＡＲＱプロセス番号ｘに対する）最小ＤＦＩ時間遅延より小さい場合、第２のＤＦＩは、第２の上りリンク伝送及び／又は第２のリソースに応答するＨＡＲＱ情報を示さなくてもよい。
【０１２５】
第３の概念
【０１２６】
第３の概念では、ＨＡＲＱプロセス番号／ＩＤ及び／又はＨＡＲＱプロセス番号／ＩＤグループは、最小ＤＦＩ時間遅延（例えば、１つの最小ＤＦＩ時間遅延）と関連付けられる。一例では、（例えば、複数のＨＡＲＱプロセス番号／ＩＤの）各ＨＡＲＱプロセス番号／ＩＤ及び／又は（例えば、複数のＨＡＲＱプロセス番号／ＩＤグループの）各ＨＡＲＱプロセは、最小ＤＦＩ時間遅延（例えば、１つの最小ＤＦＩ時間遅延）に関連付けられる。いくつかの例において、ＨＡＲＱプロセス番号／ＩＤグループ（例えば、１つのＨＡＲＱプロセス番号／ＩＤグループ）は、１つ以上のＨＡＲＱプロセス番号／ＩＤを含む。いくつかの例において、ＨＡＲＱプロセス番号／ＩＤグループ（例えば、１つのＨＡＲＱプロセス番号／ＩＤグループ）は、連続するＨＡＲＱプロセス番号／ＩＤグループ（及び／又は連続するＨＡＲＱプロセス番号／ＩＤ）を含む。いくつかの例において、異なるＨＡＲＱプロセス番号／ＩＤグループは、重複しないＨＡＲＱプロセス番号／ＩＤを含む。
【０１２７】
一例として、ＨＡＲＱプロセスグループ１（ＨＰＧ１）は、ＨＡＲＱプロセス｛１，２，３｝を含み、ＨＡＲＱプロセスグループ２（ＨＰＧ２）は、ＨＡＲＱプロセス｛４，５，６｝を含み、重複するＨＡＲＱプロセスは期待されない（例えば、ＨＰＧ１とＨＰＧ２が、同じＨＡＲＱプロセス及び／又は同じＨＡＲＱプロセス番号／ＩＤを含むことは期待されない）。この例では、最小ＤＦＩ時間遅延１がＨＰＧ１に対して設定され、最小ＤＦＩ時間遅延２がＨＰＧ２に対して設定される。ＵＥがＨＡＲＱプロセス｛２，  ３，  ４｝を持つＣＧ１及びＨＡＲＱプロセス｛３，  ４，  ５｝を持つＣＧ２で設定される場合、ＨＡＲＱプロセス｛３｝及び／又はＨＡＲＱプロセス｛４｝を持つＣＧ１及び／又はＣＧ２を介した上りリンク伝送は、最小ＤＦＩ時間遅延１に関連付けられる。代替的及び／又は追加的に、ＨＡＲＱプロセス｛２｝を持つＣＧ１を介した上りリンク伝送は、最小ＤＦＩ時間遅延１に関連付けられる。代替的及び／又は追加的に、ＨＡＲＱプロセス｛５｝を持つＣＧ２を介した上りリンク伝送は、最小ＤＦＩ時間遅延２に関連付けられる。
【０１２８】
別の例では、ＵＥは、（例えば、免許不要のセル上の）設定済グラント上りリンク伝送のためにＨＡＲＱプロセス｛１〜６｝で設定される。いくつかの例において、ＨＡＲＱプロセス｛１〜６｝の各ＨＡＲＱプロセスは、最小ＤＦＩ時間遅延ｉ（ｉ＝１〜６）に関連付けられる（例えば、それで設定される）（例えば、ＨＡＲＱプロセス｛１｝は最小ＤＦＩ時間遅延１で設定されてもよく、ＨＡＲＱプロセス｛２｝は最小ＤＦＩ時間遅延２で設定されてもよいなど）。ＵＥは、設定済グラント（例えば、１つの設定済グラント）を介して上りリンク伝送を送信することができ、上りリンク伝送は、ＨＡＲＱプロセス｛３｝を持つ。受信したＤＦＩ及び／又はＰＤＣＣＨが、上りリンク伝送に応答するＨＡＲＱ情報を含む及び／又は提供するかどうかを判定する（及び／又は、検証する）ために、最小ＤＦＩ時間遅延３がＵＥによって判定（及び／又は、使用）され得る。
【０１２９】
いくつかの例において、ネットワークは、キャリア及び／又はセル上で共有スペクトルチャネルアクセスを用いて動作する。ネットワークは、キャリア又はセル上の１つ以上の上りリンク伝送に対する複数の設定済グラントでＵＥを設定する。複数の設定済グラントは、第１の設定済グラントと第２の設定済グラント（及び／又は、第１の設定済グラントと第２の設定済グラントに加えて、１つ以上の他の設定済グラント）を含む。
【０１３０】
いくつかの例において、ネットワークは、（ＵＥの１つ以上のＨＡＲＱプロセス番号／ＩＤの）各ＨＡＲＱプロセス番号／ＩＤに対してパラメータ（例えば、１つのパラメータ）を設定する。いくつかの例において、パラメータは、（例えば、ＵＥの１つ以上のＨＡＲＱプロセス番号／ＩＤの）各ＨＡＲＱプロセス番号／ＩＤに対して、最小ＤＦＩ時間遅延を設定及び／又はセッティングするために使用される。代替的及び／又は追加的に、ネットワークは、ＵＥの１つ以上のＨＡＲＱプロセス番号／ＩＤに対して１つ以上のパラメータを設定することができ、１つ以上のパラメータの各パラメータは、ＵＥの１つ以上のＨＡＲＱプロセス番号／ＩＤのうちのＨＡＲＱプロセス番号／ＩＤに対する最小ＤＦＩ時間遅延を設定及び／又はセッティングするために使用される。
【０１３１】
代替的及び／又は追加的に、ネットワークは、（ＵＥの１つ以上のＨＡＲＱプロセス番号／ＩＤグループの）各ＨＡＲＱプロセス番号／ＩＤグループに対してパラメータ（例えば、１つのパラメータ）を設定してもよい。いくつかの例において、パラメータは、（例えば、ＵＥの１つ以上のＨＡＲＱプロセス番号／ＩＤグループの）各ＨＡＲＱプロセス番号／ＩＤグループに対して最小ＤＦＩ時間遅延を設定及び／又はセッティングするために使用される。代替的及び／又は追加的に、ネットワークは、ＵＥの１つ以上のＨＡＲＱプロセス番号／ＩＤグループに対して１つ以上のパラメータを設定することができ、１つ以上のパラメータの各パラメータは、ＵＥの１つ以上のＨＡＲＱプロセス番号／ＩＤグループのうちのＨＡＲＱプロセス番号／ＩＤグループに対する最小ＤＦＩ時間遅延を設定及び／又はセッティングするために使用される。
【０１３２】
一例では、ネットワークは、ＨＡＲＱプロセス番号ｘを持つ第２のリソース上の第２の上りリンク伝送を受信する。ネットワークは、第２のスロットにおいて第２のＤＦＩを含む第２のＰＤＣＣＨを送信する。いくつかの例において、ネットワークは、第２のＤＦＩが、間隔（例えば、第２のＤＦＩと第２のリソースとの間の時間長及び／又は距離などの間隔）に基づいて、かつＨＡＲＱプロセス番号ｘに対する最小ＤＦＩ時間遅延に基づいて、第２の上りリンク伝送に応答するＨＡＲＱ情報を含む及び／又は提供するかどうかを判定する。代替的及び／又は追加的に、ネットワークは、間隔（例えば、第２のＤＦＩと第２のリソースとの間の時間長及び／又は距離などの間隔）に基づき、かつＨＡＲＱプロセス番号ｘを含むＨＡＲＱプロセス番号／ＩＤグループに対する最小ＤＦＩ時間遅延に基づいて、第２の上りリンク伝送に応答して、第２のＤＦＩがＨＡＲＱ情報を含む及び／又は提供するかどうかを判定することができる。
【０１３３】
ＵＥは、キャリア及び／又はセル上で共有スペクトルチャネルアクセスを用いて動作する。ＵＥは、キャリア又はセル上の１つ以上の上りリンク伝送に対する複数の設定済グラントで設定される（及び／又は、それで設定するための信号を受信する）。複数の設定済グラントは、第１の設定済グラントと第２の設定済グラント（及び／又は、第１の設定済グラントと第２の設定済グラントに加えて、１つ以上の他の設定済グラント）を含む。
【０１３４】
いくつかの例において、ＵＥは、（ＵＥの１つ以上のＨＡＲＱプロセス番号／ＩＤの）各ＨＡＲＱプロセス番号／ＩＤに対するパラメータ（例えば、１つのパラメータ）で設定（及び／又は、それで設定のための信号を受信）し、パラメータは、（例えば、ＵＥの１つ以上のＨＡＲＱプロセス番号／ＩＤの）各ＨＡＲＱプロセス番号／ＩＤに対する最小ＤＦＩ時間遅延を設定及び／又はセッティングするために使用される。代替的及び／又は追加的に、ＵＥは、ＵＥの１つ以上のＨＡＲＱプロセス番号／ＩＤに対する１つ以上の１つ以上のパラメータで設定  （及び／又は、それで設定するための信号を受信）することができ、１つ以上のパラメータの各パラメータは、ＵＥの１つ以上のＨＡＲＱプロセス番号／ＩＤのうちのＨＡＲＱプロセス番号／ＩＤに対する最小ＤＦＩ時間遅延を設定及び／又はセッティングするために使用される。
【０１３５】
代替的及び／又は追加的に、ＵＥは、（ＵＥの１つ以上のＨＡＲＱプロセス番号／ＩＤグループの）各ＨＡＲＱプロセス番号／ＩＤグループに対するパラメータ（例えば、１つのパラメータ）で設定（及び／又は、それで設定するための信号を受信）し、パラメータは、（例えば、ＵＥの１つ以上のＨＡＲＱプロセス番号／ＩＤグループの）各ＨＡＲＱプロセス番号／ＩＤグループに対する最小ＤＦＩ時間遅延を設定及び／又はセッティングするために使用される。代替的及び／又は追加的に、ＵＥは、ＵＥの１つ以上のＨＡＲＱプロセス番号／ＩＤグループに対する１つ以上のパラメータで設定されてもよく（及び／又は、それで設定するための信号を受信してもよく）、１つ以上のパラメータの各パラメータは、ＵＥの１つ以上のＨＡＲＱプロセス番号／ＩＤグループのうちのＨＡＲＱプロセス番号／ＩＤグループに対する最小ＤＦＩ時間遅延を設定及び／又はセッティングするために使用される。
【０１３６】
一例では、ＵＥは、ＨＡＲＱプロセス番号ｘを持つ第２のリソース上で第２の上りリンク伝送を送信する。ＵＥは、第２のスロットにおいて第２のＤＦＩを含む第２のＰＤＣＣＨを受信する。いくつかの例において、ＵＥは、第２のＤＦＩが、間隔（例えば、第２のＤＦＩと第２のリソースとの間の時間長及び／又は距離などの間隔）に基づいて、かつＨＡＲＱプロセス番号ｘに対する最小ＤＦＩ時間遅延に基づいて、第２の上りリンク伝送に応答するＨＡＲＱ情報を含む及び／又は提供するかどうかを判定する。代替的及び／又は追加的に、ＵＥは、第２のＤＦＩが、間隔（例えば、第２のＤＦＩと第２のリソースとの間の時間長及び／又は距離などの間隔）に基づいて、かつ例えば、ＨＡＲＱプロセス番号ｘを含むＨＡＲＱプロセス番号／ＩＤグループに対する最小ＤＦＩ時間遅延に基づいて、第２の上りリンク伝送に応答するＨＡＲＱ情報を含む及び／又は提供するかどうかを判定することができる。
【０１３７】
いくつかの例において、ＨＡＲＱプロセス番号／ＩＤグループは、１つ以上のＨＡＲＱプロセス番号／ＩＤを含む。いくつかの例において、１つ以上のＨＡＲＱプロセス番号／ＩＤは、ＨＡＲＱプロセス番号／グループに対するパラメータと関連付けられ、及び／又は、それを使用する（例えば、パラメータは、ＨＡＲＱプロセス番号／ＩＤグループの１つ以上のＨＡＲＱプロセス番号／ＩＤに対する最小ＤＦＩ時間遅延を設定及び／又はセッティングするために使用されてもよい）。いくつかの例において、ＨＡＲＱプロセス番号／ＩＤグループは、連続するＨＡＲＱプロセス番号／ＩＤを含む。いくつかの例において、異なるＨＡＲＱプロセス番号／ＩＤグループは、重複しないＨＡＲＱプロセス番号／ＩＤを含む（例えば、第１のＨＡＲＱプロセス番号／ＩＤグループは、第２のＨＡＲＱプロセス番号／ＩＤグループと同じＨＡＲＱプロセス番号／ＩＤを含まないことがある）。例えば、ＨＡＲＱプロセス番号／ＩＤグループとは異なる第２のＨＡＲＱプロセス番号／ＩＤグループは、１つ以上のＨＡＲＱプロセス番号／ＩＤと重複しない１つ以上の第２のＨＡＲＱプロセス番号／ＩＤを含んでもよい。
【０１３８】
いくつかの例において、ＵＥは、第１のＨＡＲＱプロセス番号／ＩＤグループ及び／又は第２のＨＡＲＱプロセス番号／ＩＤグループで設定される（例えば、ネットワークは、第１のＨＡＲＱプロセス番号／ＩＤグループ及び／又は第２のＨＡＲＱプロセス番号／ＩＤグループでＵＥを設定してもよい）。いくつかの例において、第１のＨＡＲＱプロセス番号／ＩＤグループのＨＡＲＱプロセス番号／ＩＤ（例えば、ＨＡＲＱプロセス番号／ＩＤは、第１のＨＡＲＱプロセス番号／ＩＤグループに属している、及び／又はこれ内にある）は、第２のＨＡＲＱプロセス番号／ＩＤグループなどの（例えば、ＵＥの）１つ以上の他のＨＡＲＱプロセス番号／ＩＤグループに属していない、及び／又はこれ内にある。
【０１３９】
いくつかの例において、ＵＥは、１つ以上の設定済グラント（例えば、複数の設定済グラント）の各設定済グラントに対するＨＡＲＱプロセス番号／ＩＤのセット（例えば、ＨＡＲＱプロセス番号／ＩＤの１セット）で設定され、ＨＡＲＱプロセス番号／ＩＤのセット（例えば、ＨＡＲＱプロセス番号／ＩＤの１セット）は、１つ以上のＨＡＲＱプロセス番号／ＩＤを含む。いくつかの例において、ネットワークは、１つ以上の設定済グラント（例えば、複数の設定済グラント）の各設定済グラントに対するＨＡＲＱプロセス番号／ＩＤのセット（例えば、ＨＡＲＱプロセス番号／ＩＤの１セット）でＵＥを設定し、ＨＡＲＱプロセス番号／ＩＤのセット（例えば、ＨＡＲＱプロセス番号／ＩＤの１セット）は、１つ以上のＨＡＲＱプロセス番号／ＩＤを含む。
【０１４０】
いくつかの例において、ＵＥは、第１の設定済グラントに対するＨＡＲＱプロセス番号／ＩＤの第１のセットで設定され、及び／又はＵＥは、第２の設定済グラントに対するＨＡＲＱプロセス番号／ＩＤの第２のセットで設定される。ＨＡＲＱプロセス番号／ＩＤの第１のセットは、ＨＡＲＱプロセス番号ｘ、及び／又はＨＡＲＱプロセス番号／ＩＤの第２のセットは、ＨＡＲＱプロセス番号ｘを含む。いくつかの例において、ＵＥは、ネットワークによって、複数の設定済グラントに対する１つ以上のＨＡＲＱプロセス番号／ＩＤで設定される。いくつかの例において、１つ以上のＨＡＲＱプロセス番号／ＩＤは、複数の設定済グラントに対して共通である。いくつかの例において、ＨＡＲＱプロセス番号ｘは、１つ以上のＨＡＲＱプロセス番号／ＩＤに含まれる。ＵＥは、第１のリソース上で第１の上りリンク伝送を送信し、及び／又は第２のリソース上で第２の上りリンク伝送を送信する。第１の上りリンク伝送及び／又は第２の上りリンク伝送は、ＵＥ（例えば、同じＵＥ）によって送信される。いくつかの例において、第１の上りリンク伝送及び／又は第２の上りリンク伝送は、ＴＢを送達及び／又は搬送する（例えば、同じＴＢが第１の上りリンク伝送及び第２の上りリンク伝送によって送達及び／又は搬送される）。いくつかの例において、第１の上りリンク伝送と第２の上りリンク伝送は、同じＨＡＲＱプロセス番号／ＩＤを持つ。第１の上りリンク伝送は、時間領域における第２の上りリンク伝送より早くてもよい。代替的及び／又は追加的に、第１の上りリンク伝送は、ＴＢの初期送信であってもよく、第２の上りリンク伝送は、ＴＢの再送であってもよい。いくつかの例において、ＵＥは、第１のスロットにおいて第１のＰＤＣＣＨを受信する。代替的及び／又は追加的に、ＵＥは、第２のスロットにおいて第２のＰＤＣＣＨを受信してもよい。第１のスロット及び／又は第１のＰＤＣＣＨは、時間領域における第１の上りリンク伝送の後及び／又はそれより遅い。第２のスロット及び／又は第２のＰＤＣＣＨは、時間領域における第２の上りリンク伝送の後及び／又はそれより遅い。
【０１４１】
いくつかの例において、第１のＰＤＣＣＨは、第１のＤＦＩを含む及び／又は提供する。第１の上りリンク伝送及び／又は第１のリソースは、第１の設定済グラントに関連付けられた（及び／又は、それに基づいて判定される）。いくつかの例において、第２の上りリンク伝送及び／又は第２のリソースは、第２の設定済グラントに関連付けられた（及び／又は、それに基づいて判定される）。代替的及び／又は追加的に、第２の上りリンク伝送及び／又は第２のリソースは、第２の動的グラント（例えば、動的スケジューリンググラント）に関連付けられる（及び／又は、それに基づいて判定される、及び／又は、スケジュールされる）。第１のＤＦＩ及び／又は第２のＤＦＩは、ＨＡＲＱ情報がないことを示す、又は１つ以上のＨＡＲＱ情報を示す１つ以上のビットを含んでもよい。１つ以上のビットの数は１６ビットであり得る。代替的及び／又は追加的に、１つ以上のビットのビットの数は、キャリア又はセルに対するＨＡＲＱプロセス番号／ＩＤの量（及び／又は数）に等しくてもよい。代替的及び／又は追加的に、１つ以上のビットのビット数は、キャリア又はセル上の設定済グラントに関連付けられた上りリンク伝送に使用され得るＨＡＲＱプロセス番号／ＩＤの量（及び／又は数）に等しくてもよい。
【０１４２】
いくつかの例において、ＵＥは、第１のＤＦＩが、第１の間隔（例えば、第１のＤＦＩと第１のリソースとの間の時間長及び／又は距離などの間隔）に基づいて、かつＨＡＲＱプロセス番号ｘに対する最小ＤＦＩ時間遅延に基づいて、第１の上りリンク伝送に応答するＨＡＲＱ情報を含む及び／又は提供するかどうかを判定する。代替的及び／又は追加的に、ＵＥは、第１のＤＦＩが、第１の間隔及び例えば、ＨＡＲＱプロセス番号ｘを含むＨＡＲＱプロセス番号／ＩＤグループに対する最小ＤＦＩ時間遅延に基づいて、第１の上りリンク伝送に応答するＨＡＲＱ情報を含む及び／又は提供するかどうかを判定してもよい。代替的及び／又は追加的に、ＵＥは、第１のＤＦＩが、第１の間隔及びＨＡＲＱプロセス番号ｘに対する最小ＤＦＩ時間遅延に基づいて、第１の上りリンク伝送に応答するＨＡＲＱ情報を含む及び／又は提供するかどうかを判定してもよい。代替的及び／又は追加的に、ＵＥは、第１のＤＦＩが、第１の間隔及び例えば、ＨＡＲＱプロセス番号ｘを含むＨＡＲＱプロセス番号／ＩＤグループに対する最小ＤＦＩ時間遅延に基づいて、第１の上りリンク伝送に応答する有効なＨＡＲＱ情報を含む及び／又は提供するかどうかを判定してもよい。いくつかの例において、第１の間隔は、第１のＰＤＣＣＨの初期シンボル（例えば、第１のＰＤＣＣＨの初期シンボルの開始シンボル境界）と第１のリソースの最後のシンボル（例えば、終了シンボル）  （例えば、第１のリソースの最終シンボルの終了シンボル境界）との間である。
【０１４３】
いくつかの例において、ＵＥは、第２のＤＦＩが、第２の間隔（例えば、第２のＤＦＩと第２のリソースとの間の時間長及び／又は距離などの間隔）に基づいて、かつＨＡＲＱプロセス番号ｘに対する最小ＤＦＩ時間遅延に基づいて、第２の上りリンク伝送に応答する有効なＨＡＲＱ情報を含む及び／又は提供するかどうかを判定する。代替的及び／又は追加的に、ＵＥは、第２のＤＦＩが、第２の間隔及び例えばＨＡＲＱプロセス番号ｘを含むＨＡＲＱプロセス番号／ＩＤグループに対する最小ＤＦＩ時間遅延に基づいて、第２の上りリンク伝送に応答する有効なＨＡＲＱ情報を含む及び／又は提供するかどうかを判定してもよい。いくつかの例において、第２の間隔は、第２のＰＤＣＣＨの初期シンボル（例えば、第２のＰＤＣＣＨの初期シンボルの開始シンボル境界）と第２のリソースの最後のシンボル（例えば、終了シンボル）  （例えば、第２のリソースの最終シンボルの終了シンボル境界）との間である。
【０１４４】
いくつかの例において、第１の間隔が、ＨＡＲＱプロセス番号ｘに対する最小ＤＦＩ時間遅延よりも小さい場合、第１のＤＦＩは、第１の上りリンク伝送及び／又は第１のリソースに応答するＨＡＲＱ情報を示さない。いくつかの例において、第１の間隔が、ＨＡＲＱプロセス番号ｘを含むＨＡＲＱプロセス番号／ＩＤグループに対する最小ＤＦＩ時間遅延より小さい場合、第１のＤＦＩは、第１の上りリンク伝送及び／又は第１のリソースに応答するＨＡＲＱ情報を示さない。
【０１４５】
いくつかの例において、第２の間隔が、ＨＡＲＱプロセス番号ｘに対する最小ＤＦＩ時間遅延より小さい場合、第２のＤＦＩは、第２の上りリンク伝送及び／又は第２のリソースに応答するＨＡＲＱ情報を示さない。いくつかの例において、第２の間隔が、ＨＡＲＱプロセス番号ｘを含むＨＡＲＱプロセス番号／ＩＤグループに対する最小ＤＦＩ時間遅延より小さい場合、第２のＤＦＩは、第２の上りリンク伝送及び／又は第２のリソースに応答するＨＡＲＱ情報を示さない。
【０１４６】
第４の概念
【０１４７】
第４の概念では、ネットワークは、キャリア及び／又はセル上で共有スペクトルチャネルアクセスを用いて動作することができる。ネットワークは、キャリア又はセル上で１つ以上の上りリンク伝送に対する複数の設定済グラントでＵＥを設定する。いくつかの例において、ネットワークは、（１つ以上の動的グラントスケジュール上りリンク伝送に対する）第１の最小ＤＦＩ時間遅延を設定及び／又はセッティングするために、ｄｇ−ｍｉｎＤＦＩ−Ｄｅｌａｙ−ｒ１６などのパラメータ（例えば、１つのパラメータ）でＵＥを設定する。いくつかの例において、ネットワークは、１つ以上の設定済グラント関連上りリンク伝送及び／又は各設定済グラントに対する第２の最小ＤＦＩ時間遅延を設定及び／又はセッティングするために、ｃｇ−ｍｉｎＤＦＩ−Ｄｅｌａｙ−ｒ１６などのパラメータ（例えば、１つのパラメータ）でＵＥに設定する（例えば、ネットワークは、複数の設定済グラントの各設定済グラントに対して、それぞれｃｇ−ｍｉｎＤＦＩ−Ｄｅｌａｙ−ｒ１６などのパラメータでＵＥに設定してもよい）。
【０１４８】
いくつかの例において、ネットワークは、ＵＥに第１の動的グラントを送信し、第１の動的グラントは、ＨＡＲＱプロセス番号／ＩＤｘを有する第１の上りリンク伝送をスケジュールする。いくつかの例において、ネットワークは、ＵＥから第１の上りリンク伝送を受信する。いくつかの例において、ネットワークは、第１のＤＦＩを含む第１のＰＤＣＣＨを送信する。いくつかの例において、ネットワークは、第１のＤＦＩが、間隔（例えば、第１のＤＦＩと第１のリソースとの間の時間長及び／又は距離などの間隔）に基づいて、かつ第１の最小ＤＦＩ時間遅延（例えば、１つ以上の動的グラントスケジュール上りリンク伝送に対する最小ＤＦＩ時間遅延）に基づいて、第１の上りリンク伝送に対する応答するＨＡＲＱプロセス番号／ＩＤｘに対する有効なＨＡＲＱ情報を含む及び／又は提供するかどうかを判定する。
【０１４９】
いくつかの例において、ネットワークは、ＵＥからＨＡＲＱプロセス番号／ＩＤｘを持つ第１の上りリンク伝送を受信する。いくつかの例において、ネットワークは、第１のＤＦＩを含む第１のＰＤＣＣＨを送信する。いくつかの例において、ネットワークは、第１のＤＦＩが、間隔（例えば、第１のＤＦＩと第１のリソースとの間の時間長及び／又は距離などの間隔）に基づいて、かつ第１の最小ＤＦＩ時間遅延に基づいて、第１の上りリンク伝送に応答するＨＡＲＱプロセス番号／ＩＤに対する有効なＨＡＲＱ情報を含む及び／又は提供するかどうかを判定する。
【０１５０】
ＵＥは、キャリア及び／又はセル上で共有スペクトルチャネルアクセスを用いて動作する。いくつかの例において、ＵＥは、キャリア又はセル上の１つ以上の上りリンク伝送に対する複数の設定済グラントでＵＥに設定するために、信号及び／又は設定（例えば、ネットワークによって送信される信号及び／又はネットワークによる設定）を受信する（例えば、ＵＥは、信号及び／又は設定を介して複数の設定済グラントで設定され得る）。代替的及び／又は追加的に、ＵＥは、（例えば、１つ以上の動的グラントスケジュール上りリンク伝送に対して）第１の最小ＤＦＩ時間遅延を設定及び／又はセッティングするために、ｄｇ−ｍｉｎＤＦＩ−Ｄｅｌａｙ−ｒ１６などのパラメータ（例えば、１つのパラメータ）でＵＥを設定するために、信号及び／又は設定（及び／又は第２の信号及び／又は第２の設定）を受信してもよい。代替的及び／又は追加的に、ＵＥは、１つ以上の設定済グラント関連上りリンク伝送に対する及び／又は各設定済グラントに対する第２の最小ＤＦＩ時間遅延を設定及び／又はセッティングするために、ｃｇ−ｍｉｎＤＦＩ−Ｄｅｌａｙ−ｒ１６などのパラメータ（例えば、１つのパラメータ）でＵＥに設定するために、信号及び／又は設定（及び／又は第３の信号及び／又は第３の設定）を受信することができる（例えば、ネットワークは、複数の設定済グラントの各々に対して、それぞれｃｇ−ｍｉｎＤＦＩ−Ｄｅｌａｙ−ｒ１６などのパラメータでＵＥを設定してもよい）。いくつかの例において、ＵＥは、ネットワークから第１の動的グラントを受信し、第１の動的グラントは、ＨＡＲＱプロセス番号／ＩＤｘを持つ第１の上りリンク伝送をスケジュールする。ＵＥは、第１の上りリンク伝送をネットワークに送信してもよい。いくつかの例において、ＵＥは、第１のＤＦＩを含む第１のＰＤＣＣＨを受信する。ＵＥは、第１のＤＦＩが、間隔（例えば、第１のＤＦＩと第１のリソースとの間の時間長及び／又は距離）に基づいて、かつ第１の最小ＤＦＩ時間遅延に基づいて、第１の上りリンク伝送に応答して、ＨＡＲＱプロセス番号／ＩＤｘに対する有効なＨＡＲＱ情報を含む及び／又は提供するかどうかを判定する。
【０１５１】
いくつかの例において、ネットワークは、キャリア及び／又はセル上で共有スペクトルチャネルアクセスを用いて動作することができる。ネットワークは、キャリア又はセル上で１つ以上の上りリンク伝送に対する複数の設定済グラントでＵＥを設定する。いくつかの例において、ネットワークは、（１つ以上の動的グラントスケジュール上りリンク伝送に対する）第１の最小ＤＦＩ時間遅延を設定及び／又はセッティングするために、ｄｇ−ｍｉｎＤＦＩ−Ｄｅｌａｙ−ｒ１６などのパラメータ（例えば、１つのパラメータ）でＵＥを設定する。いくつかの例において、ネットワークは、（例えば、複数の設定済グラントの）各設定済グラント及び／又は（例えば、複数のＢＷＰの）各ＢＷＰに対して、それぞれ第２の最小ＤＦＩ時間遅延を設定及び／又はセッティングするために、ｃｇ−ｍｉｎＤＦＩ−Ｄｅｌａｙ−ｒ１６などのパラメータ（例えば、１つのパラメータ）でＵＥに設定する。ネットワークは、ＵＥから、ＨＡＲＱプロセス番号／ＩＤ、ｘを持つ最初の第１の上りリンク伝送を受信する。ネットワークは、第１の上りリンク伝送が第１の動的グラントによってスケジュールされるかどうかに基づいて、最小ＤＦＩ時間遅延を判定（及び／又は選択）する。例えば、最小ＤＦＩ時間遅延は、第１の最小ＤＦＩ時間遅延又は第２の最小ＤＦＩ時間遅延であってもよい。例えば、第１の上りリンク伝送が第１の動的グラントによってスケジュールされる場合、ネットワークは、第１の最小ＤＦＩ時間遅延を選択してもよい（及び／又は、ネットワークによって判定される最小ＤＦＩ時間遅延が第１の最小ＤＦＩ時間遅延であってもよい）。代替的及び／又は追加的に、第１の上りリンク伝送が第１の動的グラントによってスケジュールされない場合（及び／又は、第１の上りリンク伝送が設定済グラントに関連付けられる場合）、ネットワークは、第２の最小ＤＦＩ時間遅延を選択してもよい（及び／又は、ネットワークによって判定された最小ＤＦＩ時間遅延が第２の最小ＤＦＩ時間遅延であってもよい）。いくつかの例において、ネットワークは、第１のＤＦＩを含む第１のＰＤＣＣＨを送信する。いくつかの例において、ネットワークは、第１のＤＦＩが、間隔（例えば、第１のＤＦＩと第１のリソースとの間の時間長及び／又は距離などの間隔）及び（ネットワークによって判定される）最小のＤＦＩ時間遅延に基づいて、第１の上りリンク伝送に応答するＨＡＲＱプロセス番号／ＩＤｘに対する有効なＨＡＲＱ情報を含む及び／又は提供するかどうかを判定する。
【０１５２】
ＵＥは、キャリア及び／又はセル上で共有スペクトルチャネルアクセスを用いて動作する。いくつかの例において、ＵＥは、キャリア又はセル上の１つ以上の上りリンク伝送に対する複数の設定済グラントでＵＥに設定するために、信号及び／又は設定（例えば、ネットワークによって送信される信号及び／又はネットワークによる設定）を受信する（例えば、ＵＥは、信号及び／又は設定を介して複数の設定済グラントで設定され得る）。代替的及び／又は追加的に、ＵＥは、（例えば、１つ以上の動的グラントスケジュール上りリンク伝送に対して）第１の最小ＤＦＩ時間遅延を設定及び／又はセッティングするために、ｄｇ−ｍｉｎＤＦＩ−Ｄｅｌａｙ−ｒ１６などのパラメータ（例えば、１つのパラメータ）でＵＥを設定するために、信号及び／又は設定（及び／又は第２の信号及び／又は第２の設定）を受信してもよい。代替的及び／又は追加的に、ＵＥは、１つ以上の設定済グラント関連上りリンク伝送に対する及び／又は各設定済グラントに対する第２の最小ＤＦＩ時間遅延を設定及び／又は設定するために、ｃｇ−ｍｉｎＤＦＩ−Ｄｅｌａｙ−ｒ１６などのパラメータ（例えば、１つのパラメータ）でＵＥを設定するために、信号及び／又は設定（及び／又は第３の信号及び／又は第３の構成）を受信することができる（例えば、ネットワークは、複数の設定済グラントの各々に対して、それぞれｃｇ−ｍｉｎＤＦＩ−Ｄｅｌａｙ−ｒ１６などのパラメータでＵＥに設定することができる）。ＵＥは、ＨＡＲＱプロセス番号／ＩＤｘを持つ最初の第１の上りリンク伝送をネットワークに送信する。ＵＥは、第１のＤＦＩを含む第１のＰＤＣＣＨを受信する。ＵＥは、第１の上りリンク伝送が第１の動的グラントによってスケジュールされるかどうかに基づいて、最小ＤＦＩ時間遅延を判定（及び／又は選択）する。例えば、最小ＤＦＩ時間遅延は、第１の最小ＤＦＩ時間遅延又は第２の最小ＤＦＩ時間遅延であってもよい。例えば、ＵＥは、第１の上りリンク伝送が第１の動的グラントによってスケジュールされる場合、第１の最小ＤＦＩ時間遅延を選択することができる（及び／又は、ＵＥによって判定される最小ＤＦＩ時間遅延が第１の最小ＤＦＩ時間遅延であり得る）。代替的及び／又は追加的に、第１の上りリンク伝送が第１の動的グラントによってスケジュールされない場合（及び／又は、第１の上りリンク伝送が設定済グラントに関連付けられる場合）、ＵＥは、第２の最小ＤＦＩ時間遅延を選択することができる（及び／又は、ＵＥによって判定される最小ＤＦＩ時間遅延が第２の最小ＤＦＩ時間遅延であり得る）。ＵＥは、第１のＤＦＩが、間隔（例えば、第１のＤＦＩと第１のリソースとの間の時間長及び／又は距離などの間隔）に基づき、かつ（ＵＥによって判定される）最低ＤＦＩ時間遅延に基づいて、第１の上りリンク伝送に応答するＨＡＲＱプロセス番号／ＩＤｘに対する有効なＨＡＲＱ情報を含む及び／又は提供するかどうかを判定する。
【０１５３】
信号が、１つ以上の動的グラントスケジュール上りリンク伝送に対する第１の最小ＤＦＩ時間遅延を設定及び／又はセッティングするために、ｄｇ−ｍｉｎＤＦＩ−Ｄｅｌａｙ−ｒ１６などのパラメータ（例えば、１つのパラメータ）を設定しない場合、ＵＥ及び／又はネットワークは、デフォルト値に基づいて、第１の最小ＤＦＩ時間遅延を判定することができる。いくつかの例において、デフォルト値は事前に定義される。いくつかの例において、第１の上りリンク伝送が、複数の設定済グラントのうちの設定済グラント（例えば、１つの設定済グラント）に関連付けられる及び／又は対応する場合、第２の最小ＤＦＩ時間遅延が使用される（例えば、第１のＤＣＩが、第１の上りリンク伝送に応答するＨＡＲＱプロセス番号／ＩＤｘに対する有効な有効なＨＡＲＱ情報を含む及び／又は提供するかどうかを判定するための間隔との比較のために）。代替的及び／又は追加的に、第１の上りリンク伝送が動的グラントによってスケジュールされる場合、第１の最小ＤＦＩ時間遅延が使用されてもよい（例えば、第１のＤＣＩが、第１の上りリンク伝送に応答するＨＡＲＱプロセス番号／ＩＤｘに対する有効なＨＡＲＱ情報を含む及び／又は提供するかどうかを決定するための間隔との比較のために）。いくつかの例では、第１の最小ＤＦＩ時間遅延は、キャリア及び／又はセル上のＢ（例えば、複数のＢＷＰの）ＢＷＰ毎及び／又は各ＢＷＰに対して、それぞれ設定される。代替的及び／又は追加的に、第１の最小ＤＦＩ時間遅延は、共有スペクトルチャネルアクセスを用いるキャリア毎及び／又は各キャリアに対して、それぞれ設定され得る。代替的及び／又は追加的に、第１の最小ＤＦＩ時間遅延は、共有スペクトルチャネルアクセスを用いるセル毎及び／又は各セルに対して、それぞれ設定され得る。ネットワークは、（例えば、複数のＢＷＰの）各ＢＷＰ上の各設定済グラントに対するＨＡＲＱプロセス番号／ＩＤのセット（例えば、ＨＡＲＱプロセス番号／ＩＤの１セット）でＵＥを設定することができ、ＨＡＲＱプロセス番号／ＩＤのセットは、１つ以上のＨＡＲＱプロセス番号／ＩＤを含むことができる。１つ以上のＨＡＲＱプロセス番号／ＩＤが、ＢＷＰ上の異なる設定済グラント間で共有され得る。いくつかの例において、複数の設定済グラントに対する１つ以上のＨＡＲＱプロセス番号／ＩＤセットは、ＨＡＲＱプロセス番号ｘを含まない。いくつかの例において、第１の上りリンク伝送が第１の動的グラントによってスケジュールされる場合、ネットワークは、第１のＤＦＩが、間隔（例えば、第１のＤＦＩと第１のリソースとの間の時間長及び／又は距離などの間隔）に基づいて、ＨＡＲＱプロセス番号／ＩＤｘに対する有効なＨＡＲＱ情報を含むかどうかを判定し、第１のＤＦＩが、ＨＡＲＱプロセス番号／ＩＤｘに対する有効なＨＡＲＱ情報を含む及び／又は提供するかどうかの判定は、第１の最小ＤＦＩ時間遅延に基づかなくてもよい。いくつかの例において、第１の上りリンク伝送が、複数の設定済グラントのうちの設定済グラント（例えば、１つの設定済グラント）に関連付けられる場合、ネットワークは、第１のＤＦＩが、間隔（例えば、第１のＤＦＩと第１のリソースとの間の時間長及び／又は距離などの間隔）に基づいて、ＨＡＲＱプロセス番号／ＩＤｘに対する有効なＨＡＲＱ情報を含む及び／又は提供するかどうかを判定し、第１のＤＦＩが、ＨＡＲＱプロセス番号／ＩＤｘに対する有効なＨＡＲＱ情報を含む及び／又は提供するかどうかの判定は、設定済グラントに対する第２の最小ＤＦＩ時間遅延に基づかなくてもよい。いくつかの例において、第１の上りリンク伝送が、複数の設定済グラントのうちの設定済グラント（例えば、１つの設定済グラント）に関連付けられる場合、ネットワークは、第１のＤＦＩが、間隔（例えば、第１のＤＦＩと第１のリソースとの間の時間長及び／又は距離などの間隔）に基づいて、かつＢＷＰ、セル及び／又はキャリア上の１つ以上の設定済グラント（例えば、すべての設定済グラント）に対する第２の最小ＤＦＩ時間遅延に基づかないで、ＨＡＲＱプロセス番号／ＩＤｘに対する有効なＨＡＲＱ情報を含む及び／又は提供するかどうかを判定する。いくつかの例において、第１の最小ＤＦＩ時間遅延を設定及び／又はセッティングするためのパラメータ（例えば、ｄｇ−ｍｉｎＤＦＩ−Ｄｅｌａｙ−ｒ１６）は、１つ以上の特定及び／又は具体的ＨＡＲＱプロセス番号／ＩＤなど、１つ以上の第１のＨＡＲＱプロセス番号／ＩＤを持つ１つ以上の動的グラントスケジュール上りリンク伝送に対するものである。いくつかの例において、第１の最小ＤＦＩ時間遅延は、１つ以上の第１のＨＡＲＱプロセス番号／ＩＤを持つ１つ以上の動的グラントスケジュール上りリンク伝送に対して使用され、及び／又は関連付けられる。いくつかの例において、１つ以上の第１のＨＡＲＱプロセス番号／ＩＤは、複数の設定済グラントに対して設定及び／又はそれにおける使用のために含まれる（すなわち、１つ以上の第１のＨＡＲＱプロセス番号／ＩＤは、１つ以上の動的グラント及び設定済グラント共有ＨＡＲＱプロセスに対応することができる）。代替的及び／又は追加的に、１つ以上の第１のＨＡＲＱプロセス番号／ＩＤは、複数の設定済グラントに対して設定されなくてもよい、及び／又それにおける使用のためには含まれなくてもよい（すなわち、１つ以上の第１のＨＡＲＱプロセス番号／ＩＤは、１つ以上の動的なグラント専用ＨＡＲＱプロセスに対応することができる）。いくつかの例において、１つ以上の第１のＨＡＲＱプロセス番号／ＩＤは、キャリア及び／又はセル上の１つ以上の上りリンク伝送に対して設定される及び／又はそれに対する使用のために含まれる（例えば、１つ以上の第１のＨＡＲＱプロセス番号／ＩＤは、免許不要のセルにおけるすべてのＨＡＲＱプロセスなどのＨＡＲＱプロセスに対応してもよい）。いくつかの例において、ＵＥは、（例えば、１つ以上の動的グラントスケジュール上りリンク伝送に対する）第３の最小ＤＦＩ時間遅延を設定及び／又はセッティングするためのａｓｄｇ２−ｍｉｎＤＦＩ−Ｄｅｌａｙ−ｒ１６などのパラメータ（例えば、１つのパラメータ）でＵＥに設定するために、信号及び／又は（例えば、ネットワークからの）設定を受信する。いくつかの例において、ネットワークは、（例えば、１つ以上の動的グラントスケジュール上りリンク伝送に対する）第３の最小ＤＦＩ時間遅延を設定及び／又は設定するために、ｄｇ２−ｍｉｎＤＦＩ−Ｄｅｌａｙ−ｒ１６などのパラメータ（例えば、１つのパラメータ）でＵＥを設定する。第３の最低ＤＦＩ時間遅延を設定及び／又はセッティングするためのパラメータ（例えば、ｄｇ２−ｍｉｎＤＦＩ−Ｄｅｌａｙ−ｒ１６）は、１つ以上の特定及び／又は具体的なＨＡＲＱプロセス番号／ＩＤなどの１つ以上の第２のＨＡＲＱプロセス番号／ＩＤを持つ１つ以上の動的グラントスケジュール上りリンク伝送に対するものであり得る。いくつかの例において、第３の最小ＤＦＩ時間遅延は、１つ以上の第２のＨＡＲＱプロセス番号／ＩＤを有する１つ以上の動的グラントスケジュール上りリンク伝送のために使用される、及び／又はこれに関連付けられる。いくつかの例において、１つ以上の第２のＨＡＲＱプロセス番号／ＩＤは、複数の設定済グラントに対して設定される、及び／又はそれにおける使用のために含まれる（すなわち、１つ以上の第２のＨＡＲＱプロセス番号／ＩＤは、１つ以上の動的グラント及び設定済グラント共有ＨＡＲＱプロセスに対応することができる）。代替的及び／又は追加的に、１つ以上の第２のＨＡＲＱプロセス番号／ＩＤは、複数の設定済グラントに対して設定されなくてもよい、及び／又はそれにおける使用のために含まれなくてもよい（例えば、１つ以上の第２のＨＡＲＱプロセス番号／ＩＤは、１つ以上の動的なグラント専用のＨＡＲＱプロセスに対応してもよい）。いくつかの例において、１つ以上の第２のＨＡＲＱプロセス番号／ＩＤは、キャリア上の１つ以上の上りリンク伝送に対して設定される、及び／又はそれに対する使用のために含まれる（例えば、１つ以上の第２のＨＡＲＱプロセス番号／ＩＤは、免許不要のセルにおけるすべてのＨＡＲＱプロセスなどのＨＡＲＱプロセスに対応してもよい）。いくつかの例において、第１の最小ＤＦＩ時間遅延値は、第３の最小ＤＦＩ時間遅延値と同じである。代替的及び／又は追加的に、第１の最小ＤＦＩ時間遅延値は、第３の最小ＤＦＩ時間遅延値と異なってもよい。
【０１５４】
図１２に示す例では、ＵＥは、免許不要のセルに対する１６の上りリンクＨＡＲＱプロセス番号／ＩＤを持つ。いくつかの例において、ＵＥは、ＨＡＲＱプロセス｛１〜９｝に関連付けられた設定済グラントで設定される。設定済グラントは、ＨＡＲＱプロセス｛１〜５｝を持つＣＧ１、ＨＡＲＱプロセス｛５〜８｝を持つＣＧ２、及びＨＡＲＱプロセス｛７〜９｝を持つＣＧ３を含むことができる。いくつかの例において、ＵＥは、ＨＡＲＱプロセス｛１〜９｝のうちの１つ以上のＨＡＲＱプロセスを持つ１つ以上の上りリンク伝送に対する最小ＤＦＩ時間遅延を設定及び／又はセッティングするための第１のパラメータ（例えば、ｄｇ−ｍｉｎＤＦＩＤｅｌａｙ−ｒ１６）によって設定され、ＨＡＲＱプロセス｛１〜９｝は、設定済グラントＣＧ１〜ＣＧ３で設定され、及び／又はこれに関連付けられ、１つ以上の上りリンク伝送は、動的グラントによってスケジュールされる初期及び／又は新規の上りリンク伝送及び／又は上りリンク再送を含む。いくつかの例において、ＵＥは、ＨＡＲＱプロセス｛１０〜１６｝のうちの１つ以上のＨＡＲＱプロセスを持つ１つ以上の上りリンク伝送に対する最小ＤＦＩ時間遅延を設定及び／又はセッティングするための第２のパラメータ（例えば、ｄｇ−ｍｉｎＤＦＩＤｅｌａｙ−ｒ１６）によって設定され、ＨＡＲＱプロセス｛１０〜１６｝は、設定済グラントＣＧ１〜ＣＧ３で設定されない、及び／又は設定済グラントＣＧ１〜ＣＧ３に関連付けられない、及び／又は、１つ以上の上りリンク伝送が、動的グラントによってスケジュールされる初期及び／又は新規の上りリンク伝送及び／又は上りリンク再送を含む。いくつかの例において、第１のパラメータ（例えば、ｄｇ−ｍｉｎＤＦＩＤｅｌａｙ−ｒ１６）及び第２のパラメータ（例えば、ｄｇ２−ｍｉｎＤＦＩＤｅｌａｙ−ｒ１６）は、同じ値（例えば、同じ最小ＤＦＩ時間遅延）又は異なる値（例えば、異なる最小ＤＦＩ時間遅延）を設定してもよい。
【０１５５】
図１３Ａに示す例では、ＵＥは、免許不要のセルに対する１６の上りリンクＨＡＲＱプロセス番号／ＩＤを持つ。ＵＥは、ＨＡＲＱプロセス｛１〜５｝を持つＣＧ１、ＨＡＲＱプロセス｛５〜８｝を持つＣＧ２、ＨＡＲＱプロセス｛７〜９｝を持つＣＧ３で設定され得る。いくつかの例において、ＵＥは、ＨＡＲＱプロセス｛１〜１６｝のうちの１つ以上のＨＡＲＱプロセスを持つ１つ以上の上りリンク伝送に対する最小ＤＦＩ時間遅延を設定及び／又はセッティングするための第１のパラメータ（例えば、ｄｇ−ｍｉｎＤＦＩＤｅｌａｙ−ｒ１６）によって設定され、１つ以上の上りリンク伝送は、動的グラントによってスケジュールされる初期及び／又は新規の上りリンク伝送及び／又は上りリンク再送を含む。
【０１５６】
図１３Ｂに示す例では、ＵＥは、免許不要のセルに対する１６の上りリンクＨＡＲＱプロセス番号／ＩＤを有する。ＵＥは、ＨＡＲＱプロセス｛１〜５｝を持つＣＧ１、ＨＡＲＱプロセス｛５〜８｝を持つＣＧ２、ＨＡＲＱプロセス｛７〜９｝を持つＣＧ３で設定され得る。ＵＥは、免許不要のセルに対するＨＡＲＱプロセス｛１０〜１６｝のうちの１つ以上のＨＡＲＱプロセスを持つ１つ以上の上りリンク伝送に対する最小ＤＦＩ時間遅延を設定及び／又はセッティングするための第１のパラメータ（例えば、ｄｇ−ｍｉｎＤＦＩＤｅｌａｙ−ｒ１６）によって設定され、１つ以上の上りリンク伝送は、動的グラントによってスケジュールされる初期及び／又は新規の上りリンク伝送及び／又は上りリンク再送を含む。いくつかの例において、ＨＡＲＱプロセス｛１〜９｝（例えば、ＣＧ１〜ＣＧ３のうちの少なくとも１つと共有される）を持つ動的グラントスケジュール伝送（例えば、初期及び／又は新規伝送及び／又は再送）に対して、ＵＥは、デフォルト値及び／又は予め定義された値（例えば、４ｍｓ又は４スロット、又は４時間単位など）に基づいて、（例えば、動的グラントスケジュール伝送に関連付けられた）最小ＤＦＩ時間遅延を判定（及び／又は考慮）することができる。代替的及び／又は追加的に、ＨＡＲＱプロセス｛１〜９｝（例えば、ＣＧ１〜ＣＧ３のうちの少なくとも１つと共有される）を持つ動的グラントスケジュール伝送（例えば、初期及び／又は新規伝送及び／又は再送）に対して、ＵＥは、ＣＧ１〜ＣＧ３のうちの少なくとも１つに関連づけられた１つ以上の最小ＤＦＩ時間遅延（例えば、ｃｇ−ｍｉｎＤＦＩＤｅｌａｙ−ｒ１６）に基づいて、（例えば、動的グラントスケジュール伝送に関連付けられた）最小ＤＦＩ時間遅延を判定（及び／又は考慮）することができる。
【０１５７】
図１４に示す例では、ＵＥは、免許不要のセルにおいて１つ以上のＢＷＰで設定される。１つ以上のＢＷＰは、ＢＷＰ１及びＢＷＰ２を含むことができる。ＢＷＰ１に関連付けられた第１の図１４０２によって示されるように、ＵＥは、ＢＷＰにおいてＣＧ１〜ＣＧ３で設定されてもよい。代替的及び／又は追加的に、ＢＷＰ２に関連付けられた第２の図１４０４によって示されるように、ＵＥは、ＢＷＰ２においてＣＧ４〜６で設定されてもよい。いくつかの例において、ＵＥは、同じ時間において１つのアクティブＢＷＰ（例えば、１つのアクティブＢＷＰのみ）を有する（例えば、１つ以上のＢＷＰのうちの１つのみが一度にアクティブであってもよい）。ＵＥは、ＢＷＰ１上の１つ以上の動的グラントスケジュール上りリンク伝送に対して第１の最小ＤＦＩ時間遅延を設定及び／又はセッティングするための第１のパラメータ（例えば、ｄｇ−ｍｉｎＤＦＩＤｅｌａｙ−ｒ１６）で設定されてもよい、及び／又は、ＢＷＰ２上の１つ以上の動的グラントスケジュール上りリンク伝送に対して第２の最小ＤＦＩ時間遅延を設定及び／又はセッティングするための第２のパラメータ（例えば、ｄｇ−ｍｉｎＤＦＩＤｅｌａｙ−ｒ１６）で設定されてもよい（例えば、ＵＥは、ＢＷＰ２上の１つ以上の動的グラントスケジュール上りリンク伝送に対して第２の最小ＤＦＩ時間遅延を設定及び／又はセッティングするための第２のパラメータ（例えば、ｄｇ−ｍｉｎＤＦＩＤｅｌａｙ−ｒ１６）で設定されつつ、ＢＷＰ１上の１つ以上の動的グラントスケジュール上りリンク伝送に対して第１の最小ＤＦＩ時間遅延を設定及び／又はセッティングするための第１のパラメータ（例えば、ｄｇ−ｍｉｎＤＦＩＤｅｌａｙ−ｒ１６）で設定される）。いくつかの例において、ＢＷＰ１に対する第１のパラメータ（例えば、ｄｇ−ｍｉｎＤＦＩＤｅｌａｙ−ｒ１６）は、ＨＡＲＱプロセス｛１〜９｝のために使用される（例えば、ＢＷＰ１におけるＣＧ１〜ＣＧ３に関連付けられたＨＡＲＱプロセスに基づく）。代替的及び／又は追加的に、ＢＷＰ２に対する第２のパラメータ（例えば、ｄｇ−ｍｉｎＤＦＩＤｅｌｌａｙ−ｒ１６）は、ＨＡＲＱプロセス｛１〜１２｝のために使用され得る（例えば、ＢＷＰ２におけるＣＧ４〜６に関連付けられたＨＡＲＱプロセスに基づく）。代替的及び／又は追加的に、ＢＷＰ２においてＣＧ４〜６の間に重複するＨＡＲＱプロセスがないため、ＵＥは、ＢＷＰ２に対して第２のパラメータ（例えば、ｄｇ−ｍｉｎＤＦＩＤｅｌａｙ−ｒ１６）で設定されなくてもよい。いくつかの例において、ＵＥが第２のパラメータ（例えば、ｄｇ−ｍｉｎＤＦＩＤｅｌａｙ−ｒ１６）で設定されない場合（例えば、ＢＷＰ２の場合）、ＵＥは、動的グランド上りリンク伝送に対する最小ＤＦＩ時間遅延がデフォルト値及び／又は予め定義された値（例えば、４ｍｓ又は４スロット又は４時間単位など）であると判定（及び／又は考慮）することができる。代替的及び／又は追加的に、ＵＥは、１つ以上の設定済グラントに関連付けられた１つ以上の最小ＤＦＩ時間遅延（例えば、ｃｇ−ｍｉｎＤＦＩＤｅｌａｙ−ｒ１６）に基づいて、動的グラントスケジュール上りリンク伝送に対する最小ＤＦＩ時間遅延を判定することができる。例えば、（例えば、ＢＷＰ２上の）ＨＡＲＱプロセス４を持つ動的グラントによってスケジュールされる上りリンク伝送に対して、ＵＥは、（上りリンク伝送に対する）最小ＤＦＩ時間遅延が（ＨＡＲＱプロセス４に関連付けられた）ＣＧ４に設定された最小ＤＦＩ時間遅延（例えば、ｃｇ−ｍｉｎＤＦＩＤｅｌａｙ−ｒ１６）と同じであると判定することができる。
【０１５８】
図１５に示される例において、表１５００の行１は、スロット、サブフレーム、シンボル、時間などの少なくとも１つの単位におけるタイミングに対応する。いくつかの例において、表１５００の行３に示されるように、ＵＥは、ＨＡＲＱプロセス番号／ＩＤ｛１，２，３｝及び／又は最小ＤＦＩ時間遅延１＝２を持つＣＧ１で設定される。いくつかの例において、表１５００の列３に示されるように、ＵＥは、ＨＡＲＱプロセス番号／ＩＤ｛２，３，４｝及び／又は最小ＤＦＩ時間遅延２＝４を持つＣＧ２で設定される。いくつかの例において、表１５００の行３に示されるように、ＵＥは、（例えば、ｄｇ−ｍｉｎＤＦＩＤｅｌａｙ−ｒ１６によって）最小ＤＦＩ時間遅延ｄｇ＝１で設定される。ＵＥは、タイミング１でＨＡＲＱプロセス２を有するＣＧ１の設定リソースに対して上りリンク伝送（表１５００の行２で「ＵＬ  ＨａｒｑＩＤ＝２（新規）」として示されている）を行うことができる。ＵＥは、タイミング３でＤＦＩ（「ＤＬ  ＤＦＩ  有効  （ＨａｒｑＩＤ＝２の場合ＮＡＣＫ）」として示されている）を受信することができ、及び／又は、ＵＥは、ＨＡＲＱプロセス２に対するＤＦＩが有効であるとみなすことができる（タイミング１での上りリンク伝送とタイミング３でのＤＦＩとの間の間隔が、最小ＤＦＩ時間遅延１＝２以上である２と等しいことがあるため）。したがって、ＨＡＲＱプロセス２に対するＨＡＲＱフィードバック情報は有効であり得る。一例では、ＨＡＲＱプロセス２に対するＨＡＲＱフィードバック情報はＮＡＣＫである。ＵＥは、タイミング５でＨＡＲＱプロセス２を有するＣＧ２の設定リソースに対して（例えば、ＮＡＣＫであるＨＡＲＱフィードバック情報に応答して）再送を行ってもよい（再送は、表１５００のＲｏｗ  ２に「ＨａｒｑＩＤ＝２  ＣＧ２で  （ＲｅＴＸ）」として示されている）。ＵＥは、タイミング８で第２のＤＦＩを受信する、又は第２のＤＦＩが無効であるとみなし得る（タイミング５での再送とタイミング８での第２のＤＦＩとの間の間隔が、最小ＤＦＩ時間遅延２＝４よりも小さい３に等しいことがあるため）。いくつかの例において、ＨＡＲＱプロセス２を示すタイミング８で動的グラントを受信する（表１５００のＲｏｗ  ２に「動的グラントＨａｒｑＩＤ＝２（ＲｅＴｘ）」として示されている）（動的グラントはＨＡＲＱプロセス２のための再送のために使用され得る）。動的グラントはＣＳ−ＲＮＴＩによってスクランブルされる。いくつかの例において、ＵＥは、タイミング１１で動的グラントによってスケジュールされる第２の上りリンク伝送（例えば、再送）を行う（表１５００の行２に「ＵＬ  ＨａｒｑＩＤ＝２  スケジュールされたリソースで  （ＲｅＴｘ）」として示されている）。ＵＥは、タイミング１３で第３のＤＦＩを受信し（表１５００の行２において「ＤＬ  ＤＦＩ  有効」として示されている）、かつ／又は、ＨＡＲＱプロセス２に対する第３のＤＦＩが有効であるとみなすことができる（タイミング１１での第２の上りリンク伝送とタイミング１３での第３のＤＦＩとの間の間隔は、ｄｇ−ｍｉｎＤＦＩＤｅｌａｙ−ｒ１６＝１から導出される最小ＤＦＩ遅延時間＿ｄｇ＝１以上である２に等しいことがあるため）。
【０１５９】
図１６に示される例では、表１６００の行１は、スロット、サブフレーム、シンボル、時間などのうちの少なくとも１つの単位のタイミングに対応する。いくつかの例において、表１６００の列３に示されているように、ＵＥは、タイミング１２で動的グラントを受信する（表１６００の行２に「動的グラントＨａｒｑＩＤ＝２（新規）」として示されている）。動的グラントは、Ｃｅｌｌ−ＲＮＴＩ（Ｃ−ＲＮＴＩ）によってスクランブルされる。動的グラントは、ＨＡＲＱプロセス２を示す。動的グラントは、新規及び／又は初期上りリンク伝送をスケジュールする。ＵＥは、動的グラントに基づいて、タイミング１５でＨＡＲＱプロセス２を有する上りリンク伝送を行う（表１６００の行２に「ＵＬ  ＨａｒｑＩＤ＝２  スケジュールされたリソースで（ＲｅＴＸ）」として示されている）を行う。ＵＥは、タイミング１７でＤＦＩを受信する（表１６００の行２に「ＤＬ  ＤＦＩ有効」として示されている）。ＵＥは、（表１６００の行３に示されるように）ＣＧ１及びＣＧ２に属する１つ以上のＨＡＲＱプロセスに対して、ｄｇ−ｍｉｎＤＦＩＤｅｌａｙ−ｒ１６（例えば、１）で構成される。ＵＥは、ＨＡＲＱプロセス２に対するＤＦＩが有効であるとみなす（タイミング１５における上りリンク伝送とタイミング１７におけるＤＦＩとの間の間隔は、ｄｇ−ｍｉｎＤＦＩＤｅｌａｙ−ｒ１６＝１からの最小ＤＦＩ時間遅延以上である２に等しいことがあるため）。いくつかの例において、ＵＥがｄｇ−ｍｉｎＤＦＩＤｅｌａｙ−ｒ１６で設定されない場合、ＵＥは、ＨＡＲＱプロセス２に対するＤＦＩが無効であるとみなしてもよい（タイミング１５での上りリンク伝送とタイミング１７でのＤＦＩとの間の間隔は、デフォルトの最小ＤＦＩ時間遅延＝４より小さい２に等しいことがあるため）。ＨＡＲＱプロセス２がＨＡＲＱプロセス１０で置き換えられる例では、ＵＥは、ＣＧ１及びＣＧ２に属さない１つ以上のＨＡＲＱプロセスに対して、ｄｇ２−ｍｉｎＤＦＩＤｅｌａｙ−ｒ１６（例えば、表１６００の行３に示されるように５）で設定されてもよい。ＨＡＲＱプロセス２がＨＡＲＱプロセス１０で置き換えられる例では、ＵＥは、ＨＡＲＱプロセス１０に対するＤＦＩが無効であるとみなしてもよい（タイミング１５での上りリンク伝送とタイミング１７におけるＤＦＩとの間の間隔は、ｄｇ２−ｍｉｎＤＦＩＤｅｌａｙ−ｒ１６＝５からの最小ＤＦＩ時間遅延よりも小さい２に等しいことがあるためである）。
【０１６０】
第５の概念
【０１６１】
第５の概念では、ネットワークは、キャリア及び／又はセル上で共有スペクトルチャネルアクセスを用いて動作することができる。いくつかの例において、ネットワークは、各ＨＡＲＱプロセス番号／ＩＤに対してＨＰ−ｍｉｎＤＦＩ−Ｄｅｌａｙ−ｒ１６などのパラメータ（例えば、１つのパラメータ）でＵＥを設定し、パラメータは、各ＨＡＲＱプロセス番号／ＩＤに対する最小ＤＦＩ時間遅延を設定及び／又はセッティングするために使用される。代替的及び／又は追加的に、ネットワークは、ＵＥの１つ以上のＨＡＲＱプロセス番号／ＩＤに対する１つ以上のパラメータ（例えば、ＨＰ−ｍｉｎＤＦＩ−Ｄｅｌａｙ−ｒ１６）でＵＥを設定することができ、１つ以上のパラメータの各パラメータは、ＵＥの１つ以上のＨＡＲＱプロセス番号／ＩＤのうちのＨＡＲＱプロセス番号／ＩＤに対する最小ＤＦＩ時間遅延を設定及び／又はセッティングするために使用される。代替的及び／又は追加的に、ネットワークは、各ＨＡＲＱプロセス番号／ＩＤグループに対するＨＰＧ−ｍｉｎＤＦＩ−Ｄｅｌａｙ−ｒ１６等のパラメータ（例えば、１つのパラメータ）でＵＥを設定することができ、このパラメータは、各ＨＡＲＱプロセス番号／ＩＤグループに対する最小ＤＦＩ時間遅延を設定及び／又はセッティングするために使用される。代替的及び／又は追加的に、ネットワークは、ＵＥの１つ以上のＨＡＲＱプロセス番号／ＩＤグループに対して１つ以上のパラメータ（例えば、ＨＰＧ−ｍｉｎＤＦＩ−Ｄｅｌａｙ−ｒ１６）でＵＥを設定することができ、１つ以上のパラメータの各パラメータは、ＵＥの１つ以上のＨＡＲＱプロセス番号／ＩＤグループのうちのＨＡＲＱプロセス番号／ＩＤグループに対する最小ＤＦＩ時間遅延を設定及び／又はセッティングするために使用される。いくつかの例において、ネットワークは、ＨＡＲＱプロセス番号ｘを有する第１のリソース上の第１の上りリンク伝送を受信する。ネットワークは、第１のスロットにおいて第１のＤＦＩを含む第１のＰＤＣＣＨを送信する。いくつかの例において、ネットワークは、第１のＤＦＩが、間隔（例えば、第１のＤＦＩと第１のリソースとの間の時間長及び／又は距離などの間隔）に基づいて、かつＨＡＲＱプロセス番号ｘに対する最小ＤＦＩ時間遅延に基づいて、第１の上りリンク伝送に応答するＨＡＲＱ情報を含む及び／又は提供するかどうかを判定する。代替的及び／又は追加的に、ネットワークは、第１のＤＦＩが、間隔（例えば、第１のＤＦＩと第１のリソースとの間の時間長及び／又は距離などの間隔）に基づいて、及びＨＡＲＱプロセス番号ｘを含むＨＡＲＱプロセス番号／ＩＤグループのための最小ＤＦＩ時間遅延に基づいて、第１の上りリンク伝送に応答して、ＨＡＲＱ情報を含む及び／又は提供するかどうかを判定することができる。
【０１６２】
いくつかの例において、ＵＥは、キャリア及び／又はセル上で共有スペクトルチャネルアクセスを用いて動作する。いくつかの例において、ＵＥは、ネットワークによって、各ＨＡＲＱプロセス番号／ＩＤに対するパラメータ（例えば、１つのパラメータ）で設定され（及び／又はＵＥは、これを設定するための信号をネットワークから受信し）、パラメータは、各ＨＡＲＱプロセス番号／ＩＤに対する最小ＤＦＩ時間遅延を設定及び／又はセッティングするために使用される。代替的及び／又は追加的に、ＵＥは、ネットワークによって、ＵＥの１つ以上のＨＡＲＱプロセス番号／ＩＤに対する１つ以上のパラメータで設定されてもよく（及び／又はＵＥは、これを設定するための信号をネットワークから受信してもよく）、１つ以上のパラメータの各パラメータは、ＵＥの１つ以上のＨＡＲＱプロセス番号／ＩＤののうちのＨＡＲＱプロセス番号に対する最小ＤＦＩ時間遅延を設定及び／又はセッティングするために使用される。代替的及び／又は追加的に、ＵＥは、ネットワークによって、各ＨＡＲＱプロセス番号／ＩＤグループに対するパラメータ（例えば、１つのパラメータ）で設定されてもよく（及び／又はＵＥは、これを設定するための信号をネットワークから受信してもよく）、パラメータは、各ＨＡＲＱプロセス番号／ＩＤグループに対する最小ＤＦＩ時間遅延を設定及び／又はセッティングするために使用される。代替的及び／又は追加的に、ＵＥは、ネットワークによって、ＵＥの１つ以上のＨＡＲＱプロセス番号／ＩＤグループに対する１つ以上のパラメータで設定されてもよく、（及び／又はＵＥは、これを設定するための信号をネットワークから受信してもよく）、１つ以上のパラメータの各パラメータは、ＵＥの１つ以上のＨＡＲＱプロセス番号／ＩＤグループのうちのＨＡＲＱプロセス番号／ＩＤに対する最小ＤＦＩ時間遅延を設定及び／又はセッティングするために使用される。ＵＥは、ＨＡＲＱプロセス番号ｘを有する第１のリソース上の第１の上りリンク伝送を送信する。ＵＥは、第１のスロットにおいて第１のＤＦＩを含む第１のＰＤＣＣＨを受信する。いくつかの例において、ＵＥは、第１のＤＦＩが、間隔（例えば、第１のＤＦＩと第１のリソースとの間の時間長及び／又は距離などの間隔）に基づいて、かつＨＡＲＱプロセス番号ｘに対する最小ＤＦＩ時間遅延に基づいて、第１の上りリンク伝送に応答するＨＡＲＱ情報を含む及び／又は提供するかどうかを判定する。代替的及び／又は追加的に、ＵＥは、第１のＤＦＩが、間隔（例えば、第１のＤＦＩと第１のリソースとの間の時間長及び／又は距離などの間隔）に基づいて、かつＨＡＲＱプロセス番号ｘを含むＨＡＲＱプロセス番号／ＩＤグループに対する最小ＤＦＩ時間遅延に基づいて、第１の上りリンク伝送に応答するＨＡＲＱ情報を含む及び／又は提供するかどうかを判定することができる。
【０１６３】
いくつかの例において、ネットワークは、キャリア上の１つ以上の上りリンク伝送に対する複数の設定済グラントでＵＥを設定する。複数の設定済グラントは、第１の設定済グラントと第２の設定済グラント（及び／又は、第１の設定済グラントと第２の設定済グラントに加えて、１つ以上の他の設定済グラント）を含む。例えば、ＵＥは、キャリア上の１つ以上の上りリンク伝送に対する複数の設定済グラントで設定されてもよい（及び／又は、それを設定するための信号を受信してもよい）。いくつかの例において、ＨＡＲＱプロセス番号／ＩＤグループは、１つ以上のＨＡＲＱプロセス番号／ＩＤを含む。いくつかの例において、１つ以上のＨＡＲＱプロセス番号／ＩＤは、ＨＡＲＱプロセス番号／グループに対するパラメータに関連付けられる、及び／又はこれを使用する（例えば、パラメータは、ＨＡＲＱプロセス番号／ＩＤグループの１つ以上のＨＡＲＱプロセス番号／ＩＤに対する最小ＤＦＩ時間遅延を設定及び／又はセッティングするために使用されてもよい）。いくつかの例において、ＨＡＲＱプロセス番号／ＩＤグループは、連続するＨＡＲＱプロセス番号／ＩＤを含む。いくつかの例において、異なるＨＡＲＱプロセス番号／ＩＤグループは、重複しないＨＡＲＱプロセス番号／ＩＤを含む。例えば、ＨＡＲＱプロセス番号／ＩＤグループとは異なる第２のＨＡＲＱプロセス番号／ＩＤグループは、１つ以上のＨＡＲＱプロセス番号／ＩＤと重複しない１つ以上の第２のＨＡＲＱプロセス番号／ＩＤを含んでもよい。
【０１６４】
いくつかの例において、ＵＥは、第１のＨＡＲＱプロセス番号／ＩＤグループ及び／又は第２のＨＡＲＱプロセス番号／ＩＤグループで設定される（例えば、ネットワークは、Ｕ第１のＨＡＲＱプロセス番号／ＩＤグループ及び／又は第２のＨＡＲＱプロセス番号／ＩＤグループでＵＥを設定してもよい）。いくつかの例において、第１のＨＡＲＱプロセス番号／ＩＤグループのＨＡＲＱプロセス番号／ＩＤ（例えば、ＨＡＲＱプロセス番号／ＩＤは、第１のＨＡＲＱプロセス番号／ＩＤグループに属する、及び／又はこの中にある）は、第２のＨＡＲＱプロセス番号／ＩＤグループなどの（例えば、ＵＥの）１つ以上の他のＨＡＲＱプロセス番号／ＩＤグループに属さない、及び／又はこの中にない。
【０１６５】
いくつかの例において、ＵＥは、１つ以上の設定済グラント（例えば、複数の設定済グラント）の各設定済グラントに対するＨＡＲＱプロセス番号／ＩＤのセット（例えば、ＨＡＲＱプロセス番号／ＩＤの１セット）で設定され、ＨＡＲＱプロセス番号／ＩＤのセット（例えば、ＨＡＲＱプロセス番号／ＩＤの１セット）は、１つ以上のＨＡＲＱプロセス番号／ＩＤを含む。いくつかの例において、ネットワークは、１つ以上の設定済グラント（例えば、複数の設定済グラント）の各設定済グラントに対するＨＡＲＱプロセス番号／ＩＤのセット（例えば、ＨＡＲＱプロセス番号／ＩＤの１セット）でＵＥを設定し、ＨＡＲＱプロセス番号／ＩＤのセット（例えば、ＨＡＲＱプロセス番号／ＩＤの１セット）は、１つ以上のＨＡＲＱプロセス番号／ＩＤを含む。
【０１６６】
いくつかの例において、ＵＥは、第１の設定済グラントに対するＨＡＲＱプロセス番号／ＩＤの第１のセットで設定され、及び／又はＵＥは、第２の設定済グラントに対するＨＡＲＱプロセス番号／ＩＤの第２のセットで設定される。ＨＡＲＱプロセス番号／ＩＤの第１のセットは、ＨＡＲＱプロセス番号ｘを含み、及び／又はＨＡＲＱプロセス番号／ＩＤの第２のセットは、ＨＡＲＱプロセス番号ｘを含む。いくつかの例において、ＵＥは、ネットワークによって、複数の設定済グラントに対する１つ以上のＨＡＲＱプロセス番号／ＩＤで設定される。いくつかの例において、１つ以上のＨＡＲＱプロセス番号／ＩＤは、複数の設定済グラントに対して共通である。いくつかの例において、ＨＡＲＱプロセス番号ｘは、１つ以上のＨＡＲＱプロセス番号／ＩＤに含まれる。
【０１６７】
図１７の表１７００に示される例では、ＵＥは、エントリ１〜Ｘを含む複数のエントリを有するリストで設定される。各エントリは、ＨＡＲＱプロセスグループに関連付けられる（例えば、エントリ１はＨＰＧ１に関連付けられ、エントリ２はＨＰＧ２に関連付けられる）。いくつかの例において、複数のエントリの各エントリは、１つ以上のＨＡＲＱプロセス（エントリの１つ以上のＨＡＲＱプロセスは、連続するＨＡＲＱプロセスであってもよい）を示す。いくつかの例において、複数のエントリの各エントリは、各ＨＡＲＱプロセスグループに対する最小ＤＦＩ時間遅延を設定及び／又はセッティングするためのパラメータ（例えば、ｈｐｇ−ｍｉｎＤＦＩＤｅｌａｙ−ｒ１６）を含む。一例では、エントリ１は、ＨＰＧ１に対する第１の最小ＤＦＩ時間遅延（例えば１）を設定するための第１のパラメータ（例えば、ｈｐｇ−ｍｉｎＤＦＩＤｅｌａｙ−ｒ１６）を含んでもよく、エントリ２は、ＨＰＧ２に対する第２の最小ＤＦＩ時間遅延（例えば２）を設定するための第２のパラメータ（例えば、ｈｐｇ−ｍｉｎＤＦＩＤｅｌａｙ−ｒ１６）を含んでもよい、などである。図１５に示す例では、ＵＥは、タイミング１でＨＡＲＱプロセス２を有するＣＧ１の設定リソース上で上りリンク伝送を行うことができる（表１５００の行２に「ＨａｒｑＩＤ＝２  ＣＧ１で（新規）」として示されている）。ＵＥは、タイミング３でＤＦＩを受信することができる（「表１５００の行２に「ＤＬ  ＤＦＩ  Ｖａｌｉｄ  （ＨａｒｑＩＤ＝２の場合ＮＡＣＫ）」として示されている）。ＵＥは、ＨＡＲＱプロセス２に対するＤＦＩが有効であるとみなすことができる（タイミング１での上りリンク伝送とタイミング３でのＤＦＩとの間の間隔は、最小ＤＦＩ時間遅延＝１以上の２に等しいことがあるためであり、最小ＤＦＩ時間遅延＝１は、ＨＰＧ１及び／又はＨＰＧ１に関連付けられた第１の最小ＤＦＩ時間遅延から導出される）。いくつかの例において、ＨＡＲＱプロセス２に対するＨＡＲＱフィードバック情報は有効であり、ＮＡＣＫである。ＵＥは、タイミング５でＨＡＲＱプロセス２を有するＣＧ２の設定リソース上で再送を行うことができる。ＵＥは、（ＨＡＲＱプロセス２に対する再送のために使用され得る）ＨＡＲＱプロセス２を示す動的なグラントを受信する。動的グラントはＣＳ−ＲＮＴＩによってスクランブルされる。ＵＥは、タイミング１１で動的グラントによってスケジュールされる第２の上りリンク伝送を行うことができる（表１５００の行２「ＵＬ  ＨａｒｑＩＤ＝２  スケジュールされたリソースで（ＲｅＴｘ）」として示されている）。ＵＥは、タイミング１３で第２のＤＦＩを受信し（表１５００の行２の「ＤＬ  ＤＦＩ有効」として示されている）、ＨＡＲＱプロセス２に対するＤＦＩが有効であるとみなす（タイミング１１での第２の上りリンク伝送とタイミング１３での第２のＤＦＩとの間の間隔は、最小ＤＦＩ時間遅延＝１以上である２に等しいことがあるためであり、最小ＤＦＩ時間遅延＝１は、ＨＰＧ１及び／又はＨＰＧ１に関連付けられた第１の最小ＤＦＩ時間遅延から導出される）。
【０１６８】
代替的及び／又は追加的に、いくつかの例において、ＤＧスケジュール（動的グラントスケジュール）上りリンク伝送（例えば、新規及び／又は初期伝送及び／又は再送）は、ＨＡＲＱプロセスグループに対する及び／又はＨＡＲＱプロセスに対する最小ＤＦＩ時間遅延に関連付けられてもよい（例えば、ＤＧスケジュール上りリンク伝送のみが、ＨＡＲＱプロセスグループに対する及び／又はＨＡＲＱプロセスに対する最小ＤＦＩ時間遅延に関連付けられてもよい）。例えば、図１５の表１５００に関するタイミング１３で受信された第２のＤＦＩに対する最小ＤＦＩ時間遅延、及び／又は図１６の表１６００に関するタイミング１７で受信されたＤＦＩに対する最小ＤＦＩ時間遅延は、ＨＡＲＱプロセス２を含むＨＡＲＱプロセスグループに対する最小ＤＦＩ時間遅延に基づいて判定され得る。別の例では、図１５の表１５００に関するタイミング３で受信されたＤＦＩのための最小ＤＦＩ時間遅延、及び／又は図１６の表１６００に関するタイミング６で受信されたＤＦＩのための最小ＤＦＩ時間遅延は、最小ＤＦＩ時間遅延１に基づいて判定され得る。
【０１６９】
代替的及び／又は追加的に、いくつかの例において、ＤＧスケジュールの上りリンク新規及び／又は初期送信（例えば、ＤＧスケジュール上りリンク新規及び／又は初期伝送のみ、例えば、動的グラントによってスケジュールされる新規及び／又は初期伝送のみ）は、ＨＡＲＱプロセスグループに対する及び／又はＨＡＲＱプロセスに対する最低ＤＦＩ時間遅延に関連付けられてもよい。例えば、図１６の表１６００に関するタイミング１７で受信されたＤＦＩに対する最小ＤＦＩ時間遅延は、ＨＡＲＱプロセス２を含むＨＡＲＱプロセスグループに対する最小ＤＦＩ時間遅延に基づいて判定されてもよく、図１５の表１５００に関するタイミング１３で受信された第２のＤＦＩに対する最小ＤＦＩ時間遅延は、最小ＤＦＩ時間遅延１又は最小ＤＦＩ時間遅延２に基づいて判定されてもよい。別の例では、図１５の表１５００に関するタイミング３で受信されたＤＦＩに対する最小ＤＦＩ時間遅延、及び／又は図１６の表１６００に関するタイミング６で受信されたＤＦＩのための最小ＤＦＩ時間遅延は、最小ＤＦＩ時間遅延１に基づいて判定され得る。
【０１７０】
本明細書のいくつかの実施形態に従った無線通信及び／又は無線通信のための仕様（例えば、３ＧＰＰ仕様）を拡張するために、本明細書では、拡張１〜３が提供される。拡張１〜３は、本明細書のいくつかの実施形態による実装を反映する。いくつかの実施形態によれば、拡張１〜３のうちの１つ、いくつか及び／又はすべて、及び／又は拡張１〜３のうちの１つ、いくつか及び／又はすべての一部が実装され得る。
【０１７１】
拡張１は、セクション１〜３を含み、セクション１〜３のうちの１つ、いくつか及び／又はすべて、及び／又はセクション１〜３のうちの１つ、いくつか及び／又はすべての一部が、いくつかの実施形態により実装され得る。拡張１のセクション１は太字で、「ＳＥＣＴＩＯＮ  １  ＳＴＡＲＴＳ：」という用語の後に「ＳＥＣＴＩＯＮ  １  ＥＮＤＳ」という用語が続く。拡張１のセクション２は太字で、「ＳＥＣＴＩＯＮ  ２  ＳＴＡＲＴＳ：」という用語の後に「ＳＥＣＴＩＯＮ  ２  ＥＮＤＳ」という用語が続く。拡張１のセクション３は太字で、「ＳＥＣＴＩＯＮ  ３  ＳＴＡＲＴＳ：」の後に「ＳＥＣＴＩＯＮ  ３  ＥＮＤＳ」という用語が続く。
【０１７２】
拡張１：
［外１０］
2022003770.tif 000026
【０１７３】
拡張２は、セクション４〜６を含み、セクション４〜６のうちの１つ、いくつか及び／又はすべて、及び／又はセクション４〜６のうちの１つ、いくつか及び／又はすべての一部が、いくつかの実施形態により実装され得る。拡張２のセクション４は太字で、「ＳＥＣＴＩＯＮ  ４  ＳＴＡＲＴＳ：」という用語の後に「ＳＥＣＴＩＯＮ  ４  ＥＮＤＳ」という用語が続く。拡張２のセクション５は太字で、「ＳＥＣＴＩＯＮ  ５  ＳＴＡＲＴＳ：」という用語の後に「ＳＥＣＴＩＯＮ  ５  ＥＮＤＳ」という用語が続く。拡張３のセクション６は太字で、「ＳＥＣＴＩＯＮ  ６  ＳＴＡＲＴＳ：」の後に「ＳＥＣＴＩＯＮ  ６  ＥＮＤＳ」という用語が続く。
【０１７４】
拡張２：
［外１１］
2022003770.tif 000027
【０１７５】
拡張３は、セクション７〜９を含み、セクション７〜９のうちの１つ、いくつか及び／又はすべて、及び／又はセクション７〜９のうちの１つ、いくつか及び／又はすべての一部が、いくつかの実施形態により実装され得る。拡張３セクション７は太字で、「ＳＥＣＴＩＯＮ  ７  ＳＴＡＲＴＳ：」という用語の後に「ＳＥＣＴＩＯＮ  ７  ＥＮＤＳ」という用語が続く。拡張３のセクション８は太字で、「ＳＥＣＴＩＯＮ  ８  ＳＴＡＲＴＳ：」という用語の後に「ＳＥＣＴＩＯＮ  ８  ＥＮＤＳ」という用語が続く。拡張３のセクション９は太字で、「ＳＥＣＴＩＯＮ  ９  ＳＴＡＲＴＳ：」の後に「ＳＥＣＴＩＯＮ  ９  ＥＮＤＳ」という用語が続く。
【０１７６】
拡張３：
［外１２］
2022003770.tif 000028
2022003770.tif 000029
【０１７７】
本明細書における１つ以上の実施形態、例えば１つ以上の技術、デバイス、概念、方法及び／又は上記の代替案に関して、ＣＧ設定は、タイプ１設定済グラント又はタイプ２設定済グラントに関連付けられてもよい（例えば、１つのＣＧ設定は、タイプ１設定済グラント又はタイプ２設定済グラントに関連付けられてもよい）。
【０１７８】
本明細書で説明される１つ以上の実施形態に関して、タイプ１設定済グラント（例えば、１つのタイプ１設定済グラント）は、アクティブなコマンド（例えば、アクティベーションを示すＤＣＩ及び／又はＭＡＣ  ＣＥ）を伴わない。
【０１７９】
本明細書で説明される１つ以上の実施形態に関して、タイプ２設定済グラント（例えば、１つのタイプ２設定済グラント）は、アクティブなコマンド（例えば、アクティベーションを示すＤＣＩ及び／又はＭＡＣ  ＣＥ）を受信した後及び／又はそれに応答して使用される。
【０１８０】
本明細書で説明される１つ以上の実施形態に関して、タイプ２設定済グラント（例えば、１つのタイプ２設定済グラント）は、非アクティブなコマンド（デアクティベーションを示すＤＣＩ又はＭＡＣ  ＣＥ）を受信する前に使用される。
【０１８１】
本明細書で説明される１つ以上の実施形態に関して、タイプ２設定済グラント（例えば、１つのタイプ２設定済グラント）は、期間内で使用され、その期間は、アクティブなコマンドに応答して、及び／又はそれを受信した後であり、非アクティブなコマンドを受信する前である。
【０１８２】
本明細書における１つ以上の実施形態に関して、１つ以上の設定済グラント設定は、同じタイプ（例えば、同じタイプ１又は同じタイプ２）を有することができる。
【０１８３】
本明細書で説明される１つ以上の実施形態に関して、１つ以上の設定済グラント設定は、混合タイプであってもよい（例えば、１つ以上の設定済グラント設定は、タイプ１の１つ以上の設定済グラント設定と、タイプ２の１つ以上の設定済グラント構成を含むことができる）。
【０１８４】
本明細書における１つ以上の実施形態に関して、異なる設定済グラントは、異なるスロットオフセット、異なる周期性、及び／又は異なるＨＡＲＱプロセス番号／ＩＤ範囲に関連付けられ得る。
【０１８５】
本明細書における１つ以上の実施形態に関して、タイプ１設定済グラント（例えば、１つのタイプ１設定済グラント）に関連付けられた上りリンクリソース又は上りリンク機会に対して、上りリンクリソース又は上りリンク機会は、時間領域において周期的な方式である。
【０１８６】
本明細書における１つ以上の実施形態に関して、タイプ１設定済グラント（例えば、１つのタイプ１設定済グラント）に関連付けられた上りリンクリソース又は上りリンク機会に対して、上りリンクリソース又は上りリンク機会は、同じ周波数リソース内にあり、かつ／又は、同じ周波数範囲を占有する。いくつかの例において、タイプ１設定済グラントに関連付けられた各上りリンクリソース又は各上りリンクの機会は、ＰＲＢ（Ｐｈｙｓｉｃａｌ  Ｒｅｓｏｕｒｃｅ  Ｂｌｏｃｋ）のセットを占有する。いくつかの例において、ＰＲＢのセットは、ＰＲＢ  ｘ〜  ＰＲＢ  ｙ又はインターレース構造を有するＰＲＢ（例えば、ＰＲＢ１、１１、２１、３１．．．１０１）であり得る。ＣＧ１及びＣＧ２に関連付けられた周波数リソース及び／又はＰＲＢの図が、図１８に示されている。
【０１８７】
本明細書における１つ以上の実施形態に関して、期間（例えば、タイプ２設定済グラントが使用される期間であって、期間は、アクティブなコマンドを受信することに応答して、及び／又はその後であって、非アクティブなコマンドを受信する前であり得る）中のタイプ２設定済グラント（例えば、１つのタイプ２設定済グラント）に関連付けられた上りリンクリソース又は上りリンク機会に対して、上りリンクリソース又は上りリンクリソースは、時間領域において周期的な方式である。
【０１８８】
本明細書における１つ以上の実施形態に関して、期間（例えば、タイプ２設定済グラントが使用される期間であって、期間は、アクティブなコマンドを受信することに応答して、及び／又はその後であって、非アクティブなコマンドを受信する前であり得る）中に、タイプ２設定済グラント（例えば、１つのタイプ２設定済グラント）に関連付けられた上りリンクリソース又は上りリンク機会に対して、上りリンクリソース又は上りリンク機会は、同一の周波数リソース内にある、及び／又は、同一の周波数範囲内にある。いくつかの例において、タイプ２に設定済グラントに関連付けられた各上りリンクリソース又は各上りリンク機会は、ＰＲＢのセットを占有する。いくつかの例において、ＰＲＢのセットは、ＰＲＢ  ｘ〜  ＰＲＢ  ｙ又はインターレース構造を有するＰＲＢ（例えば、ＰＲＢ１、１１、２１、３１．．．１０１）であり得る。
【０１８９】
本明細書における１つ以上の実施形態に関して、免許不要のスペクトルにおける上りリンク伝送に対して、上りリンク伝送は、ＵＣＩ（Ｕｐｌｉｎｋ  Ｃｏｎｔｒｏｌ  Ｉｎｆｏｒｍａｔｉｏｎ）を含む、送達する、及び／又は搬送することができる。
【０１９０】
本明細書における１つ以上の実施形態に関して、ＵＣＩは、上りリンク伝送に関連付けられたＮＤＩ（Ｎｅｗ  Ｄａｔａ  Ｉｎｄｉｃａｔｏｒ）、ＨＡＲＱプロセス番号／ＩＤ、及び／又はＲＶ（Ｒｅｄｕｎｄａｎｃｙ  Ｖｅｒｓｉｏｎ）を示すことができる。
【０１９１】
本明細書の１つ以上の実施形態に関して、図１９は、キャリア及び／又はセルにおいて共有スペクトルチャネルアクセスを用いて動作する上りリンクＢＷＰ及び／又はＬＢＴ帯域幅を示す。
【０１９２】
本明細書における１つ以上の実施形態に関して、ネットワークは、１つ以上のＵＥが占有時間の一部の間に上りリンク伝送を行うように、１つ以上のＵＥへの占有時間の一部を示す。
【０１９３】
本明細書における１つ以上の実施形態に関して、複数の設定済グラントは、キャリア上の同じＢＷＰ及び／又は同じＬＢＴ帯域幅で設定される。
【０１９４】
本明細書における１つ以上の実施形態に関して、キャリア上のＢＷＰは、キャリア上の１つ以上の連続するＬＢＴ帯域幅を含む。
【０１９５】
本明細書における１つ以上の実施形態に関して、ＬＢＴ帯域幅（例えば、１つのＬＢＴ帯域幅）は２０ＭＨｚである。
【０１９６】
本明細書における１つ以上の実施形態に関して、設定済グラント（例えば、１つの設定済グラント）及び／又は設定済グラント設定（例えば、１つの設定済グラント設定）は、ＨＡＲＱプロセス番号／ＩＤのセット及び／又はＨＡＲＱプロセス番号／ＩＤの範囲に関連付けられ得る。
【０１９７】
本明細書における１つ以上の実施形態に関して、各設定済グラント及び／又は各設定済グラント設定は、ＨＡＲＱプロセス番号／ＩＤの各セット及び／又はＨＡＲＱプロセス番号／ＩＤの各範囲に関連付けられてもよい。
【０１９８】
本明細書における１つ以上の実施形態に関して、設定済グラント（例えば、各設定済グラント）に対するＨＡＲＱプロセス番号／ＩＤのセット及び／又はＨＡＲＱプロセス番号／ＩＤの範囲は、設定済グラントに対する開始ＨＡＲＱプロセス番号／ＩＤ及びＨＡＲＱプロセス番号／ＩＤの量によって設定される。
【０１９９】
本明細書における１つ以上の実施形態に関して、開始ＨＡＲＱプロセス番号／ＩＤは、オフセット（例えば、Ｈａｒｑ−ＰｒｏｃＩＤ−Ｏｆｆｓｅｔ−ｒ１６）である。
【０２００】
本明細書における１つ以上の実施形態に関して、ＨＡＲＱプロセス番号／ＩＤの量は、量（すなわち、ｎｒｏｆＨＡＲＱ−Ｐｒｏｃｅｓｓ）である。
【０２０１】
本明細書における１つ以上の実施形態に関して、最小ＤＦＩ時間遅延の値は、シンボルの単位である。
【０２０２】
本明細書における１つ以上の実施形態に関して、設定済グラントに対するパラメータ（最小ＤＩＦ時間遅延をセッティングするために存在する場合）は、ｃｇ−ｍｉｎＤＦＩ−Ｄｅｌａｙを介する。
【０２０３】
本明細書における１つ以上の実施形態に関して、設定済グラント設定（例えば、１つの設定済グラント設定）は、ＣｏｎｆｉｇｕｒｅｄＧｒａｎｔＣｏｎｆｉｇ  （例えば、１つのＣｏｎｆｉｇｕｒｅｄＧｒａｎｔＣｏｎｆｉｇ）を介して及び／又はそれに関連付けられる。
【０２０４】
本明細書における１つ以上の実施形態に関して、設定済グラント（例えば、１つの設定済グラント）は、ＣｏｎｆｉｇｕｒｅｄＧｒａｎｔＣｏｎｆｉｇ  （例えば、１つのＣｏｎｆｉｇｕｒｅｄＧｒａｎｔＣｏｎｆｉｇ）に関連付けられる。
【０２０５】
前述の技術及び／又は実施形態の１つ、いくつか、及び／又はすべてを、新しい実施形態に形成することができる。
【０２０６】
いくつかの例において、第１の概念、第２の概念、第３の概念、第４の概念、及び第５の概念に関して説明された実施形態などの、本明細書に開示された実施形態は、独立して、及び／又は別々に実装されてもよい。代替的及び／又は追加的に、第１の概念、第２の概念、第３の概念、第４の概念、及び／又は第５の概念に関して説明された実施形態など、本明細書で説明された実施形態の組み合わせが実装されてもよい。代替的及び／又は追加的に、第１の概念、第２の概念、第３の概念、第４の概念、及び／又は第５の概念に関して説明した実施形態など、本明細書で説明された実施形態の組み合わせは、同時期及び／又は同時に実装されてもよい。
【０２０７】
本開示の種々の技術、実施形態、方法および／または選択肢は、独立して、および／または互いに分離して実施されてもよい。代替的および／または追加的に、本開示の様々な技術、実施形態、方法、および／または選択肢は、単一のシステムを用いて組み合わされ、および／または実施されてもよい。代替的および／または追加的に、本開示の様々な技術、実施形態、方法、および／または代替物は、同時期及び／又は同時に実装されてもよい。
【０２０８】
図２０は、キャリア及び／又はセル上で共有スペクトルチャネルアクセスを用いて動作するＵＥの観点からの、１つの例示的な実施形態によるフローチャート２０００である。ステップ２００５において、ＵＥは、基地局から、キャリア及び／又はセルのＢＷＰにおける上りリンク伝送に対する複数のＣＧを設定するための設定を受信する。一例では、ＵＥには、設定を使用して複数のＣＧが設定されてもよく、及び／又はＵＥは、キャリア及び／又はセルのＢＷＰにおける上りリンク伝送のために複数のＣＧを使用してもよい。複数のＣＧは、第１のＣＧ及び第２のＣＧ  （及び／又は第１のＣＧ及び第２のＣＧに加えて１つ以上の他のＣＧ）を含む。ステップ２０１０において、ＵＥは、設定に従って、第１のＣＧのための第１の最小ＤＦＩ時間遅延を設定し、第１の最小ＤＦＩ時間遅延は、１つ以上の第１の上りリンク伝送に応答するＨＡＲＱ情報を検証するためのものである（例えば、第１の最小ＤＦＩ時間遅延は、１つ以上の第１の上りリンク伝送に応答するＨＡＲＱ情報の１つ以上のセットを検証するために使用される）。１つ以上の第１の上りリンク伝送は、ＵＥによって行われる１つ以上の上りリンク伝送を含み得る。ステップ２０１５において、ＵＥは、設定に従って、第２のＣＧのための第２の最小ＤＦＩ時間遅延を設定し、第２の最小ＤＦＩ時間遅延は、１つ以上の第２の上りリンク伝送に応答するＨＡＲＱ情報を検証するためのものである（例えば、第２の最小ＤＦＩ時間遅延は、１つ以上の第２の上りリンク伝送に応答するＨＡＲＱ情報の１つ以上のセットを検証するために使用される）。１つ以上の第２の上りリンク伝送は、ＵＥによって行われる１つ以上の上りリンク伝送を含み得る。ＵＥは、第２の最小ＤＦＩ時間遅延が、第１の最小ＤＦＩ時間遅延とは異なる値を持つことを期待しない。例えば、ＵＥは、第１の最小ＤＦＩ時間遅延と第２の最小ＤＦＩ時間遅延との間の異なる値が設定されることを期待しなくてもよく、及び／又は、ＵＥは、第１の最小ＤＦＩ時間遅延と第２の最小ＤＦＩ時間遅延が同じ値に対応することを期待し得る。
【０２０９】
一実施形態では、ＵＥは、設定に従って、第１のＣＧのための１つ以上のＨＡＲＱプロセスの第１のセットを設定（及び／又は関連付け）する。ＵＥは、設定に従って、第２のＣＧのための１つ以上のＨＡＲＱプロセスの第２のセットを構成（及び／又は関連付け）する。一実施形態では、１つ以上の第１の上りリンク伝送は、第１のＣＧに関連付けられる。一実施形態では、１つ以上の第２の上りリンク伝送は、第２のＣＧに関連付けられる。
【０２１０】
一実施形態では、第１の最小ＤＦＩ時間遅延の第１の値は、１つ以上のＨＡＲＱプロセスの第１のセット及び１つ以上のＨＡＲＱプロセスの第２のセットのＨＡＲＱプロセスの各セットが同じ（例えば、共有）ＨＡＲＱプロセスを含むことに基づいて、第２の最小ＤＦＩ時間遅延の第２の値と同じである。例えば、第１の値は、１つ以上のＨＡＲＱプロセスの第１のセット及び１つ以上のＨＡＲＱプロセスの第２のセットのＨＡＲＱプロセスの各セットが同じ（例えば、共有）ＨＡＲＱプロセスを含む場合、第２の値と同じである。
【０２１１】
一実施形態では、ＵＥは、１つ以上のＨＡＲＱプロセスの第１のセット及び１つ以上のＨＡＲＱプロセスの第２のセットのＨＡＲＱプロセスの各セットが同じ（例えば、共有）ＨＡＲＱプロセスを含むことに基づいて、第２の最小ＤＦＩ時間遅延が、第１の最小ＤＦＩ時間遅延とは異なる値を持つことを期待しない（及び／又は、ＵＥは、第１の最小ＤＦＩ時間遅延と第２の最小ＤＦＩ時間遅延との間の異なる値が設定されることを期待しなくてもよい）。例えば、ＵＥは、１つ以上のＨＡＲＱプロセスの第１のセット及び１つ以上のＨＡＲＱプロセスの第２のセットのＨＡＲＱプロセスの各セットが同じ（例えば、共有）ＨＡＲＱプロセスを含む場合、第２の最小ＤＦＩ時間遅延が、第１の最小ＤＦＩ時間遅延とは異なる値を持つことを期待しない（及び／又は、ＵＥは、第１の最小ＤＦＩ時間遅延と第２の最小ＤＦＩ時間遅延との間の異なる値が設定されることを期待しなくてもよい）。
【０２１２】
一実施形態では、第１の最小ＤＦＩ時間遅延の第１の値は、１つ以上のＨＡＲＱプロセスの第１のセットと１つ以上のＨＡＲＱプロセスの第２のセットとの間で共有されているＨＡＲＱプロセスがないことに基づいて（例えば、１つ以上のＨＡＲＱプロセスの第１のセットが１つ以上のＨＡＲＱプロセスの第２のセットのうちの任意のＨＡＲＱプロセスを含まないとき、及び１つ以上のＨＡＲＱプロセスの第２のセットが１つ以上のＨＡＲＱプロセスの第１のセットのうちの任意のＨＡＲＱプロセスを含まないとき）、第２の最小ＤＦＩ時間遅延の第２の値と同じである。例えば、第１の値は、１つ以上のＨＡＲＱプロセスの第１のセットと１つ以上のＨＡＲＱプロセスの第２のセットとの間で共有されているＨＡＲＱプロセスがない場合、第２の値と同じである。
【０２１３】
一実施形態では、ＵＥは、１つ以上のＨＡＲＱプロセスの第１のセットと１つ以上のＨＡＲＱプロセスの第２のセットとの間で共有されているＨＡＲＱプロセスがないことに基づいて、第２の最小ＤＦＩ時間遅延が、第１の最小ＤＦＩ時間遅延とは異なる値を持つことを期待しない（及び／又は、ＵＥは、第１の最小ＤＦＩ時間遅延と第２の最小ＤＦＩ時間遅延との間の異なる値が設定されることを期待しなくてもよい）。例えば、ＵＥは、１つ以上のＨＡＲＱプロセスの第１のセットと１つ以上のＨＡＲＱプロセスの第２のセットとの間で共有されているＨＡＲＱプロセスがない場合、第２の最小ＤＦＩ時間遅延が、第１の最小ＤＦＩ時間遅延とは異なる値を持つことを期待しない（及び／又は、ＵＥは、第１の最小ＤＦＩ時間遅延と第２の最小ＤＦＩ時間遅延との間の異なる値が設定されることを期待しなくてもよい）。
【０２１４】
一実施形態では、第１の最小ＤＦＩ時間遅延の第１の値は、１つ以上のＨＡＲＱプロセスの第１のセット及び１つ以上のＨＡＲＱプロセスの第２のセットのＨＡＲＱプロセスの各セットが同じＨＡＲＱプロセス（例えば、少なくとも１つの同じＨＡＲＱプロセス）を含むかどうかに関わらず、第２の最小ＤＦＩ時間遅延の第２の値と同じである。
【０２１５】
一実施形態では、ＵＥは、１つ以上のＨＡＲＱプロセスの第１のセット及び１つ以上のＨＡＲＱプロセスの第２のセットのＨＡＲＱプロセスの各セットが同じＨＡＲＱプロセス（例えば、少なくとも１つのＨＡＲＱプロセス）を含むかどうかに関わらず、第２の最小ＤＦＩ時間遅延が、第１の最小ＤＦＩ時間遅延とは異なる値を持つことを期待しない（及び／又は、ＵＥは、第１の最小ＤＦＩ時間遅延と第２の最小ＤＦＩ時間遅延との間の異なる値が設定されることを期待しなくてもよい）。
【０２１６】
一実施形態では、ＵＥは、第１のリソース上で第３の上りリンク伝送を送信する。代替的及び／又は追加的に、ＵＥは、第４の上りリンク伝送を第２のリソース上に送信する。代替的及び／又は追加的に、１つ以上の第１の上りリンク伝送は、第３の上りリンク伝送を含む（例えば、第３の上りリンク伝送は、１つ以上の第１の上りリンク伝送のうちの１つである）。代替的及び／又は追加的に、１つ以上の第２の上りリンク伝送は、第４の上りリンク伝送を含む（例えば、第４の上りリンク伝送は、１つ以上の第２の上りリンク伝送のうちの１つである）。代替的及び／又は追加的に、第３の上りリンク伝送及び／又は第１のリソースは、第１のＣＧに関連付けられるか、及び／又はそれに基づいて判定される。代替的及び／又は追加的に、第４の上りリンク伝送及び／又は第２のリソースは、第２のＣＧに関連付けられるか、及び／又はそれに基づいて判定される。代替的及び／又は追加的に、第４の上りリンク伝送及び／又は第２のリソースは、動的グラント（例えば、動的スケジューリンググラント）に関連付けられるか、それに基づいて判定されるか、及び／又は、スケジュールされる。代替的及び／又は追加的に、第３の上りリンク伝送と第４の上りリンク伝送の各上りリンク伝送は同じＴＢを搬送する（及び／又は送達する）。代替的及び／又は追加的に、第３の上りリンク伝送と第４の上りリンク伝送の各上りリンク伝送は同じＨＡＲＱプロセス番号である。代替的及び／又は追加的に、第３の上りリンク伝送は第４の上りリンク伝送より（時間領域において）早い。代替的及び／又は追加的に、第３の上りリンク伝送は初期送信であり、第４の上りリンク伝送はＴＢの再送である。
【０２１７】
一実施形態では、ＵＥは、第１のスロットにおいて第１のＰＤＣＣＨを受信する。代替的及び／又は追加的に、ＵＥは、第２のスロットにおいて第２のＰＤＣＣＨを受信する。代替的及び／又は追加的に、第１のスロット及び／又は第１のＰＤＣＣＨ（及び／又は、第１のＰＤＣＣＨの受信）は、第３の上りリンク伝送より遅い（及び／又はその後である）（例えば、第１のスロットの時間及び／又は第１のＰＤＣＣＨの受信の時間が、第３の上りリンク伝送よりも遅い）。代替的及び／又は追加的に、第２のスロット及び／又は第２のＰＤＣＣＨ（及び／又は、第２のＰＤＣＣＨの受信）は、第４の上りリンク伝送より遅い（及び／又はその後である）（例えば、第２のスロットの時間及び／又は第２のＰＤＣＣＨの受信の時間が、第４の上りリンク伝送よりも遅い）。代替的及び／又は追加的に、第１のＰＤＣＣＨは、第１のＤＦＩを含むか、及び／又は示す。代替的及び／又は追加的に、第２のＰＤＣＣＨは、第２のＤＦＩを含むか、及び／又はそれを示す。
【０２１８】
一実施形態では、ＵＥは、第１のＤＦＩが第３の上りリンク伝送に応答するＨＡＲＱ情報（及び／又は有効なＨＡＲＱ情報）を含む及び／又は提供するかどうかを、第１のＤＦＩと第１のリソースとの間の第１の間隔に基づいて、かつ第１の最小ＤＦＩ時間遅延又は第２の最小ＤＦＩ時間遅延に基づいて判定する。第１の間隔は、第１のＤＦＩと第１のリソースとの間の時間長及び／又は距離、例えば、第１のＤＦＩ（及び／又は第１のＰＤＣＣＨ）の受信と第１のリソースとの間の時間長及び／又は距離に対応し得る。第３の上りリンク伝送に応答するＨＡＲＱ情報（及び／又は有効なＨＡＲＱ情報）は、第３の上りリンク伝送が基地局によって正常に受信及び／又は復号されたかどうかの指示（例えば、ＡＣＫ又はＮＡＣＫのようなＨＡＲＱフィードバック）に対応し得る。
【０２１９】
一実施形態では、ＵＥは、第２のＤＦＩが第４の上りリンク伝送に応答するＨＡＲＱ情報（及び／又は有効なＨＡＲＱ情報）を含む及び／又は提供するかどうかを、第２のＤＦＩと第２のリソースとの間の第２の間隔に基づいて、かつ第１の最小ＤＦＩ時間遅延又は第２の最小ＤＦＩ時間遅延に基づいて判定する。第２の間隔は、第２のＤＦＩと第２のリソースとの間の時間長及び／又は距離、例えば、第２のＤＦＩ（及び／又は第２のＰＤＣＣＨ）の受信と第２のリソースとの間の時間長及び／又は距離に対応し得る。第４の上りリンク伝送に応答するＨＡＲＱ情報（及び／又は有効なＨＡＲＱ情報）は、第４の上りリンク伝送が基地局によって正常に受信及び／又は復号されたかどうかの指示（例えば、ＡＣＫ又はＮＡＣＫのようなＨＡＲＱフィードバック）に対応し得る。
【０２２０】
一実施形態では、ＵＥは、第１のＤＦＩが第３の上りリンク伝送に応答する（及び／又は第１のリソースに応答する）第１のＨＡＲＱ情報（及び／又は有効な第１のＨＡＲＱ情報）を含む及び／又は提供することを、第１の間隔が第１の最小ＤＦＩ時間遅延より大きいことに基づくか、又は第１の間隔が第２の最小ＤＦＩ時間遅延より大きいことに基づいて判定する。例えば、第１の間隔が第１の最小ＤＦＩ時間遅延以上である場合、及び／又は第１の間隔が第２の最小ＤＦＩ時間遅延以上である場合、ＵＥは、第１のＤＦＩが第１のＨＡＲＱ情報を含む及び／又は提供すると判定し得る。代替的及び／又は追加的に、第１の間隔が第１の最小ＤＦＩ時間遅延以上である場合、及び／又は第１の間隔が第２の最小ＤＦＩ時間遅延以上である場合、第１のＤＦＩは、第１のＨＡＲＱ情報を含む及び／又は提供することができる（及び／又は第１のＤＦＩは、第１のＨＡＲＱ情報に加えて他の情報を含む及び／又は提供することができる）。第３の上りリンク伝送に応答する（及び／又は第１のリソースに応答する）第１のＨＡＲＱ情報は、第３の上りリンク伝送が基地局によって正常に受信及び／又は復号されたかどうかの指示（例えば、ＡＣＫ又はＮＡＣＫなどのＨＡＲＱフィードバック）に対応し得る。
【０２２１】
一実施形態では、ＵＥは、第１のＤＦＩが第３の上りリンク伝送に応答する（及び／又は第１のリソースに応答する）ＨＡＲＱ情報（及び／又は有効なＨＡＲＱ情報）を含まない及び／又は提供しないことを、第１の間隔が第１の最小ＤＦＩ時間遅延より小さいことに基づくか、又は第１の間隔が第２の最小ＤＦＩ時間遅延より小さいことに基づいて判定する。例えば、第１の間隔が第１の最小ＤＦＩ時間遅延より小さい場合、及び／又は第１の間隔が第２の最小ＤＦＩ時間遅延より小さい場合、ＵＥは、第１のＤＦＩが第３の上りリンク伝送に応答する（及び／又は第１のリソースに応答する）ＨＡＲＱ情報（及び／又は有効なＨＡＲＱ情報）を含まない及び／又は提供しないと判定し得る。第３の上りリンク伝送に応答する（及び／又は第１のリソースに応答する）ＨＡＲＱ情報（及び／又は有効なＨＡＲＱ情報）は、第３の上りリンク伝送が基地局によって正常に受信及び／又は復号されたかどうかの指示（例えば、ＡＣＫ又はＮＡＣＫなどのＨＡＲＱフィードバック）に対応し得る。
【０２２２】
一実施形態では、ＵＥは、第２のＤＦＩが第４の上りリンク伝送に応答する（及び／又は第２のリソースに応答する）第２のＨＡＲＱ情報（及び／又は有効な第２のＨＡＲＱ情報）を含む及び／又は提供することを、第２の間隔が第１の最小ＤＦＩ時間遅延より大きいことに基づくか、又は第２の間隔が第２の最小ＤＦＩ時間遅延より大きいことに基づいて判定する。例えば、第２の間隔が第１の最小ＤＦＩ時間遅延以上である場合、及び／又は第２の間隔が第２の最小ＤＦＩ時間遅延以上である場合、ＵＥは、第２のＤＦＩが第２のＨＡＲＱ情報を含む及び／又は提供すると判定し得る。代替的及び／又は追加的に、第２の間隔が第１の最小ＤＦＩ時間遅延以上である場合、及び／又は第２の間隔が第２の最小ＤＦＩ時間遅延以上である場合、第２のＤＦＩは、第２のＨＡＲＱ情報を含む及び／又は提供することができる（及び／又は第２のＤＦＩは、第２のＨＡＲＱ情報に加えて他の情報を含む及び／又は提供することができる）。第４の上りリンク伝送に応答する（及び／又は第２のリソースに応答する）第２のＨＡＲＱ情報は、第２の上りリンク伝送が基地局によって正常に受信及び／又は復号されたかどうかの指示（例えば、ＡＣＫ又はＮＡＣＫなどのＨＡＲＱフィードバック）に対応し得る。
【０２２３】
一実施形態では、ＵＥは、第２のＤＦＩが第４の上りリンク伝送に応答する（及び／又は第２のリソースに応答する）ＨＡＲＱ情報（及び／又は有効なＨＡＲＱ情報）を含まない及び／又は提供しないことを、第２の間隔が第１の最小ＤＦＩ時間遅延より小さいことに基づくか、又は第２の間隔が第２の最小ＤＦＩ時間遅延より小さいことに基づいて判定する。例えば、第２の間隔が第１の最小ＤＦＩ時間遅延より小さい場合、及び／又は第２の間隔が第２の最小ＤＦＩ時間遅延より小さい場合、ＵＥは、第２のＤＦＩが第４の上りリンク伝送に応答する（及び／又は第２のリソースに応答する）ＨＡＲＱ情報（及び／又は有効なＨＡＲＱ情報）を含まない及び／又は提供しないと判定し得る。第４の上りリンク伝送に応答する（及び／又は第２のリソースに応答する）ＨＡＲＱ情報（及び／又は有効なＨＡＲＱ情報）は、第４の上りリンク伝送が基地局によって正常に受信及び／又は復号されたかどうかの指示（例えば、ＡＣＫ又はＮＡＣＫなどのＨＡＲＱフィードバック）に対応し得る。
【０２２４】
一実施形態では、ＵＥは、第３の上りリンク伝送に応答する（及び／又は第１のリソースに応答する）第１のＤＦＩによって提供される第１のＨＡＲＱ情報が、第１のＤＦＩと第１のリソースとの間の第１の間隔に基づいて、かつ第１の最小のＤＦＩ時間遅延又は第２の最小のＤＦＩ時間遅延に基づいて、有効であるかどうかを判定する。第１のＨＡＲＱ情報は、第３の上りリンク伝送が基地局によって正常に受信及び／又は復号されたかどうかの指示（例えば、ＡＣＫ又はＮＡＣＫなどのＨＡＲＱフィードバック）に対応し得る。
【０２２５】
一実施形態では、ＵＥは、第４の上りリンク伝送に応答する（及び／又は第２のリソースに応答する）第２のＤＦＩによって提供される第２のＨＡＲＱ情報が、第２のＤＦＩと第２のリソースとの間の第２の間隔に基づいて、かつ第１の最小のＤＦＩ時間遅延又は第２の最小のＤＦＩ時間遅延に基づいて、有効であるかどうかを判定する。第２のＨＡＲＱ情報は、第４の上りリンク伝送が基地局によって正常に受信及び／又は復号されたかどうかの指示（例えば、ＡＣＫ又はＮＡＣＫなどのＨＡＲＱフィードバック）に対応し得る。
【０２２６】
一実施形態では、ＵＥは、第１の間隔が第１の最小ＤＦＩ時間遅延以上であることに基づいて、又は第１の間隔が第２の最小ＤＦＩ時間遅延以上であることに基づいて、第１のＨＡＲＱ情報が有効であると判定する。例えば、ＵＥは、第１の間隔が第１の最小ＤＦＩ時間遅延以上である場合、及び／又は第１の間隔が第２の最小ＤＦＩ時間遅延以上である場合、第１のＨＡＲＱ情報が有効であると判定し得る。
【０２２７】
一実施形態では、ＵＥは、第１の間隔が第１の最小ＤＦＩ時間遅延よりも小さいことに基づいて、又は第１の間隔が第２の最小ＤＦＩ時間遅延よりも小さいことに基づいて、第１のＨＡＲＱ情報が有効でないと判定する。例えば、ＵＥは、第１の間隔が第１の最小ＤＦＩ時間遅延よりも小さい場合、及び／又は第１の間隔が第２の最小ＤＦＩ時間遅延よりも小さい場合、第１のＨＡＲＱ情報が有効でないと判定し得る。
【０２２８】
一実施形態では、ＵＥは、第２の間隔が第１の最小ＤＦＩ時間遅延以上であることに基づいて、又は第２の間隔が第２の最小ＤＦＩ時間遅延以上であることに基づいて、第２のＨＡＲＱ情報が有効であると判定する。例えば、ＵＥは、第２の間隔が第１の最小ＤＦＩ時間遅延以上である場合、及び／又は第２の間隔が第２の最小ＤＦＩ時間遅延以上である場合、第２のＨＡＲＱ情報が有効であると判定し得る。
【０２２９】
一実施形態では、ＵＥは、第２の間隔が第１の最小ＤＦＩ時間遅延よりも小さいことに基づいて、又は第２の間隔が第２の最小ＤＦＩ時間遅延よりも小さいことに基づいて、第２のＨＡＲＱ情報が有効でないと判定する。例えば、ＵＥは、第２の間隔が第１の最小ＤＦＩ時間遅延よりも小さい場合、及び／又は第２の間隔が第２の最小ＤＦＩ時間遅延よりも小さい場合、第２のＨＡＲＱ情報が有効でないと判定し得る。
【０２３０】
図３及び図４を参照すると、キャリア及び／又はセル上で共有スペクトルチャネルアクセスを用いて動作するＵＥの１つの例示的な実施形態では、デバイス３００は、メモリ３１０に記憶されたプログラムコード３１２を含む。ＣＰＵ３０８は、プログラムコード３１２を実行して、ＵＥが、（ｉ）基地局から、キャリア及び／又はセルの少なくとも１つの帯域幅部分（ＢＷＰ）における上りリンク伝送に対する複数の設定済グラントを設定するための設定を受信することであって、複数の設定済グラントは、第１の設定済グラント及び第２の設定済グラントを含む、受信することと、（ｉｉ）設定に従って、第１の設定済グラントに対する第１の最小ＤＦＩ（Ｄｏｗｎｌｉｎｋ  Ｆｅｅｄｂａｃｋ  Ｉｎｄｉｃａｔｉｏｎ）時間遅延を設定することであって、第１の最小ＤＦＩ時間遅延は、１つ以上の第１の上りリンク伝送に応答するＨＡＲＱ（Ｈｙｂｒｉｄ  Ａｕｔｏｍａｔｉｃ  Ｒｅｐｅａｔ  Ｒｅｑｕｅｓｔ）情報の検証のためのものである、設定することと、（ｉｉｉ）設定に従って、第２の設定済グラントに対する第２の最小ＤＦＩ時間遅延を設定することと、を行うことを可能にし、第２の最小ＤＦＩ時間遅延は、１つ以上の第２の上りリンク伝送に応答するＨＡＲＱ情報の検証のためのものであり、ＵＥは、第２の最小ＤＦＩ時間遅延が、第１の最小ＤＦＩ時間遅延とは異なる値を持つことを期待しない。さらに、ＣＰＵ３０８は、プログラムコード３１２を実行して、上述のアクション及びステップ、及び／又は本明細書で説明された他のもののうちの１つ、いくつか、及び／又は全てを実行することができる。
【０２３１】
図２１は、キャリア及び／又はセル上で共有スペクトルチャネルアクセスを用いて動作する基地局の観点からの１つの例示的な実施形態によるフローチャート２１００である。ステップ２１０５において、基地局は、キャリア及び／又はセルのＢＷＰにおいて上りリンク伝送するための複数のＣＧでＵＥを設定し、複数のＣＧは、第１のＣＧ及び第２のＣＧ（及び／又は、第１のＣＧ及び第２のＣＧに加えて、１つ以上の他のＣＧ）を含む。ステップ２１１０において、基地局は、第１のＣＧのための第１の最小ＤＦＩ時間遅延でＵＥを設定し、第１の最小ＤＦＩ時間遅延は、１つ以上の第１の上りリンク伝送に応答するＨＡＲＱ情報の検証のためのものである（例えば、第１の最小ＤＦＩ時間遅延は、１つ以上の第１の上りリンク伝送に応答するＨＡＲＱ情報の１つ以上のセットを検証するために使用される）。１つ以上の第１の上りリンク伝送は、ＵＥによって行われる１つ以上の上りリンク伝送を含んでもよい。ステップ２１１５において、基地局は、第２のＣＧのための第２の最小ＤＦＩ時間遅延でＵＥを設定し、第２の最小ＤＦＩ時間遅延は、１つ以上の第２の上りリンク伝送に応答するＨＡＲＱ情報の検証のためのものである（例えば、第２の最小ＤＦＩ時間遅延は、１つ以上の第２の上りリンク伝送に応答するＨＡＲＱ情報の１つ以上のセットを検証するために使用される）。１つ以上の第２の上りリンク伝送は、ＵＥによって行われる１つ以上の上りリンク伝送を含んでもよい。基地局は、第２の最小ＤＦＩ時間遅延が第１の最小ＤＦＩ時間遅延とは異なる値を有するように設定することができない（及び／又はそうするように設定されていない）。代替的及び／又は追加的に、第２の最小ＤＦＩ時間遅延が第１の最小ＤＦＩ時間遅延とは異なる値で設定されることができない。
【０２３２】
一実施形態では、基地局は、第１のＣＧに対して１つ以上のＨＡＲＱプロセスの第１のセットでＵＥを設定する。基地局は、第２のＣＧに対して１つ以上のＨＡＲＱプロセスの第２のセットでＵＥを設定します。一実施形態では、１つ以上の第１の上りリンク伝送は、第１のＣＧに関連付けられる。一実施形態では、１つ以上の第２の上りリンク伝送は、第２のＣＧに関連付けられる。
【０２３３】
一実施形態では、第１の最小ＤＦＩ時間遅延の第１の値は、１つ以上のＨＡＲＱプロセスの第１のセット及び１つ以上のＨＡＲＱプロセスの第２のセットのＨＡＲＱプロセスの各セットが同じ（例えば、共有）ＨＡＲＱプロセスを含むことに基づいて、第２の最小ＤＦＩ時間遅延の第２の値と同じである。例えば、第１の値は、１つ以上のＨＡＲＱプロセスの第１のセット及び１つ以上のＨＡＲＱプロセスの第２のセットのＨＡＲＱプロセスの各セットが同じ（例えば、共有）ＨＡＲＱプロセスを含む場合、第２の値と同じである。
【０２３４】
一実施形態では、基地局は、１つ以上のＨＡＲＱプロセスの第１のセット及び１つ以上のＨＡＲＱプロセスの第２のセットのＨＡＲＱプロセスの各セットが同じ（例えば、共有）ＨＡＲＱプロセスを含むことに基づいて、第２の最小ＤＦＩ時間遅延が、第１の最小ＤＦＩ時間遅延とは異なる値を持つように設定することができない（及び／又は、そうするように設定されない）（及び／又は、第２の最小ＤＦＩ時間遅延を第１の最小ＤＦＩ時間遅延と異なる値で設定することができなくてもよい）。例えば、基地局は、１つ以上のＨＡＲＱプロセスの第１のセット及び１つ以上のＨＡＲＱプロセスの第２のセットのＨＡＲＱプロセスの各セットが同じ（例えば、共有）ＨＡＲＱプロセスを含む場合、第２の最小ＤＦＩ時間遅延が、第１の最小ＤＦＩ時間遅延とは異なる値を持つように設定することができない（及び／又は、そうするように設定されない）（及び／又は、第２の最小ＤＦＩ時間遅延を第１の最小ＤＦＩ時間遅延と異なる値で設定することができなくてもよい）。
【０２３５】
一実施形態では、第１の最小ＤＦＩ時間遅延の第１の値は、１つ以上のＨＡＲＱプロセスの第１のセットと１つ以上のＨＡＲＱプロセスの第２のセットとの間で共有されているＨＡＲＱプロセスがないことに基づいて（例えば、１つ以上のＨＡＲＱプロセスの第１のセットが１つ以上のＨＡＲＱプロセスの第２のセットのうちの任意のＨＡＲＱプロセスを含まないとき、及び１つ以上のＨＡＲＱプロセスの第２のセットが１つ以上のＨＡＲＱプロセスの第１のセットのうちの任意のＨＡＲＱプロセスを含まないとき）、第２の最小ＤＦＩ時間遅延の第２の値と同じである。例えば、第１の値は、１つ以上のＨＡＲＱプロセスの第１のセットと１つ以上のＨＡＲＱプロセスの第２のセットとの間で共有されているＨＡＲＱプロセスがない場合、第２の値と同じである。
【０２３６】
一実施形態では、基地局は、１つ以上のＨＡＲＱプロセスの第１のセットと１つ以上のＨＡＲＱプロセスの第２のセットとの間で共有されているＨＡＲＱプロセスがないことに基づいて、第２の最小ＤＦＩ時間遅延が、第１の最小ＤＦＩ時間遅延とは異なる値を持つように設定することができない（及び／又は、そうするように設定されない）（及び／又は、第２の最小ＤＦＩ時間遅延を第１の最小ＤＦＩ時間遅延と異なる値で設定することができなくてもよい）。例えば、基地局は、１つ以上のＨＡＲＱプロセスの第１のセットと１つ以上のＨＡＲＱプロセスの第２のセットとの間で共有されているＨＡＲＱプロセスがない場合、第２の最小ＤＦＩ時間遅延が、第１の最小ＤＦＩ時間遅延とは異なる値を持つように設定することができない（及び／又は、そうするように設定されない）（及び／又は、第２の最小ＤＦＩ時間遅延を第１の最小ＤＦＩ時間遅延と異なる値で設定することができなくてもよい）。
【０２３７】
一実施形態では、第１の最小ＤＦＩ時間遅延の第１の値は、１つ以上のＨＡＲＱプロセスの第１のセット及び１つ以上のＨＡＲＱプロセスの第２のセットのＨＡＲＱプロセスの各セットが同じＨＡＲＱプロセス（例えば、少なくとも１つの同じＨＡＲＱプロセス）を含むかどうかに関わらず、第２の最小ＤＦＩ時間遅延の第２の値と同じである。
【０２３８】
一実施形態では、基地局は、１つ以上のＨＡＲＱプロセスの第１のセット及び１つ以上のＨＡＲＱプロセスの第２のセットのＨＡＲＱプロセスの各セットが同じＨＡＲＱプロセスを含むかどうかに関わらず、第２の最小ＤＦＩ時間遅延が、第１の最小ＤＦＩ時間遅延とは異なる値を持つように設定することができない（及び／又は、そうするように設定されない）（及び／又は、第２の最小ＤＦＩ時間遅延を第１の最小ＤＦＩ時間遅延と異なる値で設定することができなくてもよい）。
【０２３９】
一実施形態では、基地局は、第１のリソース上で第３の上りリンク伝送を受信する。代替的及び／又は追加的に、基地局は、第２のリソース上で第４の上りリンク伝送を受信する。代替的及び／又は追加的に、１つ以上の第１の上りリンク伝送は、第３の上りリンク伝送を含む（例えば、第３の上りリンク伝送は、１つ以上の第１の上りリンク伝送のうちの１つである）。代替的及び／又は追加的に、１つ以上の第２の上りリンク伝送は、第４の上りリンク伝送を含む（例えば、第４の上りリンク伝送は、１つ以上の第２の上りリンク伝送のうちの１つである）。代替的及び／又は追加的に、第３の上りリンク伝送及び／又は第１のリソースは、第１のＣＧに関連付けられ、及び／又はそれに基づいて判定される。代替的及び／又は追加的に、第４の上りリンク伝送及び／又は第２のリソースは、第２のＣＧに関連付けられ、及び／又はそれに基づいて判定される。代替的及び／又は追加的に、第４の上りリンク伝送及び／又は第２のリソースは、動的グラント（例えば、動的スケジューリンググラント）に関連付けられる、それに基づいて判定される、及び／又はスケジュールされる。代替的及び／又は追加的に、第３の上りリンク伝送と第４の上りリンク伝送の各上りリンク伝送は同じＴＢを搬送する（及び／又は送達する）。代替的及び／又は追加的に、第３の上りリンク伝送と第４の上りリンク伝送の各上りリンク伝送は同じＨＡＲＱプロセス番号である。代替的及び／又は追加的に、第３の上りリンク伝送は第４の上りリンク伝送より（時間領域において）早い。代替的及び／又は追加的に、第３の上りリンク伝送はＴＢの初期送信であり、第４の上りリンク伝送はＴＢの再送である。
【０２４０】
一実施形態では、基地局は、第１のスロットにおいて第１のＰＤＣＣＨを送信する。代替的に及び／又は追加的に、基地局は、第２のスロットにおいて第２のＰＤＣＣＨを送信する。代替的及び／又は追加的に、第１のスロット及び／又は第１のＰＤＣＣＨ（及び／又は、第１のＰＤＣＣＨの送信）は、第３の上りリンク伝送より遅い（及び／又はその後である）（例えば、第１のスロットの時間及び／又は第１のＰＤＣＣＨの送信の時間が、第３の上りリンク伝送よりも遅い）。代替的及び／又は追加的に、第２のスロット及び／又は第２のＰＤＣＣＨ（及び／又は、第２のＰＤＣＣＨの送信）は、第４の上りリンク伝送より遅い（及び／又はその後である）（例えば、第２のスロットの時間及び／又は第２のＰＤＣＣＨの送信の時間が、第４の上りリンク伝送よりも遅い）。代替的及び／又は追加的に、第１のＰＤＣＣＨは、第１のＤＦＩを含む及び／又は示す。代替的及び／又は追加的に、第２のＰＤＣＣＨは、第２のＤＦＩを含む及び／又は示す。
【０２４１】
一実施形態では、基地局は、第１のＤＦＩが第３の上りリンク伝送に応答するＨＡＲＱ情報（及び／又は有効なＨＡＲＱ情報）を含む及び／又は提供するかどうかを、第１のＰＤＣＣＨと第１のリソースとの間の第１の間隔に基づいて、かつ第１の最小ＤＦＩ時間遅延又は第２の最小ＤＦＩ時間遅延に基づいて判定する。第１の間隔は、第１のＰＤＣＣＨと第１のリソースとの間の時間長及び／又は距離、例えば、第１のＰＤＣＣＨの送信と第１のリソースとの間の時間長及び／又は距離に対応し得る。第３の上りリンク伝送に応答するＨＡＲＱ情報（及び／又は有効なＨＡＲＱ情報）は、第３の上りリンク伝送が基地局によって正常に受信及び／又は復号されたかどうかの指示（例えば、ＡＣＫ又はＮＡＣＫのようなＨＡＲＱフィードバック）に対応し得る。
【０２４２】
一実施形態では、基地局は、第２のＤＦＩが第４の上りリンク伝送に応答するＨＡＲＱ情報（及び／又は有効なＨＡＲＱ情報）を含む及び／又は提供するかどうかを、第２のＰＤＣＣＨと第２のリソースとの間の第２の間隔に基づいて、かつ第１の最小ＤＦＩ時間遅延又は第２の最小ＤＦＩ時間遅延に基づいて判定する。第２の間隔は、第２のＰＤＣＣＨと第２のリソースとの間の時間長及び／又は距離、例えば、第２のＰＤＣＣＨの送信と第２のリソースとの間の時間長及び／又は距離に対応し得る。第４の上りリンク伝送に応答するＨＡＲＱ情報（及び／又は有効なＨＡＲＱ情報）は、第４の上りリンク伝送が基地局によって正常に受信及び／又は復号されたかどうかの指示（例えば、ＡＣＫ又はＮＡＣＫのようなＨＡＲＱフィードバック）に対応し得る。
【０２４３】
一実施形態では、基地局は、第１のＤＦＩが第３の上りリンク伝送に応答する（及び／又は第１のリソースに応答する）第１のＨＡＲＱ情報（及び／又は有効な第１のＨＡＲＱ情報）を含む及び／又は提供することを、第１の間隔が第１の最小ＤＦＩ時間遅延より大きいことに基づくか、又は第１の間隔が第２の最小ＤＦＩ時間遅延より大きいことに基づいて判定する。例えば、第１の間隔が第１の最小ＤＦＩ時間遅延以上である場合、及び／又は第１の間隔が第２の最小ＤＦＩ時間遅延以上である場合、基地局は、第１のＤＦＩが第１のＨＡＲＱ情報を含む及び／又は提供すると判定し得る。代替的及び／又は追加的に、第１の間隔が第１の最小ＤＦＩ時間遅延以上である場合、及び／又は第１の間隔が第２の最小ＤＦＩ時間遅延以上である場合、第１のＤＦＩは、第１のＨＡＲＱ情報を含む及び／又は提供することができる（及び／又は第１のＤＦＩは、第１のＨＡＲＱ情報に加えて他の情報を含む及び／又は提供することができる）。第３の上りリンク伝送に応答する（及び／又は第１のリソースに応答する）第１のＨＡＲＱ情報は、第３の上りリンク伝送が基地局によって正常に受信及び／又は復号されたかどうかの表示（例えば、ＡＣＫ又はＮＡＣＫなどのＨＡＲＱフィードバック）に対応し得る。
【０２４４】
一実施形態では、基地局は、第１のＤＦＩが第３の上りリンク伝送に応答する（及び／又は第１のリソースに応答する）ＨＡＲＱ情報（及び／又は有効なＨＡＲＱ情報）を含まない及び／又は提供しないことを、第１の間隔が第１の最小ＤＦＩ時間遅延より小さいことに基づくか、又は第１の間隔が第２の最小ＤＦＩ時間遅延より小さいことに基づいて判定する。例えば、第１の間隔が第１の最小ＤＦＩ時間遅延より小さい場合、及び／又は第１の間隔が第２の最小ＤＦＩ時間遅延より小さい場合、基地局は、第１のＤＦＩが第３の上りリンク伝送に応答する（及び／又は第１のリソースに応答する）ＨＡＲＱ情報（及び／又は有効なＨＡＲＱ情報）を含まない及び／又は提供しないと判定し得る。第３の上りリンク伝送に応答する（及び／又は第１のリソースに応答する）ＨＡＲＱ情報（及び／又は有効なＨＡＲＱ情報）は、第３の上りリンク伝送が基地局によって正常に受信及び／又は復号されたかどうかの指示（例えば、ＡＣＫ又はＮＡＣＫなどのＨＡＲＱフィードバック）に対応し得る。
【０２４５】
一実施形態では、基地局は、第２のＤＦＩが第４の上りリンク伝送に応答する（及び／又は第２のリソースに応答する）第２のＨＡＲＱ情報（及び／又は有効な第２のＨＡＲＱ情報）を含む及び／又は提供することを、第２の間隔が第１の最小ＤＦＩ時間遅延より大きいことに基づくか、又は第２の間隔が第２の最小ＤＦＩ時間遅延より大きいことに基づいて判定する。例えば、第２の間隔が第１の最小ＤＦＩ時間遅延以上である場合、及び／又は第２の間隔が第２の最小ＤＦＩ時間遅延以上である場合、基地局は、第２のＤＦＩが第２のＨＡＲＱ情報を含む及び／又は提供すると判定し得る。代替的及び／又は追加的に、第２の間隔が第１の最小ＤＦＩ時間遅延以上である場合、及び／又は第２の間隔が第２の最小ＤＦＩ時間遅延以上である場合、第２のＤＦＩは、第２のＨＡＲＱ情報を含む及び／又は提供することができる（及び／又は第２のＤＦＩは、第２のＨＡＲＱ情報に加えて他の情報を含む及び／又は提供することができる）。第４の上りリンク伝送に応答する（及び／又は第２のリソースに応答する）第２のＨＡＲＱ情報は、第２の上りリンク伝送が基地局によって正常に受信及び／又は復号されたかどうかの指示（例えば、ＡＣＫ又はＮＡＣＫなどのＨＡＲＱフィードバック）に対応し得る。
【０２４６】
一実施形態では、基地局は、第２のＤＦＩが第４の上りリンク伝送に応答する（及び／又は第２のリソースに応答する）ＨＡＲＱ情報（及び／又は有効なＨＡＲＱ情報）を含まない及び／又は提供しないことを、第２の間隔が第１の最小ＤＦＩ時間遅延より小さいことに基づくか、又は第２の間隔が第２の最小ＤＦＩ時間遅延より小さいことに基づいて判定する。例えば、第２の間隔が第１の最小ＤＦＩ時間遅延より小さい場合、及び／又は第２の間隔が第２の最小ＤＦＩ時間遅延より小さい場合、基地局は、第２のＤＦＩが第４の上りリンク伝送に応答する（及び／又は第２のリソースに応答する）ＨＡＲＱ情報（及び／又は有効なＨＡＲＱ情報）を含まない及び／又は提供しないと判定し得る。第４の上りリンク伝送に応答する（及び／又は第２のリソースに応答する）ＨＡＲＱ情報（及び／又は有効なＨＡＲＱ情報）は、第４の上りリンク伝送が基地局によって正常に受信及び／又は復号されたかどうかの指示（例えば、ＡＣＫ又はＮＡＣＫなどのＨＡＲＱフィードバック）に対応し得る。
【０２４７】
一実施形態では、基地局は、第３の上りリンク伝送に応答する（及び／又は第１のリソースに応答する）第１のＤＦＩによって提供される第１のＨＡＲＱ情報が、第１のＤＦＩと第１のリソースとの間の第１の間隔に基づいて、かつ第１の最小のＤＦＩ時間遅延又は第２の最小のＤＦＩ時間遅延に基づいて、有効であるかどうかを判定する。第１のＨＡＲＱ情報は、第３の上りリンク伝送が基地局によって正常に受信及び／又は復号されたかどうかの指示（例えば、ＡＣＫ又はＮＡＣＫなどのＨＡＲＱフィードバック）に対応し得る。
【０２４８】
一実施形態では、基地局は、第４の上りリンク伝送に応答する（及び／又は第２のリソースに応答する）第２のＤＦＩによって提供される第２のＨＡＲＱ情報が、第２のＤＦＩと第２のリソースとの間の第２の間隔に基づいて、かつ第１の最小のＤＦＩ時間遅延又は第２の最小のＤＦＩ時間遅延に基づいて、有効であるかどうかを判定する。第２のＨＡＲＱ情報は、第４の上りリンク伝送が基地局によって正常に受信及び／又は復号されたかどうかの指示（例えば、ＡＣＫ又はＮＡＣＫのなどのＨＡＲＱフィードバック）に対応し得る。
【０２４９】
一実施形態では、基地局は、第１の間隔が第１の最小ＤＦＩ時間遅延以上であることに基づいて、又は第１の間隔が第２の最小ＤＦＩ時間遅延以上であることに基づいて、第１のＨＡＲＱ情報が有効であると判定する。例えば、基地局は、第１の間隔が第１の最小ＤＦＩ時間遅延以上である場合、及び／又は第１の間隔が第２の最小ＤＦＩ時間遅延以上である場合、第１のＨＡＲＱ情報が有効であると判定し得る。
【０２５０】
一実施形態では、基地局は、第１の間隔が第１の最小ＤＦＩ時間遅延よりも小さいことに基づいて、又は第１の間隔が第２の最小ＤＦＩ時間遅延よりも小さいことに基づいて、第１のＨＡＲＱ情報が有効でないと判定する。例えば、基地局は、第１の間隔が第１の最小ＤＦＩ時間遅延よりも小さい場合、及び／又は第１の間隔が第２の最小ＤＦＩ時間遅延よりも小さい場合、第１のＨＡＲＱ情報が有効でないと判定し得る。
【０２５１】
一実施形態では、基地局は、第２の間隔が第１の最小ＤＦＩ時間遅延以上であることに基づいて、又は第２の間隔が第２の最小ＤＦＩ時間遅延以上であることに基づいて、第２のＨＡＲＱ情報が有効であると判定する。例えば、基地局は、第２の間隔が第１の最小ＤＦＩ時間遅延以上である場合、及び／又は第２の間隔が第２の最小ＤＦＩ時間遅延以上である場合、第２のＨＡＲＱ情報が有効であると判定し得る。
【０２５２】
一実施形態では、基地局は、第２の間隔が第１の最小ＤＦＩ時間遅延よりも小さいことに基づいて、又は第２の間隔が第２の最小ＤＦＩ時間遅延よりも小さいことに基づいて、第２のＨＡＲＱ情報が有効でないと判定する。例えば、基地局は、第２の間隔が第１の最小ＤＦＩ時間遅延よりも小さい場合、及び／又は第２の間隔が第２の最小ＤＦＩ時間遅延よりも小さい場合、第２のＨＡＲＱ情報が有効でないと判定し得る。
【０２５３】
一実施形態では、第１のＰＤＣＣＨが送信される時間単位と第１のリソースとの間の間隔が第１の最小ＤＦＩ時間遅延以上であるという判定に基づいて、又はその間隔が第２の最小ＤＦＩ時間遅延以上であるという判定に基づいて、第１のＤＦＩによって提供される第３の上りリンク伝送に応答する（及び／又は第１のリソースに応答する）ＨＡＲＱ情報が有効であり得る。第３の上りリンク伝送に応答する（及び／又は第１のリソースに応答する）ＨＡＲＱ情報は、第３の上りリンク伝送が基地局によって正常に受信及び／又は復号されたかどうかの指示（例えば、ＡＣＫ又はＮＡＣＫなどのＨＡＲＱフィードバック）に対応し得る。
【０２５４】
一実施形態では、第１のＰＤＣＣＨが送信される時間単位と第１のリソースとの間の間隔が第１の最小ＤＦＩ時間遅延よりも小さいという判定に基づいて、又はその間隔が第２の最小ＤＦＩ時間遅延よりも小さいという判定に基づいて、第１のＤＦＩによって提供される第３の上りリンク伝送に応答する（及び／又は第１のリソースに応答する）ＨＡＲＱ情報は、有効でなくてもよい（例えば、無効であり得る）。第３の上りリンク伝送に応答する（及び／又は第１のリソースに応答する）ＨＡＲＱ情報は、第３の上りリンク伝送が基地局によって正常に受信及び／又は復号されたかどうかの指示（例えば、ＡＣＫ又はＮＡＣＫなどのＨＡＲＱフィードバック）に対応し得る。
【０２５５】
一実施形態では、第２のＰＤＣＣＨが送信される時間単位と第２のリソースとの間の間隔が第１の最小ＤＦＩ時間遅延以上であるという判定に基づいて、又はその間隔が第２の最小ＤＦＩ時間遅延以上であるという判定に基づいて、第２のＤＦＩによって提供される第４の上りリンク伝送に応答する（及び／又は第２のリソースに応答する）ＨＡＲＱ情報が有効であり得る。第４の上りリンク伝送に応答する（及び／又は第２のリソースに応答する）ＨＡＲＱ情報は、第４の上りリンク伝送が基地局によって正常に受信及び／又は復号されたかどうかの指示（例えば、ＡＣＫ又はＮＡＣＫなどのＨＡＲＱフィードバック）に対応し得る。
【０２５６】
一実施形態では、第２のＰＤＣＣＨが送信される時間単位と第２のリソースとの間の間隔が第１の最小ＤＦＩ時間遅延よりも小さいという判定に基づいて、又はその間隔が第２の最小ＤＦＩ時間遅延よりも小さいという判定に基づいて、第２のＤＦＩによって提供される第４の上りリンク伝送に応答する（及び／又は第２のリソースに応答する）ＨＡＲＱ情報は、有効でなくてもよい（例えば、無効であり得る）。第４の上りリンク伝送に応答する（及び／又は第２のリソースに応答する）ＨＡＲＱ情報は、第４の上りリンク伝送が基地局によって正常に受信及び／又は復号されたかどうかの指示（例えば、ＡＣＫ又はＮＡＣＫなどのＨＡＲＱフィードバック）に対応し得る。
【０２５７】
図３及び図４に戻って参照すると、キャリア及び／又はセル上で共有スペクトルチャネルアクセスを用いて動作する基地局の１つの例示的な実施形態において、デバイス３００は、メモリ３１０に記憶されたプログラムコード３１２を含む。ＣＰＵ３０８は、プログラムコード３１２を実行して、基地局が、（ｉ）キャリア及び／又はセルのＢＷＰにおいて上りリンク伝送するための複数のＣＧでＵＥを設定することであって、複数のＣＧは、第１のＣＧ及び第２のＣＧを含む、設定することと、（ｉｉ）第１のＣＧのための第１の最小ＤＦＩ時間遅延でＵＥを設定することであって、第１の最小ＤＦＩ時間遅延は、１つ以上の第１の上りリンク伝送に応答するＨＡＲＱ情報の検証のためのものである、設定することと、（ｉｉｉ）第２のＣＧのための第２の最小ＤＦＩ時間遅延でＵＥを設定すること、とを可能にし、第２の最小ＤＦＩ時間遅延は、１つ以上の第２の上りリンク伝送に応答するＨＡＲＱ情報の検証のためのものであり、基地局は、第２の最小ＤＦＩ時間遅延が第１の最小ＤＦＩ時間遅延とは異なる値を有するように設定することができない。さらに、ＣＰＵ  ３０８は、プログラムコード３１２を実行して、上述のアクション及びステップ、及び／又は明細書で説明された他のもののうちの１つ、いくつか、及び／又は全てを実行することができる。
【０２５８】
図２２は、キャリア及び／又はセル上で共有スペクトルチャネルアクセスを用いて動作する基地局の観点からの１つの例示的な実施形態によるフローチャート２２００である。ステップ２２０５において、基地局は、キャリア及び／又はセルのＢＷＰにおける上りリンク伝送に対する複数のＣＧでＵＥを設定し、複数のＣＧは、第１のＣＧ及び第２のＣＧを含む。ステップ２２１０において、基地局は、第１のＣＧのための第１の最小ＤＦＩ時間遅延でＵＥを設定する。ステップ２２１５において、基地局は、第２のＣＧのための第２の最小ＤＦＩ時間遅延でＵＥを設定し、基地局は、第２の最小ＤＦＩ時間遅延が第１の最小ＤＦＩ時間遅延とは異なる値を有するように設定することができない（及び／又は、第２の最小ＤＦＩ時間遅延を第１の最小ＤＦＩ時間遅延とは異なる値に設定することができない）。ステップ２２２０において、基地局は、ＵＥに動的グラントを送信し、動的グラントは、ＴＢの再送のための第２のリソースをスケジュールする。ステップ２２２５において、基地局は、ＵＥから第２のリソース上で第２の上りリンク伝送を受信する。ステップ２２３０において、基地局は、第２のＰＤＣＣＨをＵＥに送信し、第２のＰＤＣＣＨは、第２のＤＦＩを含む及び／又は示す。第２のＤＦＩは、第２のＰＤＣＣＨと第２のリソースとの間の間隔が第１の最小ＤＦＩ時間遅延以上であることに基づいて、又はその間隔が第２の最小ＤＦＩ時間遅延以上であることに基づいて、第２の上りリンク伝送に応答する有効なＨＡＲＱ情報を含む及び／又は提供する。例えば、第２のＤＦＩは、その間隔が第１の最小ＤＦＩ時間遅延以上である場合、又はその間隔が第２の最小ＤＦＩ時間遅延以上である場合、第２の上りリンク伝送に応答する有効なＨＡＲＱ情報を含む及び／又は提供する。間隔は、第２のＰＤＣＣＨと第２のリソースとの間の時間長及び／又は距離、例えば、第２のＰＤＣＣＨの送信と第２のリソースとの間の時間長及び／又は距離に対応し得る。有効なＨＡＲＱ情報は、第２の上りリンク伝送が基地局によって正常に受信及び／又は復号されたかどうかの指示（例えば、ＡＣＫ又はＮＡＣＫなどのＨＡＲＱフィードバック）に対応し得る。
【０２５９】
一実施形態では、第２のＤＦＩは、複数のＨＡＲＱ情報を含み及び／又は提供し、複数のＨＡＲＱ情報のうちの１つ以上のＨＡＲＱ情報は、有効なＨＡＲＱ情報である。
【０２６０】
一実施形態では、第２の上りリンク伝送に応答して第２のＤＦＩによって提供される有効なＨＡＲＱ情報は、第２のＰＤＣＣＨが送信される時間単位と第２のリソースとの間の間隔が、第１の最小ＤＦＩ時間遅延以上であるという判定に基づいて、又は、その間隔が第２の最小ＤＦＩ時間遅延以上であるという判定に基づいて有効である。
【０２６１】
図３及び図４を参照すると、キャリア及び／又はセル上で共有スペクトルチャネルアクセスを用いて動作する基地局の１つの例示的実施形態において、デバイス３００は、メモリ３１０に記憶されたプログラムコード３１２を含む。ＣＰＵ  ３０８は、プログラムコード３１２を実行して、基地局が、（ｉ）キャリア及び／又はセルのＢＷＰにおける上りリンク伝送に対する複数のＣＧでＵＥを設定することであって、複数のＣＧは、第１のＣＧ及び第２のＣＧを含む、設定することと、（ｉｉ）第１のＣＧのための第１の最小ＤＦＩ時間遅延でＵＥを設定することと、（ｉｉｉ）第２のＣＧのための第２の最小ＤＦＩ時間遅延でＵＥを設定することであって、基地局は、第２の最小ＤＦＩ時間遅延が第１の最小ＤＦＩ時間遅延とは異なる値を有するように設定することができない、設定することと、（ｉｖ）ＵＥに動的グラントを送信することであって、動的グラントは、ＴＢの再送のための第２のリソースをスケジュールする、送信することと、（ｖ）ＵＥから第２のリソース上で第２の上りリンク伝送を受信することと、（ｖｉ）第２のＰＤＣＣＨをＵＥに送信することであって、第２のＰＤＣＣＨは、第２のＤＦＩを含む及び／又は示す、送信することと、を行うことを可能にし、第２のＤＦＩは、第２のＰＤＣＣＨと第２のリソースとの間の間隔が第１の最小ＤＦＩ時間遅延以上であることに基づいて、又はその間隔が第２の最小ＤＦＩ時間遅延以上であることに基づいて、第２の上りリンク伝送に応答する有効なＨＡＲＱ情報を含む及び／又は提供する。さらに、ＣＰＵ３０８は、プログラムコード３１２を実行して、上述のアクション及びステップ、及び／又は本明細書で説明された他のもののうちの１つ、いくつか、及び／又は全てを実行することができる。
【０２６２】
通信デバイス（例えば、ＵＥ、基地局、ネットワークなど）を提供することができ、通信デバイスは、制御回路、制御回路に設置されたプロセッサ、及び／又は制御回路に設置され、プロセッサに結合されたメモリを含み得る。プロセッサは、メモリに記憶されたプログラムコードを実行して、図２０〜図２２に示す方法ステップを実行するように構成され得る。さらに、プロセッサは、プログラムコードを実行して、上述のアクション及びステップ、及び／又は本明細書で説明された他のもののうちの１つ、いくつか、及び／又は全てを行ってもよい。
【０２６３】
コンピュータ可読媒体が提供され得る。コンピュータ可読媒体は、非一時的なコンピュータ可読媒体であり得る。コンピュータ可読媒体は、フラッシュメモリデバイス、ハードディスクドライブ、ディスク（例えば、磁気ディスク、及び／又はデジタル多用途ディスク（ＤＶＤ）、コンパクトディスク（ＣＤ）などのうちの少なくとも１つの光ディスク）、及び／又は、スタティックランダムアクセスメモリ（ＳＲＡＭ）、ダイナミックランダムアクセスメモリ（ＤＲＡＭ）、同期ダイナミックランダムアクセスメモリ（ＳＤＲＡＭ）のうちの少なくとも１つのメモリ半導体を含み得る。コンピュータ可読媒体は、実行されたときに、図２０〜２２に示される１つ、いくつか、及び／又は全ての方法ステップ、及び／又は上述のアクション及びステップ、及び／又は本明細書で説明された他のもののうちの１つ、いくつか、及び／又は全ての性能を引き起こすプロセッサ実行可能命令を含み得る。
【０２６４】
本明細書で提示される１つ以上の技術を適用することにより、ＵＥ及び／又はネットワークが共有スペクトルにおいて動作する場合のような、デバイス間（例えば、ＵＥ及び／又はネットワーク）の通信効率の向上を含むが、これに限定されない１つ以上の利点がもたらされ得ることが理解されよう。効率の向上は、ＵＥが、最小ＤＦＩ時間遅延を正しく解釈すること、及び／又は、ＤＦＩが上りリンク伝送に関連付けられたＨＡＲＱ情報（例えば、有効なＨＡＲＱ情報）を含む及び／又は提供するかどうかを正しく判定することを可能にする結果であり得る。ＤＦＩがＨＡＲＱ情報を含む及び／又は提供するかどうかを正しく判定することによって、ＵＥは、ネットワークが正常に上りリンク伝送を受信したか、又はネットワークが正常に上りリンク伝送を受信しなかったかを誤って判定しなくてもよい（したがって、ＵＥは、再送を誤って行わなくてもよい、及び／又は再送を誤って行わないとしなくてもよい）。
【０２６５】
以上、本開示の種々の態様を説明した。当然のことながら、本明細書の教示内容が多種多様な形態で具現化されてもよく、本明細書に開示したいかなる特定の構造、機能、またはその両者は代表的なものに過ぎない。本明細書の教示内容に基づいて、当業者には当然のことながら、本明細書に開示した態様が、他のいかなる態様からも独立して実装されてもよく、これら態様のうちの２つ以上が様々な方法で組み合わせられてもよい。例えば、本明細書に記載した任意の数の態様を使用して、装置が実装されてもよいし、方法が実現されてもよい。追加的に、本明細書に記載した態様のうちの１つ以上に追加して、またはそれとは別で、他の構造、機能、または構造と機能を使用して、このような装置が実装されてもよいし、このような方法が実現されてもよい。上記概念の一部の例として、いくつかの態様においては、パルス繰り返し周波数に基づいて、同時チャネルが確立されてもよい。いくつかの態様においては、パルス位置またはオフセットに基づいて、同時チャネルが確立されてもよい。いくつかの態様においては、時間ホッピングシーケンスに基づいて、同時チャネルが確立されてもよい。いくつかの態様においては、パルス繰り返し周波数、パルス位置またはオフセット、および時間ホッピングシーケンスに基づいて同時チャネルが確立されてもよい。
【０２６６】
当業者であれば、多様な異なるテクノロジおよび技術のいずれかを使用して、情報および信号を表わしてよいを理解するであろう。例えば、上記説明全体で言及されることがあるデータ、命令、コマンド、情報、信号、ビット、シンボル、およびチップは、電圧、電流、電磁波、磁場もしくは粒子、光場もしくは粒子、またはこれらの任意の組み合わせによって表わしてよい。
【０２６７】
さらに、当業者には当然のことながら、本明細書に開示された態様に関連して説明した種々の例示的な論理ブロック、モジュール、プロセッサ、手段、回路、およびアルゴリズムステップは、電子的ハードウェア（例えば、ソースコーディングまたはその他何らかの技術を用いて設計することがあるデジタル実装、アナログ実装、またはこれら２つの組み合わせ）、命令を含む種々の形態のプログラムもしくは設計コード（本明細書においては便宜上、「ソフトウェア」または「ソフトウェアモジュール」と称されることがある）、または両者の組み合わせとして実装されてよい。このハードウェアおよびソフトウェアの互換性を明確に示すため、種々の例示的な構成要素、ブロック、モジュール、回路、およびステップを、概略的にそれぞれの機能の側面から上述した。そのような機能がハードウェアとして実装されるか、ソフトウェアとして実装されるかは、特定用途およびシステム全体に課される設計上の制約によって決まる。当業者であれば、特定各用途に対して、説明した機能を様々なやり方で実装してもよいが、そのような実装の決定は、本開示の範囲からの逸脱の原因として解釈されるべきではない。
【０２６８】
追加的に、本明細書に開示される態様に関連して説明した種々の例示的な論理ブロック、モジュール、および回路は、集積回路（「ＩＣ」）、アクセス端末、またはアクセスポイント内で実装される、あるいはこれらによって実行されてよい。ＩＣとしては、汎用プロセッサ、ディジタルシグナルプロセッサ（ＤＳＰ）、特定用途向け集積回路（ＡＳＩＣ）、フィールドプログラマブルゲートアレイ（ＦＰＧＡ）、その他プログラマブル論理デバイス、ディスクリートゲートもしくはトランジスタロジック、ディスクリートハードウェアコンポーネント、電気部品、光学部品、機械部品、または本明細書で説明した機能を実行するように設計されたこれらの任意の組み合わせを含み、ＩＣ内、ＩＣ外、またはその両方に存在するコードまたは命令を実行してよい。汎用プロセッサは、マイクロプロセッサとしてよいが、代替として、プロセッサは、従来の任意のプロセッサ、コントローラ、マイクロコントローラ、または状態機械としてよい。また、プロセッサは、ＤＳＰとマイクロプロセッサとの組み合わせ、複数のマイクロプロセッサ、ＤＳＰコアと協働する１つ以上のマイクロプロセッサ、またはその他任意のこのような構成である、コンピュータデバイスの組み合わせとして実装されてよい。
【０２６９】
任意の開示プロセスにおけるステップの如何なる特定の順序または階層は、実例的な手法の一例であることが了解される。設計の選好に基づいて、プロセスにおけるステップの特定の順序または階層を、本開示の範囲内に留まりつつ、再構成してよいことが了解される。添付の方法の請求項は、種々のステップの要素を実例的な順序で示しており、提示の特定順序または階層に限定されることを意図していない。
【０２７０】
本明細書に開示される態様に関連して記載された方法またはアルゴリズムのステップを、ハードウェアにおいて直接具現化してよく、プロセッサにより実行されるソフトウェアモジュールにおいて具現化してよく、これら２つの組み合わせにおいて具現化してよい。（例えば、実行可能な命令および関連するデータを含む）ソフトウェアモジュールおよび他のデータは、ＲＡＭメモリ、フラッシュメモリ、ＲＯＭメモリ、ＥＰＲＯＭメモリ、ＥＥＰＲＯＭメモリ、レジスタ、ハードディスク、リムバーブルディスク、ＣＤ−ＲＯＭ等のデータメモリ、または当技術分野において知られているその他任意の形態のコンピュータ可読記憶媒体に存在してよい。実例的な記憶媒体がコンピュータ／プロセッサ（本明細書においては便宜上、「プロセッサ」と称されることがある）等の機械に結合されてよい、このようなプロセッサは、記憶媒体からの情報（例えば、コード）の読み出しおよび記憶媒体への情報の書き込みが可能である。実例的な記憶媒体は、プロセッサと一体化されてよい。プロセッサおよび記憶媒体は、ＡＳＩＣに存在してよい。ＡＳＩＣは、ユーザ機器に存在していてもよい。代替として、プロセッサおよび記憶媒体は、ディスクリートコンポーネントとしてユーザ機器に存在してよい。代替的および／または追加的に、いくつかの態様においては、任意の適当なコンピュータプログラム製品が、本開示の態様のうちの１つ以上に関連するコードを含むコンピュータ可読媒体を含んでもよい。いくつかの態様において、コンピュータプログラム製品は、パッケージング材料を含んでよい。
【０２７１】
以上、種々の態様に関連して本開示の主題を説明したが、本開示の主題は、さらに改良可能であることが了解される。本願は、概して本開示の主題の原理に従うと共に、本開示の主題が関係する技術分野における既知で慣習的な実施となるような本開示からのそのような逸脱を含む本開示の主題の任意の変形、使用、または適応を網羅することを意図している。
【図１】
2022003770.tif 000030
【図２】
2022003770.tif 000031
【図３】
2022003770.tif 000032
【図４】
2022003770.tif 000033
【図５】
2022003770.tif 000034
【図６】
2022003770.tif 000035
【図７】
2022003770.tif 000036
【図８】
2022003770.tif 000037
【図９】
2022003770.tif 000038
【図１０】
2022003770.tif 000039
【図１１】
2022003770.tif 000040
【図１２】
2022003770.tif 000041
【図１３Ａ】
2022003770.tif 000042
【図１３Ｂ】
2022003770.tif 000043
【図１４】
2022003770.tif 000044
【図１５】
2022003770.tif 000045
【図１６】
2022003770.tif 000046
【図１７】
2022003770.tif 000047
【図１８】
2022003770.tif 000048
【図１９】
2022003770.tif 000049
【図２０】
2022003770.tif 000050
【図２１】
2022003770.tif 000051
【図２２】
2022003770.tif 000052
【外国語明細書】
2022003770000001.pdf